(57)【特許請求の範囲】
【請求項１】
操作体による摺動操作によって情報を入力する入力装置であって、
操作面を有した筐体内に設けられ、前記操作体の摺動位置を検出して位置検出信号を出力する静電容量シート部材を含む検出部と、
前記検出部の全面を覆うように設けられ、前記筐体の操作面に沿って摺動操作される単一の操作部と
を備え、
前記操作部は、前記筐体の一方の操作面から摺動方向に沿って盛り上がり、かつ、他方の操作面に向かって盛り下がる凸部形状を有し、
前記静電容量シート部材は、前記操作体の前記操作部への押し込み操作によってオン又は／及びオフするスイッチ部を有し、
前記静電容量シート部材は、前記操作体の摺動位置を検出して位置検出信号を出力するシート状の検出電極を有し、
前記検出電極の一部がドーム状に隆起し、
前記ドーム状に隆起した検出電極の部位が前記スイッチ部を構成する可動接点を成し、
前記静電容量シート部材は、シート状の基板を有し、
前記基板の一方の面には、前記ドーム状に隆起した部位を含むシート状の検出電極が設けられると共に、前記ドーム状に隆起した部位の内側に前記スイッチ部を構成する固定接点が設けられ、
前記基板の他方の面には、前記スイッチ部の固定接点からスルーホールを介して引き出される配線が設けられる
入力装置。
【請求項２】
前記検出部の全面を覆うように設けられた前記操作部の凸部形状は、
所定の高さ及び幅を有した円弧を成し、
前記操作部は、
円弧の形状に沿って摺動操作される
請求項１に記載の入力装置。
【請求項３】
前記検出部で操作体の摺動位置を検出する検出領域が、前記操作部で当該操作体によって摺動操作される操作領域よりも広く設定されている
請求項２に記載の入力装置。
【請求項４】
前記検出部の全面を覆うように設けられた操作部の凸部形状は、所定の高さ及び幅を有した立体十字形状を成し、
前記操作部は、立体十字形状に沿って摺動操作され、及び、所定の部位を押下操作される
請求項１に記載の入力装置。
【請求項５】
前記操作部が前記筐体の材質と異なる材質から構成され、
前記操作部を構成する材質の表面粗度をＡとし、前記筐体を構成する材質の表面粗度をＢとしたとき、前記表面粗度Ａと表面粗度Ｂとの間にはＡ＜Ｂなる関係が設定される
請求項１に記載の入力装置。
【請求項６】
前記検出部によって検出された前記操作体の摺動位置に対して振動を発生する振動体が設けられる
請求項１に記載の入力装置。
【請求項７】
前記検出部によって検出された操作体の摺動位置に対してスクロール画像を表示する表示部と、
前記操作体の摺動操作速度を検出し、当該操作体の摺動操作速度に応じて前記表示部におけるスクロール画像の表示ピッチを調整する制御部と
を備える
請求項１に記載の入力装置。
【請求項８】
前記静電容量シート部材は、シート状の基板を有し、
前記基板の一方の面には、前記操作部への摺動位置を検出して位置検出信号を出力するシート状の検出電極が設けられ、
前記基板の他方の面には前記ドーム状に隆起した前記スイッチ部を構成する可動接点が設けられると共に、当該ドーム状に隆起した部位の内側であって、所定の間隔だけ離れた位置に当該スイッチ部を構成する固定接点が設けられる
請求項１に記載の入力装置。
【請求項９】
前記静電容量シート部材の前記スイッチ部の可動接点を構成するドーム状部位の下面はＣ形状を成し、
当該スイッチ部の固定接点は、前記Ｃ形状部位の開放端間を通過して配線される
請求項８に記載の入力装置。
【請求項１０】
前記ドーム状に隆起した部位を有するスイッチ部の可動接点は、ドーム状部位の両側端部が切断されたカット形状を成す
請求項９に記載の入力装置。
【請求項１１】
前記操作部の幅をαとし、前記スイッチ部の幅をβとしたとき、当該操作部の幅αと前記スイッチ部の幅βとの間にはα＞βなる関係が設定される
請求項８に記載の入力装置。
【請求項１２】
操作面を有した筐体と、
前記筐体に設けられて操作体による摺動操作によって情報を入力する入力装置と
を備え、
前記入力装置は、
前記操作面を有した筐体内に設けられ、前記操作体の摺動位置を検出して位置検出信号を出力する静電容量シート部材を含む検出部と、
前記検出部の全面を覆うように設けられ、前記筐体の操作面に沿って摺動操作される単一の操作部と
を有し、
前記操作部は、前記筐体の一方の操作面から摺動方向に沿って盛り上がり、かつ、他方の操作面に向かって盛り下がる凸部形状を含み構成され、
前記静電容量シート部材は、前記操作体の前記操作部への押し込み操作によってオン又は／及びオフするスイッチ部を含み構成され、
前記静電容量シート部材は、前記操作体の摺動位置を検出して位置検出信号を出力するシート状の検出電極を有し、
前記検出電極の一部がドーム状に隆起し、
前記ドーム状に隆起した検出電極の部位が前記スイッチ部を構成する可動接点を成し、
前記静電容量シート部材は、シート状の基板を有し、
前記基板の一方の面には、前記ドーム状に隆起した部位を含むシート状の検出電極が設けられると共に、前記ドーム状に隆起した部位の内側に前記スイッチ部を構成する固定接点が設けられ、
前記基板の他方の面には、前記スイッチ部の固定接点からスルーホールを介して引き出される配線が設けられる
電子機器。
【請求項１３】
前記筐体を構成する操作パネルと前記操作部とが一体成形されて成る
請求項１２に記載の電子機器。
【請求項１４】
前記筐体を構成する操作パネルの操作面にテンキー部を備え、
前記操作部が前記テンキー部と一体成形されて成る
請求項１２及び１３に記載の電子機器。
【請求項１５】
前記筐体内には光源が設けられ、かつ、前記操作部には光導伝部材が設けられ、
前記筐体内の光源から前記光導伝部材に光が照射される
請求項１２に記載の電子機器。
【請求項１６】
前記操作部によって入力される情報を表示する表示部を備え、
前記表示部の所定の位置に凸状を成した前記操作部が配設される
請求項１２に記載の電子機器。
【請求項１７】
操作体による摺動操作によって情報を入力する入力装置であって、
操作面を有した筐体内に設けられて前記操作体の摺動位置を検出して位置検出信号を出力する静電容量シート部材を含む検出部と、
前記検出部の全面を覆うように設けられ、前記筐体の操作面に沿って摺動操作される単一の操作部と
を備え、
前記操作部は、前記筐体の一方の操作面から摺動方向に沿って堀り下がり、かつ、他方の操作面に向かって堀り上がる凹部形状を有し、
前記静電容量シート部材は、前記操作体の前記操作部への押し込み操作によってオン又は／及びオフするスイッチ部を有し、
前記静電容量シート部材は、前記操作体の摺動位置を検出して位置検出信号を出力するシート状の検出電極を有し、
前記検出電極の一部がドーム状に隆起し、
前記ドーム状に隆起した検出電極の部位が前記スイッチ部を構成する可動接点を成し、
前記静電容量シート部材は、シート状の基板を有し、
前記基板の一方の面には、前記ドーム状に隆起した部位を含むシート状の検出電極が設けられると共に、前記ドーム状に隆起した部位の内側に前記スイッチ部を構成する固定接点が設けられ、
前記基板の他方の面には、前記スイッチ部の固定接点からスルーホールを介して引き出される配線が設けられる
入力装置。
【請求項１８】
前記検出部の全面を覆うように設けられた操作部の凹部形状は、所定の深さ及び開口幅を有した有底状の円弧を成し、
前記操作部は、有底状の円弧形状に沿って摺動操作される
請求項１７に記載の入力装置。
【請求項１９】
前記検出部で操作体の摺動位置を検出する検出領域が、前記操作部で当該操作体によって摺動操作される操作領域よりも広く設定されている
請求項１８に記載の入力装置。
【請求項２０】
前記検出部の全面を覆うように設けられた操作部の凹部形状は、所定の深さ及び開口幅を有した有底状の十字凹部形状を成し、
前記操作部は、有底状の十字凹部形状に沿って摺動操作され、及び、所定の部位を押下操作される
請求項１７に記載の入力装置。
【請求項２１】
前記操作部が前記筐体の材質と異なる材質から構成され、
前記操作部を構成する材質の表面粗度をＡとし、前記筐体を構成する材質の表面粗度をＢとしたとき、前記表面粗度Ａと表面粗度Ｂとの間にはＡ＜Ｂなる関係が設定される
請求項１７に記載の入力装置。
【請求項２２】
前記検出部によって検出された前記操作体の摺動位置に対して振動を発生する振動体が設けられる
請求項１７に記載の入力装置。
【請求項２３】
前記検出部によって検出された操作体の摺動位置に対応してスクロール画像を表示する表示部と、
前記操作体の摺動操作速度を検出し、当該操作体の摺動操作速度に応じて前記表示部におけるスクロール画像の表示ピッチを調整する制御部と
を備える
請求項１７に記載の入力装置。
【請求項２４】
前記静電容量シート部材は、シート状の基板を有し、
前記基板の一方の面には、前記操作部への摺動位置を検出して位置検出信号を出力するシート状の検出電極が設けられ、
前記基板の他方の面には前記ドーム状に隆起した前記スイッチ部を構成する可動接点が設けられると共に、当該ドーム状に隆起した部位の内側であって、所定の間隔だけ離れた位置に当該スイッチ部を構成する固定接点が設けられる
請求項１７に記載の入力装置。
【請求項２５】
前記静電容量シート部材の前記スイッチ部の可動接点を構成するドーム状部位の下面はＣ形状を成し、
当該スイッチ部の固定接点は、前記Ｃ形状部位の開放端間を通過して配線される
請求項２４に記載の入力装置。
【請求項２６】
前記ドーム状に隆起した部位を有するスイッチ部の可動接点は、ドーム状部位の両側端部が切断されたカット形状を成す
請求項２５に記載の入力装置。
【請求項２７】
前記操作部の幅をαとし、前記スイッチ部の幅をβとしたとき、当該操作部の幅αと前記スイッチ部の幅βとの間にはα＞βなる関係が設定される
請求項２４に記載の入力装置。
【請求項２８】
操作面を有した筐体と、
前記筐体に設けられて操作体による摺動操作によって情報を入力する入力装置と
を備え、
前記入力装置は、
前記筐体内に設けられ、前記操作体の摺動位置を検出して位置検出信号を出力する静電容量シート部材を含む検出部と、
前記検出部の全面を覆うように設けられ、前記筐体の操作面に沿って摺動操作される単一の操作部と
を有し、
前記操作部は、前記筐体の一方の操作面から摺動方向に沿って掘り下がり、かつ、他方の操作面に向かって堀り上がる凹部形状を含み構成され、
前記静電容量シート部材は、前記操作体の前記操作部への押し込み操作によってオン又は／及びオフするスイッチ部を含み構成され、
前記静電容量シート部材は、前記操作体の摺動位置を検出して位置検出信号を出力するシート状の検出電極を有し、
前記検出電極の一部がドーム状に隆起し、
前記ドーム状に隆起した検出電極の部位が前記スイッチ部を構成する可動接点を成し、
前記静電容量シート部材は、シート状の基板を有し、
前記基板の一方の面には、前記ドーム状に隆起した部位を含むシート状の検出電極が設けられると共に、前記ドーム状に隆起した部位の内側に前記スイッチ部を構成する固定接点が設けられ、
前記基板の他方の面には、前記スイッチ部の固定接点からスルーホールを介して引き出される配線が設けられる
電子機器。
【請求項２９】
前記筐体を構成する操作パネルと前記操作部とが一体成形されて成る
請求項２８に記載の電子機器。
【請求項３０】
前記筐体を構成する操作パネルの操作面にテンキー部を備え、
前記操作部が前記テンキー部と一体成形されて成る
請求項２８及び２９に記載の電子機器。
【請求項３１】
前記筐体内には光源が設けられ、かつ、前記操作部には光導伝部材が設けられ、
前記筐体内の光源から前記光導伝部材に光が照射される
請求項３０に記載の電子機器。
【発明の詳細な説明】
【技術分野】
【０００１】
本発明は、デジタルカメラや、ビデオカメラ、携帯電話機、携帯端末装置、パーソナルコンピュータ（以下ＰＣという）、ノート型のＰＣ、ホーム系電子機器及びそのリモートコントローラ等に適用可能な入力装置及び電子機器に関する。詳しくは、筐体の操作面に沿って摺動操作される操作部を備え、筐体の一方の操作面から摺動方向に沿って盛り上がり、かつ、他方の操作面に向かって盛り下がる凸部形状を有し、及び、操作体の操作部への押し込み操作によってオン又は／及びオフするスイッチ部を有して、操作者の指（操作体）による摺動操作に対し、筐体の一方の操作面から摺動方向に沿って盛り上がる摺動操作感覚に加えて、他方の操作面に向かって盛り下がる摺動操作感覚を与えられるようにすると共に、摺動位置検出用の静電容量シートを構成する検出電極と決定確認キー用のスイッチ部等を構成する可動接点とを同一の静電容量シート部材で兼用できるようにしたものである。
【背景技術】
【０００２】
近年、ユーザ（操作者）は、多種類の動作モードを装備したデジタルカメラを使用して被写体を撮影したり、携帯電話機やＰＤＡ（Personal Digital Assistants）等の携帯端末装置に様々なコンテンツを取り込み、それを利用するようになってきた。これらのデジタルカメラや携帯端末装置等には入力装置が具備される。入力装置にはキーボードや、ＪＯＧダイヤル等の入力手段、表示部を合わせたタッチパネルなどが使用される場合が多い。
【０００３】
図７２は従来例に係る入力装置５００の構成例を示す断面図である。図７２に示す入力装置５００は、筐体５０１、回転型の操作子（以下ＪＯＧダイヤル５０２という）、回路基板５０３及びドームスイッチ５０４を有して構成されている。
【０００４】
入力装置５００は所定の大きさの筐体５０１を有しており、筐体５０１の側部には開口部５０５が設けられ、この開口部５０５からＪＯＧダイヤル５０２のキートップ部分が露出する状態で回路基板５０３に実装されている。ＪＯＧダイヤル５０２は円形状を有しており、回路基板５０３にシャフト５０６（回転軸）を介して回転自在に取り付けられている。ＪＯＧダイヤル５０２は、そのキートップ部分を除く大部分が筐体内を占有する形態が採られている。
【０００５】
ＪＯＧダイヤル５０２の裏面には、図示しない磁石等の磁性体が設けられ、この磁性体による磁界と鎖交する位置であって、回路基板５０３には所定に角度を置いて２つのホールＩＣ５０７，５０８が実装されており、ＪＯＧダイヤル裏面の磁性体がホールＩＣ５０７，５０８を横切ることで、二相の回転検出信号を出力するようになされている。
【０００６】
また、シャフト５０６は、回路基板５０３から筐体５０１の外側に向けて付勢部材（図示せず）により付勢されている。シャフト５０６の軸方向と平行に対峙する回路基板５０３には、ドームスイッチ５０４が設けられ、ＪＯＧダイヤル５０２を付勢部材の付勢力に打ち勝って押し込むとドームスイッチ５０４をオン又はオフできるようになっている。
【０００７】
この種のＪＯＧダイヤルを備えた入力装置に関連して特許文献１には、携帯情報端末及びプログラムが開示されている。この携帯情報端末によれば、端末装置本体に表示部と、本体のほぼ中央にＪＯＧダイヤルとを備える。ＪＯＧダイヤルは、表示部とは別の位置に設けられる。このＪＯＧダイヤルは、時計方向又は反時計方向に回転され、この回転に連動して表示部に表示された画像が回転するようになされる。しかも、ＪＯＧダイヤルを本体の方向に押下すると、画像範囲を変更するようになされる。このように情報端末を構成すると、より快適に各種の操作を実行できるというものである。つまり、ＪＯＧダイヤルは、メカ的な構造を採用することによって、操作者に、表示部において、入力項目を選択する毎に、表示部の変化と同期した触覚を操作者に与えられる。
【０００８】
また、振動を伴う入力装置に関連して、特許文献２にはエアコンや、オーディオ等の電子機器に実装可能な入力装置が開示されている。この入力装置によれば、ロータリスイッチ、プッシュスイッチ及びスライドスイッチの機能を併せ持つ操作子を備え、当該操作子を回転、スライド又は押圧することによって、操作項目の選択や、入力確定操作を行い、入力確定操作時には振動を伴うようになされる。このように装置を構成すると、操作負担が大幅に減少できるというものである。
【０００９】
図７３は従来例に係る他の入力装置６００の構成例を示す断面図である。図７３に示す入力装置６００は、表面平坦状を有した非回転型のキートップ６０２を備えている。入力装置６００は所定の大きさの筐体６０１を有しており、筐体６０１の側部には開口部６０５が設けられ、この開口部６０５からキートップ６０２が露出する状態で回路基板に対して可動自在に実装されている。キートップ６０２は、筐体６０１の開口部６０５に組み合わされ、その非操作面が筐体６０１の内側に向けて実装される。キートップ６０２は、鍔状のフランジ６０６を備え、このフランジ６０６が開口部６０５の内側に引っ掛けられる。これにより、キートップ６０２が開口部６０５から抜け出るのを防止される。
【００１０】
キートップ６０２の内側には回路基板６０３が設けられ、当該回路基板６０３にはドームスイッチが設けられ、キートップ６０２の押し込み操作によってオン又は／及びオフするように操作される。キートップ６０２の内側には、センサ６１３、押し子６１９、ドームスイッチ６０４及び回路基板６０３の順序で配置される。押し子６１９はセンサ６１３と回路基板６０３の側部との間で挟持されるように配置される。このように、筐体側部に対して表面平坦状のキートップ６０２を取り付けると、上述のＪＯＧダイヤルに比べてキートップ部分がほとんど筐体内を占有しない構造を採ることができるというものである。
【００１１】
また、入力装置の機能に関連して、特許文献３には、メニュー選択装置が開示されている。このメニュー選択装置によれば、項目選択手段及び項目入力手段を備え、項目入力手段が項目選択手段上に設けられ、項目の選択と入力とを同一のキーに割り当て、項目表示と項目選択入力キーとを並置するようにしたものである。このように装置を構成すると、同一のキーを用いて項目の選択と人力の指示（確定）とを実行できるというものである。
【００１２】
更に、開口部から露出するキートップに関連して、特許文献４には入力装置が開示されている。この入力装置によれば、ケーシングの所定の位置に窓孔が設けられ、この窓孔から露出する操作釦をスライド操作して項目選択を行ったり、他の操作ノブを押圧操作してページ送りや、スクロール等の項目選択画面の切り替えを行うようにした。このように装置を構成すると、項目選択動作を簡単かつ的確に実行できるというものである。
【００１３】
また、特許文献５には入力装置が開示されている。この入力装置によれば、ケーシングの所定の位置に窓孔が設けられ、この窓孔から露出する操作釦をスライド操作して項目選択を行ったり、他の操作ノブを押圧操作して特定された項目選択画面内の所定領域を拡大表示するようにした。このように装置を構成すると、項目選択動作を簡単かつ的確に実行できるというものである。
【００１４】
【特許文献１】特開２００３−２５６１２０号公報（第２乃至３頁  第１図）
【特許文献２】特開２００４−０７０５０５号公報（第５頁  図３）
【特許文献３】特開平  ０２−２３０３１０号公報（第２頁  図１）
【特許文献４】特開２００５−０６３２３０号公報（第９頁  図１６）
【特許文献５】特開２００５−０６３２２７号公報（第８頁  図１５）
【発明の開示】
【発明が解決しようとする課題】
【００１５】
ところで、従来例に係る触覚入力機能付きのデジタルカメラや、情報処理装置、携帯電話機、情報携帯端末装置等の電子機器によれば、以下のような問題がある。
【００１６】
ｉ．特許文献１に見られるような表示部とＪＯＧダイヤルとが分離配置された携帯情報端末によれば、機械的な構造が発生せしめる単一の触覚のみしか与えることができず、操作者に採って、インパクトのある触覚となっていないのが現状である。しかも、ＪＯＧダイヤルは、そのキートップ部分を除く大部分が筐体内を占有する形態が採られる。従って、他の部品を取り付ける面積（スペース）が減少したり、当該入力装置を応用した電子機器のコンパクト化の妨げとなる。
【００１７】
ii．また、特許文献２や、特許文献３に見られるような電子機器によれば、各種方式のタッチパネルと表示部とを合わせたタッチ入力機能付きの入力装置が実装され、表示部でアイコンを選択した際に、その選択と同期した触覚を操作者に与えることができていない。
【００１８】
iii．因みに、複数の振動体と入力手段とを組み合わせて触覚機能付きの入力装置を構成し、その入力操作面上を直線的に接触操作して触覚を得ようとした場合に、特許文献１に見られるような表示部と入力手段とを分離配置する機構と、各種方式のタッチパネルと表示部とを合わせた入力機能とを単に組み合わせただけでは、製造プロセスが複雑化するばかりか、操作者が入力操作面上を接触操作する速度が異なると、満足な触覚が得られない事態を招くことが予想される。この結果、電子機器のコストアップにつながる。
【００１９】
iv．特許文献４及び５に見られるような入力装置によれば、ケーシングの所定の位置に設けられた窓孔から露出する操作釦をスライド操作して項目選択を行ったり、他の操作ノブを押圧操作してページ送りや、スクロール等の項目選択画面を切り替えている。しかし、操作機構が複雑となって、操作部の小型化や薄型化等の妨げとなったり、その操作性が低下したり、誤動作のおそれが懸念される。また、複雑な操作機構はコストアップにつながる。
【００２０】
ｖ．現在、本発明者らが特許出願中の入力装置によれば、なぞり入力操作及び押圧操作の機能を備え、なぞり入力操作に必要な共通部材となるセンサシートが一体化され、これを２つ折り返して、フレキシブル配線基板（ＦＰＣ基板）の部品取り時の歩留まり向上を目的としたものがある。しかし、ＦＰＣ基板の部品取り数を最大化できても、ＦＰＣ基板を２つに折り曲げる構造を採ることから操作部の小型化や薄型化等の妨げとなることが懸念される。従って、なぞり機能を持たない入力装置の構造に比べて、組み込み性が低下したり、コストアップにつながるという問題がある。
【００２１】
そこで、この発明はこのような従来の課題を解決したものであって、摺動位置検出用の検出電極とスイッチ部の接点構造を工夫して操作部の小型化、薄型化及びその操作性を向上できるようにすると共に、誤動作の低減、コストダウン及び製造プロセスを簡素化できるようにした入力装置及び電子機器を提供することを目的とする。
【課題を解決するための手段】
【００２２】
上述した課題は、操作体による摺動操作によって情報を入力する入力装置であって、操作面を有した筐体内に設けられ、操作体の摺動位置を検出して位置検出信号を出力する静電容量シート部材を含む検出部と、この検出部の全面を覆うように設けられ、筐体の操作面に沿って摺動操作される操作部とを備え、この操作部は、筐体の一方の操作面から摺動方向に沿って盛り上がり、かつ、他方の操作面に向かって盛り下がる凸部形状を有し、静電容量シート部材は、操作体の操作部への押し込み操作によってオン又は／及びオフするスイッチ部を有する第１の入力装置によって解決される。
【００２３】
本発明に係る第１の入力装置によれば、静電容量シート部材が、操作体の摺動位置を検出して位置検出信号を出力するシート状の検出電極を有しており、検出電極の一部がドーム状に隆起し、ドーム状に隆起した検出電極の部位がスイッチ部を構成する可動接点を成している。
【００２４】
従って、操作体による摺動操作によって情報を入力する場合に、当該入力装置を操作する操作体による摺動操作に対し、筐体の一方の操作面から摺動方向に沿って盛り上がる摺動操作感覚に加えて、他方の操作面に向かって盛り下がる摺動操作感覚を与えることができる。
【００２５】
また、操作体の操作部への押し込み操作に対して、ドーム状に一部隆起している検出電極の部位が成すスイッチ部の可動接点と当該スイッチ部を構成する固定接点とが接続される。従って、摺動位置検出用の静電容量シートを構成する検出電極と決定確認キー用のスイッチ部を構成する可動接点とを同一の静電容量シート部材で兼用できるようになる。
【００２６】
本発明に係る第１の電子機器は、操作面を有した筐体と、この筐体に設けられて操作体による摺動操作によって情報を入力する入力装置とを備え、入力装置は、筐体内に設けられ、操作体の摺動位置を検出して位置検出信号を出力する静電容量シート部材を含む検出部と、この検出部の全面を覆うように設けられ、筐体の操作面に沿って摺動操作される操作部とを有し、操作部は、筐体の一方の操作面から摺動方向に沿って盛り上がり、かつ、他方の操作面に向かって盛り下がる凸部形状を含み構成され、静電容量シート部材は、操作体の操作部への押し込み操作によってオン又は／及びオフするスイッチ部を含み構成されるものである。
【００２７】
本発明に係る第１の電子機器によれば、本発明に係る第１の入力装置が備えられるので、当該電子機器を操作する操作体による摺動操作に対し、筐体の一方の操作面から摺動方向に沿って盛り上がる摺動操作感覚に加えて、他方の操作面に向かって盛り下がる摺動操作感覚を与えることができる。また摺動位置検出用の静電容量シートを構成する検出電極と決定確認キー用のスイッチ部を構成する可動接点とを同一の静電容量シート部材で兼用できるようになる。
【００２８】
本発明に係る第２の入力装置は、操作体による摺動操作によって情報を入力する入力装置であって、操作面を有した筐体内に設けられ、操作体の摺動位置を検出して位置検出信号を出力する静電容量シート部材を含む検出部と、この検出部の全面を覆うように設けられ、筐体の操作面に沿って摺動操作される操作部とを備え、操作部は、筐体の一方の操作面から摺動方向に沿って堀り下がり、かつ、他方の操作面に向かって堀り上がる凹部形状を有し、静電容量シート部材は、操作体の操作部への押し込み操作によってオン又は／及びオフするスイッチ部を有するものである。
【００２９】
本発明に係る第２の入力装置によれば、静電容量シート部材が、操作体の摺動位置を検出して位置検出信号を出力するシート状の検出電極を有しており、検出電極の一部がドーム状に隆起し、ドーム状に隆起した検出電極の部位がスイッチ部を構成する可動接点を成している。
【００３０】
従って、操作体による摺動操作によって情報を入力する場合に、当該入力装置を操作する操作体による摺動操作に対し、筐体の一方の操作面から摺動方向に沿って堀り下がる摺動操作感覚に加えて、他方の操作面に向かって堀り上がる摺動操作感覚を与えることができる。
【００３１】
また、操作体の操作部への押し込み操作に対して、ドーム状に一部隆起している検出電極の部位が成すスイッチ部の可動接点と当該スイッチ部を構成する固定接点とが接続される。従って、摺動位置検出用の静電容量シートを構成する検出電極と決定確認キー用のスイッチ部を構成する可動接点とを同一の静電容量シート部材で兼用できるようになる。
【００３２】
本発明に係る第２の電子機器は、操作面を有した筐体と、筐体に設けられて操作体による摺動操作によって情報を入力する入力装置とを備え、入力装置は、筐体内に設けられ、操作体の摺動位置を検出して位置検出信号を出力する静電容量シート部材を含む検出部と、この検出部の全面を覆うように設けられ、筐体の操作面に沿って摺動操作される操作部とを有し、操作部は、筐体の一方の操作面から摺動方向に沿って掘り下がり、かつ、他方の操作面に向かって堀り上がる凹部形状を含み構成され、静電容量シート部材は、操作体の操作部への押し込み操作によってオン又は／及びオフするスイッチ部を含み構成されるものである。
【００３３】
本発明に係る第２の電子機器によれば、本発明に係る第２の入力装置が備えられるので、当該電子機器を操作する操作体による摺動操作に対し、筐体の一方の操作面から摺動方向に沿って堀り下がる摺動操作感覚に加えて、他方の操作面に向かって堀り上がる摺動操作感覚を与えることができる。
【００３４】
また、操作体の操作部への押し込み操作に対して、ドーム状に一部隆起している検出電極の部位が成すスイッチ部の可動接点と当該スイッチ部を構成する固定接点とが接続される。従って、摺動位置検出用の静電容量シートを構成する検出電極と決定確認キー用のスイッチ部を構成する可動接点とを同一の静電容量シート部材で兼用できるようになる。
【発明の効果】
【００３５】
本発明に係る第１の入力装置によれば、筐体の操作面に沿って摺動操作される操作部を備え、操作部は、筐体の一方の操作面から摺動方向に沿って盛り上がり、かつ、他方の操作面に向かって盛り下がる凸部形状を有し、静電容量シート部材は、操作体の操作部への押し込み操作によってオン又は／及びオフするスイッチ部を有するものである。
【００３６】
この構造によって、当該入力装置を操作する操作体による摺動操作に対し、筐体の一方の操作面から摺動方向に沿って盛り上がる摺動操作感覚に加えて、他方の操作面に向かって盛り下がる摺動操作感覚を与えることができる。
【００３７】
また、ドーム状に一部隆起している検出電極の部位が成すスイッチ部の可動接点と当該スイッチ部を構成する固定接点との接続構造が採れるので、摺動位置検出用の静電容量シートを構成する検出電極と決定確認キー用のスイッチ部を構成する可動接点とを同一の静電容量シート部材で兼用できるようになる。
【００３８】
これにより、従来方式の回転型のサイドジョグツールと異なる構造であって、当該サイドジョグツールとほぼ類似の操作感覚が得られるドームキー付きの非回転型のサイドジョグツール等を提供できるようになる。しかも、操作部の小型化、薄型化及びその操作性を向上できることから、当該入力装置の誤動作の低減、コストダウン、及び、製造プロセスの簡素化を図ることができる。
【００３９】
本発明に係る第１の電子機器によれば、本発明に係る第１の入力装置が備えられるので、当該電子機器を操作する操作体による摺動操作に対し、筐体の一方の操作面から摺動方向に沿って盛り上がる摺動操作感覚に加えて、他方の操作面に向かって盛り下がる摺動操作感覚を与えることができる。
【００４０】
また、ドーム状に一部隆起している検出電極の部位が成すスイッチ部の可動接点と当該スイッチ部を構成する固定接点との接続構造が採れるので、従来方式のドームキー付きの回転型のサイドジョグツールと異なる構造であって、当該サイドジョグツールとほぼ類似の操作感覚が得られるドームキー付きの非回転型のサイドジョグツール等を備えた電子機器を提供できるようになる。しかも、入力装置の小型化、薄型化及びその操作性を向上できることから、当該電子機器の誤動作の低減、コストダウン及び製造プロセスの簡素化を図ることができる。
【００４１】
本発明に係る第２の入力装置によれば、筐体の操作面に沿って摺動操作される操作部を備え、操作部は、筐体の一方の操作面から摺動方向に沿って堀り下がり、かつ、他方の操作面に向かって堀り上がる凹部形状を有し、静電容量シート部材は、操作体の操作部への押し込み操作によってオン又は／及びオフするスイッチ部を有するものである。
【００４２】
この構造によって、当該入力装置を操作する操作体による摺動操作に対し、筐体の一方の操作面から摺動方向に沿って堀り下がる摺動操作感覚に加えて、他方の操作面に向かって堀り上がる摺動操作感覚を与えることができる。
【００４３】
また、ドーム状に一部隆起している検出電極の部位が成すスイッチ部の可動接点と当該スイッチ部を構成する固定接点との接続構造が採れるので、第１の入力装置の非回転型のサイドジョグツール等に対して反転構造の非回転型のサイドジョグツール等を提供できるようになる。しかも、操作部の小型化、薄型化及びその操作性を向上できることから、当該入力装置の誤動作の低減、コストダウン、及び、製造プロセスの簡素化を図ることができる。
【００４４】
本発明に係る第２の電子機器によれば、本発明に係る第２の入力装置が備えられるので、当該電子機器を操作する操作体による摺動操作に対し、筐体の一方の操作面から摺動方向に沿って堀り下がる摺動操作感覚に加えて、他方の操作面に向かって堀り上がる摺動操作感覚を与えることができる。
【００４５】
また、ドーム状に一部隆起している検出電極の部位が成すスイッチ部の可動接点と当該スイッチ部を構成する固定接点との接続構造が採れるので、第１の入力装置の非回転型のサイドジョグツール等に対して反転構造の非回転型のサイドジョグツール等を提供できるようになる。しかも、入力装置の小型化、薄型化及びその操作性を向上できることから、当該電子機器の誤動作の低減、コストダウン及び製造プロセスの簡素化を図ることができる。
【発明を実施するための最良の形態】
【００４６】
続いて、この発明に係る入力装置及び電子機器の一実施例について、図面を参照しながら説明をする。
【実施例１】
【００４７】
図１Ａ及びＢは、本発明に係る第１の実施例としての入力装置１０を備えた携帯電話機１０１の構成例を示す斜視図である。
図１Ａに示す携帯電話機１０１は電子機器の一例を構成し、スライド型の筐体構造を有している。携帯電話機１０１は上部筐体１１ａ及び本発明に係る入力装置１０が実装される下部筐体１１ｂを有して構成される。上部筐体１１ａは下部筐体１１ｂ上を例えば上下方向でスライド自在に係合される。携帯電話機１０１は、図１Ｂに示すように下部筐体１１ｂ上の操作面を上部筐体１１ａで覆うような操作面スライド収納構造が採られる。
【００４８】
上部筐体１１ａには所定の大きさを有した表示部２９が設けられ、待ち受け画面や相手方電話番号等が表示される。表示部２９には液晶表示モニタが使用される。下部筐体１１ｂには入力装置１０が設けられる。入力装置１０は上部及び側部に操作面を有しており、上部操作面には数字「０」〜「９」のテンキーや、「＊」キー、「＃」キー等が配置された操作パネル１８を有している。
【００４９】
図２は、入力装置１０の内部構成例を示す断面図である。図２に示す入力装置１０は、操作体、例えば、操作者の親指（以下単に指３０ａという）による摺動操作によって情報を入力する装置である。
【００５０】
入力装置１０は、数字「０」〜「９」のテンキーや、「＊」キー、「＃」キー等の他に、回路基板１７、センサ１３及びキートップ１４を有して構成される。この例で、下部筐体１１ｂの所定の位置、例えば、下部筐体１１ｂの左側部の操作面には所定の大きさの開口部１１ｃが設けられている。
【００５１】
下部筐体１１ｂの内部には電子部品実装用の回路基板１７が配設されている。回路基板１７にはセンサ１３が設けられ、当該携帯電話機１０１を左手で操作する場合、操作者の親指等の指３０ａの摺動位置を検出するように動作する。センサ１３には摺動位置の加圧力を静電容量に変換して検出する静電容量シート部材が使用される。静電容量シート部材から成るセンサ１３が実装された場合、操作者の指の摺動位置を検出して位置検出信号を出力するようになされる。静電容量シート部材には、特許第３９２０８３３号公報に記載の「カーソル移動方法」や、特許第３９０９２３０号公報に記載の「座標入力装置」が応用できる。
【００５２】
センサ１３には静電容量シート部材の他にピエゾ抵抗効果を用いた圧力検出シート部材が使用される。圧力検出シート部材は、摺動位置の加圧力による抵抗変化を読み取って電気信号に変換するものである。圧力検出シート部材には特開２００５−３２６２９３号公報に記載の「力センサ、力検出システム及び力検出プログラム」が応用できる。圧力検出シート部材から成るセンサ１３が実装された場合、操作者の指の摺動位置の圧力を検出して圧力検出信号を出力するようになされる。
【００５３】
下部筐体１１ｂの左側部の操作面に開口された開口部１１ｃには、キートップ１４が組み合わされている。キートップ１４は操作部の一例を構成し、センサ１３の全面を覆うように設けられ、下部筐体１１ｂの左側部の操作面に沿って摺動操作される。例えば、キートップ１４は非操作面が平坦形状を成し、非操作面の周縁部にはフランジ１４ａ（つば状部）を有している。
【００５４】
キートップ１４は、その非操作面が下部筐体１１ｂの内側に向けて組み合わされ、フランジ１４ａが下部筐体１１ｂの左側部の開口部１１ｃに引っかかって抜け止めされる状態で実装される。キートップ１４には、下部筐体１１ｂの一方の操作面から摺動方向に沿って盛り上がり、かつ、他方の操作面に向かって盛り下がる凸部形状を有したものが使用される。
【００５５】
この例では、センサ１３の全面を覆うように設けられたキートップ１４の凸部形状は、所定の高さ及び幅を有した円弧を成す。キートップ１４は、円弧の形状に沿って摺動操作される。このようにすると、操作者の指３０ａによる摺動操作に対し、下部筐体１１ｂの一方の操作面から摺動方向に沿って円弧状に盛り上がる摺動操作感覚に加えて、他方の操作面に向かって盛り下がる円弧状の摺動操作感覚を与えることができる。従って、従来方式の回転型のサイドジョグツールと異なる構造であって、当該サイドジョグツールとほぼ類似の操作感覚が得られる非回転型のサイドジョグツール等を提供できるようになる。この形状のキートップ１４は、各種情報を検索する際、例えば、電話帳選択時、ファイル選択時、拡大縮小時のスクロールキー、あるいは、これらの決定キー、また、音量を調整する際のボリュームキー等の情報選択キーとして応用できる。
【００５６】
この例では、キートップ１４が下部筐体１１ｂの材質と異なる材質から構成されている。ここに、キートップ１４を構成する材質の表面粗度をＡとし、下部筐体１１ｂを構成する材質の表面粗度をＢとしたとき、表面粗度Ａと表面粗度Ｂとの間にはＡ＜Ｂなる関係が設定される。下部筐体１１ｂには例えば、ＰＣ樹脂や、ＡＢＳ樹脂、これら合成樹脂等が使用される。キートップ１４にはアルミニウム（Ａｌ）や、その合金等が使用される。全体的に下部筐体１１ｂの表面粗度Ｂよりも、キートップ１４を構成する突起部分において、その表面粗度Ａが小さいものが好ましい。突起部分をＰＣ樹脂や、ＡＢＳ樹脂、これら合成樹脂等で構成して、その表面にアルミニウムや、その合金等をコーティングしてもよい。
【００５７】
このようにキートップ１４の材質を構成すると、下部筐体１１ｂの左側部の操作面における摺動操作に比べて、左側部操作面から摺動方向に沿って盛り上がり、かつ、他方の操作面に向かって盛り下がる部分の摺動操作を円滑にできるようになり、操作者の指３０ａの摺動操作によって容易に情報を選択できるようになる。
【００５８】
この例では、センサ１３で操作者の指３０ａの摺動位置を検出する検出領域が、キートップ１４で当該作者の指３０ａによって摺動操作される操作領域よりも広く設定されている。このようにすると、操作者の指３０ａによる摺動操作に対し、凸部形状のキートップ１４を挟んだ下部筐体１１ｂの一方の操作面と、他方の操作面を摺動操作範囲に含めることができる。この形状のキートップ１４は、各種情報を検索する際のスクロールキーの検索ピッチや、音量を調整する際のボリュームキー等の音量調整ピッチを広く設定できるようになる。
【００５９】
図３は、キートップ１４の突出部分の寸法設定例を示す概念図である。図３に示す斜線部分は円弧凸形状を成している。図中、二点鎖線で示す線分は側部操作面Ｉに相当している。この円弧凸形状は、側部操作面Ｉと交差する円形を描画したときに、側部操作面Ｉの左側に形成される部分である。ここに、円形の直径はφであり、円形状の原点Ｏを基準にして、円弧凸形状の頂部と円弧凸形状の裾部とが成す角度をθとすると、円弧凸形状の円弧角は２θであり、この例では、２θ＝２×２９．２°である。また、側部操作面Ｉから左側に突出した円弧凸形状の突出距離をｄとし、その摺動方向の突出長さをｌとする。
【００６０】
このように側部操作面Ｉに対して、例えば、直径がφ＝２０ｍｍの円形及び、円弧角２θ＝５８．４°を設定すると、露出部分の突出距離ｄ＝１．３ｍｍ、その突出長さｌ＝１０．０８ｍｍ、その外周長さｌ’＝１０．１８ｍｍ程度のキートップ１４の突出部分の形状を得ることができる。
【００６１】
なお、円弧凸形状の露出部分の外周長さｌ’は２π・φ・θ／３６０°で与えられる。この例で、キートップ１４の露出部分の外周長さｌ’と摺動操作によりセンサ１３から得られるパルスの数を設定する場合、センサ１３から６パルスを得ようとする場合は、摺動距離は１．７ｍｍ／パルスに設定される。同様にして５パルスを得ようとする場合は、摺動距離は２．０３ｍｍ／パルスに設定され、４パルスを得ようとする場合は、摺動距離は２．５４５ｍｍ／パルスに設定され、３パルスを得ようとする場合は、摺動距離は３．３９ｍｍ／パルスに設定される。
【００６２】
図４は入力装置１０の検出感度例を示すグラフ図である。図４において、横軸は摺動方向のスライド位置である。縦軸はセンサ１３の検出感度である。図中、Ｘは上り開始部（第１裾部）の位置であり、キートップ１４を下部筐体１１ｂの一方の操作面から摺動方向に沿って摺動操作したとき、キートップ１４の円弧凸形状が盛り上がりを開始する位置である。Ｙは下り終了部（第２裾部）の位置であり、このキートップ１４を他方の操作面に向かって引き続き摺動操作したとき、キートップ１４の円弧凸形状が盛り下がりを終了する位置である。
【００６３】
この例で、センサ１３の検出感度に関しては、例えば、センサ１３に静電容量シート部材を使用した場合、キートップ１４の円弧凸形状の上り開始部Ｘより手前では一定（最高感度）の検出感度が得られる。また、上り開始部Ｘから下り終了部Ｙへ近づくに伴ってその検出感度が低下し、ほぼ中央部位で最低感度に至る。更に、中央部位から下り終了部Ｙへ近づくに伴ってその検出感度が上昇し、その下り終了部Ｙを越え、それ以降では一定（最高感度）の検出感度が得られる。このようなキートップ１４の突出距離ｄが摺動方向に対して、二次関数的に変化する凹状（逆Ω状）を成した検出感度のセンサ１３が使用される。
【００６４】
図５は入力装置１０の位置検出例を示すグラフ図である。図５において、横軸は摺動操作に係る時間である。縦軸はセンサ１３の位置検出情報である。図中、Ｘは上述の上り開始部（第１裾部）の位置であり、Ｙはその下り終了部（第２裾部）の位置である。
【００６５】
この例で、センサ１３の位置検出情報に関しては、例えば、センサ１３に静電容量シート部材を使用した場合、キートップ１４の円弧凸形状の上り開始部Ｘより手前から、一定の摺動速度で、下部筐体１１ｂの一方の操作面から摺動方向に沿って盛り上がり、かつ、他方の操作面に向かって盛り下がり、下り終了部Ｙを経て摺動するように操作すると、上り開始部Ｘと下り終了部Ｙとをほぼ直線で結ばれる位置情報を得ることができる。
【００６６】
この位置検出情報によれば、時刻ｔ１で上り開始部Ｘを通過すると、上り開始部Ｘを示す位置検出情報が得られ、時刻ｔ２で下り終了部Ｙを通過すると、下り終了部Ｙを示す位置検出情報が得られる。このようなキートップ１４の摺動操作に係る時間に対して、一次関数的に変化する位置検出情報が得られるセンサ１３が使用される。
【００６７】
従来方式では、操作体の摺動位置を位置検出情報の値のみで判別していたが、図４及び図５に示した検出感度及び位置検出情報を出力するセンサ１３を使用すると、位置検出情報の値と、位置検出情報及び検出感度の各々の時間変化率を併せて、操作体の摺動位置と押し込み力等を総合的に判断して、表示部２９に表示されたアプリケーションを入力処理できるようになる。これにより、当該入力装置１０において、ドームスイッチを組み合わせた場合に、意図せずにドームスイッチに触れてしまった場合等において、誤動作を防止できるようになる（第３の実施例参照）。
【００６８】
図６は、入力装置１０の操作範囲例を示す断面図である。図６において、（１）は入力装置１０の操作範囲であり、実際に操作者の指３０ａが摺動する範囲を示している。（２）はキートップ１４の突出領域（露出部分の突出長さｌ）を示している。（３）はセンサ１３における検出領域を示している。この検出領域の全面には静電容量シート部材や、圧力検出シート部材等が敷き詰められる。
【００６９】
この例では、入力装置１０の確実な操作性を実現するために、センサ１３の検出領域（３）＞キートップ１４の突出領域（２）なる関係に設定している。これは、操作者の指３０ａがキートップ１４上を摺動操作する際の摺動軌跡を考えたとき、キートップ１４の突出領域（２）の前後の領域を広い範囲に渡って指３０ａがなぞるためである。センサ１３の検出領域（３）を広く設定すると、１パルス当たりの移動量を多く確保できるようになる。
【００７０】
センサ１３には制御部１５が接続され、操作者の指３０ａの摺動操作速度を検出し、当該操作者の指３０ａの摺動操作速度に応じて表示部２９（図２、図７Ａ参照）におけるスクロール画像２９ａ’２９ｂ’の表示ピッチを調整するようになされる。スクロール画像２９ａ’，２９ｂ’は表示部で表示される。
【００７１】
図７Ａ及びＢは、入力装置１０におけるスライド量Ｓｘの設定例を示す断面図である。図７Ａに示す表示部２９には、センサ１３によって検出された操作者の指３０ａの摺動位置に対応してスクロール画像２９ａ’や２９ｂ’等を表示するようになされる。この例のスクロール画像２９ａ’は、選択項目が少ない表示文字選択等に係るアプリケーションによる表示である。このスクロール画面には、「大  こんにちは」、「中  こんにちは」及び「小  こんにちは」の文字アイコン画像が表示され、操作者がいずれかの文字の大きさを設定するように操作される。「こんにちは」の文字アイコン画像は徐々に小さく表示されている。
【００７２】
この例では、表示部２９の表示画面が８個の表示領域に区切られ、この４個の表示領域を使用して、表示文字選択に係るスクロール画像２９ａ’が表示されている。当該スクロール画像２９ａ’の表示ピッチはＰ１で表示される。表示部２９の画面の長さをＬ［ｍｍ］としたとき、１つ表示領域は、約Ｌ／８ｍｍである。例えば、表示部２９の画面の長さＬを４０ｍｍすると、１つ表示領域は５ｍｍで表示ピッチＰ１は５ｍｍである。表示ピッチＰ１＝５ｍｍに対して、１画面に収まる選択項目の個数ｘがＭａｘ個以下の場合には、例えば、キートップ１４のスライド量ＳｘとしてＳ１＝４ｍｍが設定される。
【００７３】
これに対して、図７Ｂに示す表示部２９には、表示ピッチＰ２でスクロール画像２９ｂが表示される。この例では、図７Ａに示した表示ピッチＰ１に比べて図７Ｂに示した表示ピッチＰ２は、Ｐ２＝Ｐ１／２に設定される場合である。この場合は、図７Ａの表示文字選択等に係るアプリケーションの表示に比べて選択項目が多く、電話番号登録欄から相手方の電話番号を検索するような入力処理が想定される。この電話番号登録欄には、例えば、着信履歴、発信履歴、発信頻度等の表示欄が設けられ、相手方の名前と共に電話番号が表示される。
【００７４】
図７Ａに示した表示部２９の画面の長さＬの例によれば、図７Ｂに示すように１つ表示領域は２．５ｍｍで表示ピッチＰ２は２．５ｍｍに切り替えられる。この例では、表示ピッチＰ２＝２．５ｍｍに対して、１画面に収まる選択項目の個数ｘがＭａｘ個を越える場合であって、例えば、キートップ１４のスライド量ＳｘとしてＳ２＝２ｍｍが設定される。これにより、表示部２９の１画面内に表示される選択項目の個数に応じて、キートップ１４の摺動操作におけるスライド量Ｓｘ＝Ｓ１，Ｓ２のように設定できるようになる。もちろん、センサ１３の電気的な検知領域（３）の長さと、スクロール方向に存在する選択項目の全個数とに基づいてキートップ１４のスライド量Ｓｘを任意に設定するようにしてもよい。
【００７５】
このように制御系を構成すると、情報検索時、操作者の指３０ａの摺動操作速度が速い場合は、表示部におけるスクロール画像２９ｂ’の表示ピッチＰｘを狭く設定すること、反対に、操作者の指３０ａの摺動操作速度が遅い場合には、表示部におけるスクロール画像２９ａ’の表示ピッチＰｘを広く設定するように調整できるようになる。従って、情報検索対象が複数存在する場合において、目的のスクロール画像から遠い場合は、スクロール画像を荒く飛ばすように送り、目的のスクロール画像に近づいたときは、ゆっくりとスクロール画像を送るように検索できるようになる。
【００７６】
図８Ａ〜Ｃは、入力装置１０の操作例を示す概念図である。この例では、当該入力装置１０を左手で操作する場合であって、下部筐体１１ｂの一方の操作面から摺動方向に沿って盛り上がり、かつ、他方の操作面に向かって盛り下がる円弧凸形状を有したキートップ１４が使用される。センサ１３には静電容量シート部材が使用され、センサ１３で操作者の指３０ａの摺動位置を検出する検出領域が、キートップ１４で当該操作者の指３０ａによって摺動操作される操作領域よりも広く設定されている場合を例に挙げる。
【００７７】
図８Ａにおいて、まず、操作者は入力装置１０の操作範囲（１）の上部に左手の親指を押し当てる。次に、操作者の指３０ａを下部筐体１１ｂの一方の操作面から摺動方向に沿って摺動する。このとき、下部筐体１１ｂ内では、操作者の指３０ａがセンサ１３における検出領域（３）上を摺動するようになる。
【００７８】
操作者の指３０ａでキートップ１４の露出部分の突出領域（２）上における摺動操作を続けると、上り開始部Ｘから盛り上がり、図８Ｂに示すキートップ１４の頂上部位に到達する。更に、突出領域（２）上における摺動操作を続けると、他方の操作面に向かって盛り下がり、図８Ｃに示すキートップ１４の下り終了部Ｙに到達する。
【００７９】
この例で、図８Ａ〜図８Ｃに摺動操作される間、センサ１３は、操作者の指３０ａの摺動位置を検出して位置検出信号＃Ｓ１を制御部１５に出力する。これにより、操作者の指３０ａによる摺動操作に対し、下部筐体１１ｂの一方の操作面から摺動方向に沿って円弧状に盛り上がる摺動操作感覚に加えて、他方の操作面に向かって盛り下がる円弧状の摺動操作感覚を与えることができる。しかも、従来方式の回転型のサイドジョグツールと異なる構造であって、当該サイドジョグツールとほぼ類似の操作感覚が得られる非回転型のサイドジョグツール等を提供できるようになる。
【００８０】
図９は入力装置１０におけるスライド量Ｓｘの設定例（固定値選択）を示すフローチャートである。この例では、図７Ａ及びＢに示したように、表示部２９の１画面内に収まる選択項目の個数ｘがＭａｘ個以下の場合には、キートップ１４のスライド量ＳｘとしてＳ１＝４ｍｍが設定され、１画面内に収まる選択項目の個数ｘがＭａｘ個を越える場合は、キートップ１４のスライド量ＳｘとしてＳ２＝２ｍｍが設定される場合を例に挙げる。
【００８１】
これらを設定条件にして、図９に示すフローチャートのステップＳＴ１で制御部１５は各種アプリケーションの入力指示を待機する。このとき、操作者は、例えば、選択項目が少ない表示文字選択等に係るアプリケーションや、表示文字選択等に係るアプリケーションの表示に比べて選択項目が多い電話番号登録欄のアプリケーション等のスクロール画像２９ｂ’の表示を入力装置１０を介して入力指示するように操作される。アプリケーションを指定する入力が無い場合、制御部１５は各種アプリケーション指定の待機を継続する。
【００８２】
各種アプリケーションを指定する入力が制御部１５に有った場合は、ステップＳＴ２に移行して制御部１５は、表示部２９の１画面内に選択項目を成すスクロール画像２９ａ’や２９ｂ’等が複数存在するか否かを判別する。この際の判別に関しては、スクロール方向に選択項目がいくつ存在するか否かを検出する。図７Ａに示したようなスクロール画像２９ａ’の表示例によれば、表示部２９の１画面内に表示ピッチが５ｍｍで最大８個（Ｍａｘ）の選択項目が表示可能とされ、先の表示例ではスクロール方向に存在する選択項目の個数ｘは４個の場合である。
【００８３】
この判別結果で、スクロール方向に存在する選択項目の個数ｘがＭａｘ個以下である場合は、ステップＳＴ３に移行して制御部１５は、スライド量ＳｘをＳ１＝４ｍｍに設定して選択項目を表示するように表示部２９を制御する。このとき、表示部２９は、制御部１５の表示制御を受けて、図７Ａに示したようなスクロール画像２９ａ’を表示するようになる。その後、ステップＳＴ１に戻る。
【００８４】
上述の選択項目の個数ｘがＭａｘ個を越える場合は、ステップＳＴ４に移行して制御部１５は、スライド量ＳｘをＳ２＝２ｍｍに設定して、選択項目の表示を切り替えるように表示部２９を制御する。このとき、表示部２９は、制御部１５の表示制御を受けて、例えば、図７Ａに示したような表示ピッチＰ１のスクロール画像２９ａ’から、図７Ｂに示したような表示ピッチＰ２のスクロール画像２９ｂ’を切り替えて表示するようになる。その後、ステップＳＴ１に戻る。これにより、表示部２９の１画面内に表示される選択項目の個数ｘに応じて、キートップ１４の摺動操作におけるスライド量Ｓｘ＝Ｓ１，Ｓ２のように設定できるようになる。
【００８５】
図１０は入力装置１０におけるスライド量Ｓｘの他の設定例（設定値可変）を示すフローチャートである。この例では、センサ１３の電気的な検知領域（３）の長さをＸｓ［ｍｍ］とする場合について例を挙げる。
【００８６】
これをスライド量Ｓｘの設定条件にして、図１０に示すフローチャートのステップＳＴ１１で制御部１５は各種アプリケーションの指定を待機する。このとき、操作者は、例えば、選択項目が少ない表示文字選択等に係るアプリケーションや、表示文字選択等に係るアプリケーションの表示に比べて選択項目が多い電話番号登録欄のアプリケーション等のスクロール画像２９ａ’や２９ｂ’等の表示を入力装置１０を介して入力するように操作される。アプリケーションを指定する入力が無い場合は、各種アプリケーション指定の待機を継続する。
【００８７】
各種アプリケーションを指定する入力が制御部１５に有った場合は、ステップＳＴ１２で移行して制御部１５は、スクロール方向に存在する選択項目の全個数Ｙｓを検出する。この例では、スクロール方向に選択項目がいくつ存在するか否かを検出する。例えば、当該アプリケーションに係る選択項目が格納されたメモリを検索して、スクロール方向に存在する選択項目の全個数Ｙｓ個を読み出す。
【００８８】
その後、ステップＳＴ３に移行して、制御部１５はキートップ１４のスライド量Ｓｘを演算して表示部２９へ設定する。この例では、スクロール方向に存在する選択項目の全個数をＹｓ個とし、センサ１３の電気的な検知領域（３）の長さＸｓ［ｍｍ］としたとき、制御部１５はＸｓ／Ｙｓ個を演算してスライド量Ｓｘ＝Ｘｓ／Ｙｓを表示部２９に設定する。その後、ステップＳＴ１１に戻る。これにより、センサ１３の電気的な検知領域（３）の長さＸｓと、スクロール方向に存在する選択項目の全個数Ｙｓとに基づいてキートップ１４のスライド量Ｓｘを任意に設定できるようになる。
【００８９】
このように、本発明に係る携帯電話機１０１によれば、第１の実施例に係る入力装置１０が備えられ、操作者の指３０ａによる一方向への摺動操作によって情報を入力する場合に、当該入力装置１０を操作する操作者の指３０ａによる摺動操作に対し、下部筐体１１ｂの一方の操作面から摺動方向に沿って盛り上がる摺動操作感覚に加えて、他方の操作面に向かって盛り下がる摺動操作感覚を与えることができる。
【００９０】
従って、従来方式の回転型のサイドジョグツールと異なる構造であって、当該サイドジョグツールとほぼ類似の操作感覚が得られる非回転型のサイドジョグツール等を提供できるようになる。しかも、キートップ１４の小型化、静電容量シートの薄型化及びその操作性を向上できることから、当該入力装置１０の誤動作の低減、コストダウン、及び、製造プロセスの簡素化を図ることができる。
【００９１】
この例では、図１に示したようにキートップ１４を下部筐体１１ｂの左側に設ける場合について説明したが、もちろん、これに限られることはなく、キートップ１４や、以下に述べる他のキートップ等の操作部は、下部筐体１１ｂの右側部の操作面や、その上又は下側の操作面、表又は裏面側の操作面等に設けてもよい。更に、上部筐体１１ａの左又は右側部の操作面や、その上又は下側の操作面、その表又は裏面側の操作面等に操作部を設けてもよい。下部筐体１１ｂの右側や上部筐体１１ａ等に設ける場合についても、同様な効果が得られることは言うまでもない。
【実施例２】
【００９２】
図１１は、第２の実施例としての入力装置２０の内部構成例を示す断面図である。この実施例では、振動体の機能を構成するアクチュエータ機能付きのスピーカー３６ｂが図１１に示す入力装置２０に設けられ、センサ１３によって検出された操作者の指３０ａの摺動位置に対して振動を発生するようになされる。スピーカー３６ｂには、図１２に示すようなスピーカー機能を兼用する振動体が使用される。スピーカー３６ｂは、例えば、下部筐体１１ｂの内側であって、キートップ１４の配設位置に近い部分に取り付けられる。
【００９３】
図１２は、アクチュエータ機能付きのスピーカー３６ｂの構成例を示す正面から見た断面図である。図１２に示すスピーカー３６ｂは、スピーカー機能の他に、触覚を発生させることのできるアクチュエータ機能を有している。このスピーカー３６ｂは、入力項目選択用の表示画面の中からアイコンを選択して情報を入力する際に操作者に対して触覚を提示する情報処理装置や、携帯電話機、携帯端末装置等に適用可能なものである。
【００９４】
スピーカー３６ｂは、ハウジング部６を有しており、構成部品が組み入れられた後に蓋部材１が係合される。ハウジング部６の大きさは、長さが１５［ｍｍ］程度で、幅が５［ｍｍ］程度、高さが３［ｍｍ］程度である。蓋部材１には所定部位に開口部が設けられている。この例では、音が外部に漏れ出るように４個の開口部１ａ，１ｂ，１ｃ，１ｄを有している。蓋部材１には、例えば、樹脂成型品が使用される。
【００９５】
ハウジング部６内にはヨーク５が配置されている。ヨーク５は有底筒状の凹部５ａを有しており、ハウジング部６内に可動自在に配されている。例えば、ヨーク５は、ハウジング部６内で２つの平型波形状のスプリングバネ５１，５２によって可動自在に支持されている。
【００９６】
この例で、スプリングバネ５１は、一端がヨーク５の凹部５ａの一方の縁部に接合され、他端がハウジング部６の一方の上縁部に固定されている。スプリングバネ５２は、一端がヨーク５の凹部の他方の縁部に接合され、他端がハウジング部６の他方の上縁部に固定されている。この例では、振動系を弾性的に支持するスプリング部材の形状が平型波形状になされている。
【００９７】
ハウジング部６内で可動自在に支持されるヨーク５の底部には、マグネット４（永久磁石）が固定されている。マグネット４には、例えば、円柱状を有したネオジウムが使用される。マグネット４の周囲には可動用のコイル３（ボイスコイル）が可動自在に配されている。コイル３は巻き軸部を有している。コイル３には音声信号や、振動発生信号等を供給するようになされる。
【００９８】
上述のコイル３の巻き軸部の一方の側には、振動板２が取り付けられており、その外縁部位は蓋部材１とハウジング部６とで挟持するようになされる。また、ハウジング部６の底面外部には引出電極７ａ，７ｂが設けられ、ハウジング部６内部ではコイル３に接続される。引出電極７ａ，７ｂには、音声信号や、振動発生信号等が入力される。
【００９９】
また、ハウジング部６の底面外部に設けられた２つの引出電極７ａ，７ｂの間であって、ハウジング部６の底面部には、例えば、２個の開口部６ａ，６ｂが設けられている。この２個の開口部６ａ，６ｂの外部側には、メッシュシール８ａ，８ｂが貼付されている。メッシュシール８ａは開口部６ａを覆うように、また、メッシュシール８ｂは開口部６ｂを覆うように設けられる。このメッシュシール８ａ，８ｂの機能は、ハウジング部６の内側と外側における呼吸機能を確保するためである。
【０１００】
引出電極７ａは端子７ｃを有し、引出電極７ｂは端子７ｄを有しており、ハウジング部６の側壁において、コイル３の引出線３ａ，３ｂに接続される。例えば、コイル３から引き出された一方の引出線３ａは、振動板２の一方の側の裏面を通って外縁部に至り、ハウジング部６の上縁部から外部へ取り出され、側壁を下方に移行して、端子７ｃに至り引出電極７ａに接続される。同様にして、コイル３から引き出された他方の引出線３ｂは、振動板２の他方の側の裏面を通って外縁部に至り、ハウジング部６の上縁部から外部へ取り出され、側壁を下方に移行して、端子７ｄに至り引出電極７ｂに接続される。
【０１０１】
なお、ヨーク５は有底筒状の凹部５ａの他に、左アーム５ｂ及び右アーム５ｃを有している。左アーム５ｂ、右アーム５ｃの下面には、おもり９ａ，９ｂが接合されている。右アーム５ｃの下面にも、接着剤を使用して、おもり９ｂを接合する。おもり９ａ，９ｂの左アーム５ｂの下面には、接着剤を使用して、おもり９ａを接合する。右アーム５ｃの下面にも、接着剤を使用して、おもり９ｂを接合する。おもり９ａ，９ｂの重さは、例えば、いずれも０．５９７［ｇ］程度である。これらのおもり９ａ，９ｂの厚みは、いずれも２ｍｍ前後であり、左アーム５ｂ、右アーム５ｃの各々の下面からハウジング部６の底面に至る間の距離にほぼ等しい。おもり９ａ，９ｂの下面とハウジング部６の底面との間には、極わずかな隙間を設けている。これは、おもり９ａ，９ｂの重さを確保しつつ、コイル巻き軸部の方向にけるヨーク５の上・下間のストローク（空間）を確保するためである。
【０１０２】
このように第２の実施例としての入力装置２０によれば、アクチュエータ機能付きのスピーカー３６ｂが実装され、入力操作時又は入力確定時に、操作者の指３０ａの摺動位置に対してスピーカー３６ｂで振動を発生させることができ、操作者の指３０ａに対して触覚を提示できるようになる。
【０１０３】
この例では、図１１に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例３】
【０１０４】
図１３は、第３の実施例としての入力装置３０の構成例を示す分解斜視図である。この実施例ではスイッチ部の一例を構成するドームスイッチ２５が設けられ、キートップ１４の押し込み操作によってオン又は／及びオフするように操作される。ドームスイッチ２５は回路基板１７の一部又は第１８の実施例で説明するような静電容量シート部材の検出電極の一部が応用される。
【０１０５】
図１３に示す入力装置３０は、先に説明した入力装置２０に対して、長方形状の押し子１９及び半球状のドームスイッチ２５が追加される。入力装置３０によれば、下部筐体１１ｂの開口部１１ｃにキートップ１４が組み込まれる。
【０１０６】
キートップ１４は、例えば、円弧凸形状を象った金型にＰＣ（ポリカーボネート）樹脂や、ＰＣ＋ＡＢＳ樹脂等を射出して成形したものが使用される。この例では、キートップ１４を成形した後、ＵＶ（紫外線）塗装を施す。例えば、摩耗性を向上させる溶液をキートップ１４の操作面に塗布する。その後、紫外線を照射して塗膜面を硬化させる。これにより、キートップ１４の操作面の耐摩耗性を向上させることができる。
【０１０７】
また、下部筐体１１ｂは、例えば、開口部１１ｃを象った金型にＰＣ（ポリカーボネート）樹脂や、ＰＣ＋ＡＢＳ樹脂等を射出して成形したものが使用される。
【０１０８】
下部筐体１１ｂを金属で形成する場合は、アルミニウム板や、マグネシウム板、ＳＵＳ３０４等のステンレス板を用い、これらの部材をプレス加工、深絞り加工、あるいは、押出し加工により、所定の位置に開口部１１ｃを有した下部筐体１１ｂを形成する。この例で、キートップ１４は、その非操作面が下部筐体１１ｂの内側に向けて組み合わされ、キートップ１４の鍔状のフランジ１４ａが開口部１１ｃの内側に引っ掛けられる。これにより、キートップ１４が開口部１１ｃから抜け出るのを防止される。
【０１０９】
キートップ１４の内側には、センサ１３、押し子１９、ドームスイッチ２５及び回路基板１７の順序で配置される。センサ１３は例えば、操作パネル１８で数字「０」〜「９」のテンキーや、「＊」キー、「＃」キー等を成すキートップアレイ方式の操作パネル３８に連続して形成される。操作パネル３８の個々のキーは矩形状を有している。操作パネル３８は、例えば、数字「０」〜「９」のテンキーや、「＊」キー、「＃」キー等を成す金型にシリコン樹脂等を射出してシリコンラバーを形成し、その後、シリコンラバーに静電容量シート又は、圧力検出シートを貼付して形成するようになされる。押し子１９はセンサ１３と回路基板１７の側部との間で挟持されるように配置される。回路基板１７は、例えば、フレキシブル配線板上にメタルドームを形成し、その上部に防水及び防塵シートを貼付したものが使用される。
【０１１０】
この例で、押し子１９は、ほぼセンサ１３の検出領域（３）と等しい長さを有している。押し子１９の平面上に静電容量シート部材等のセンサ１３を安定した姿勢で保持（裏打ち）するためである。回路基板１７にはドームスイッチ２５が実装される。ドームスイッチ２５は、スイッチ部２５ａ及びカバー部材２５ｂから構成される。スイッチ部２５ａはバネ部材及び電極部材から構成され、カバー部材２５ｂは絶縁部材から構成される。
【０１１１】
ドームスイッチ２５は、バネ部材の付勢力に打ち勝って強く指３０ａ等により押し込むことで、例えば、ＯＮする。ドームスイッチ２５から指３０ａを離すと、バネ部材の付勢力によって、キートップ１４を下部筐体１１ｂの開口部１１ｃへ当接するようになされる。回路基板１７にはドームスイッチ２５の他に操作パネル１８の数字「０」〜「９」のテンキーや、「＊」キー、「＃」キー等を成す複数のキースイッチが実装される。
【０１１２】
図１４は、入力装置３０の構成例及びその機能例を示す上面から見た断面図である。図１４に示す入力装置３０によれば、押し子１９のほぼ中央部位には突起部１９ａが設けられる。突起部１９ａは所定の突出長さを有した、例えば、円柱状を成し、その先端部で回路基板１７のドームスイッチ２５を押下できる位置に配置され、キートップ１４によって矢印の方向に押し込み操作される。図中、回路基板１７にはプリント配線１２が設けられ、ドームスイッチ２５から制御部１５（図６参照）へ配線され、オン又は／及びオフによるスイッチ信号を電送するようになされる。入力装置３０の操作例については図８を参照されたい。
【０１１３】
このように第３の実施例に係る入力装置３０によれば、回路基板１７の側部には、キートップ１４、センサ１３、押し子１９を介して押下されるドームスイッチ２５を備え、スクロール画像２９ａ’や２９ｂ’等の情報選択後、キートップ１４を押し込み操作するようになされる。従って、ドームスイッチ２５をオン又は／及びオフすることで、無回転型のキートップ１４においても、入力を決定する際の確定キーに応用できるようになった。
【０１１４】
この例では、図１４に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例４】
【０１１５】
図１５は、第４の実施例としての入力装置４０の内部構成例を示す断面図である。この実施例では、第２の実施例で説明したようなアクチュエータ機能付きのスピーカー３６ｂが図１５に示す入力装置４０に設けられ、センサ１３によって検出された操作者の指３０ａの摺動位置に対して振動を発生するようになされる。スピーカー３６ｂには、図１２に示したようなスピーカー機能を兼用する振動体が使用される。スピーカー３６ｂは、例えば、入力装置４０の下部筐体１１ｂの内側であって、キートップ１４の配設位置に近い部分に取り付けられる。その他の構成部品については、第１〜第３の実施例と同様であるのでその説明を省略する。入力装置４０の操作例については図８を参照されたい。
【０１１６】
このように第４の実施例としての入力装置４０によれば、第３の実施例に係る入力装置３０に対して、アクチュエータ機能付きのスピーカー３６ｂが実装され、入力操作時又は入力確定時に、第２の実施例と同様にして、操作者の指３０ａの摺動位置に対してスピーカー３６ｂで振動を発生させることができ、操作者の指３０ａに対して触覚を提示できるようになる。
【０１１７】
この例では、図１５に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例５】
【０１１８】
図１６は、第５の実施例としての入力装置５０の内部構成例を示す断面図である。この実施例では、押し子１９に代えて突起部材１９ｃが後付けされるものである。図１６に示す入力装置５０は、先に説明した入力装置４０から長方形状の押し子１９を削除し、その代わりに突起部材１９ｃを配置するようになされる。
【０１１９】
キートップ１４の内側には、センサ１３、突起部材１９ｃ、ドームスイッチ２５及び回路基板１７の順序で配置される。突起部材１９ｃはセンサ１３と回路基板１７の側部との間に挟持するように配置される。この例で、突起部材１９ｃは、ほぼセンサ１３の検出領域（３）のほぼ中央部位に例えば、接着剤で貼付するようになされる。もちろん、センサ１３の形成工程において、突起部材１９ｃを一体成形してもよい。
【０１２０】
この方法を採ったのは、第３の実施例で静電容量シート部材のセンサ１３を押し子１９の平面部位で裏打ちしていたのに対して、静電容量シート部材等の平面の折れ曲がり強度等が十分保持される場合は、裏打ち部材を省略できることによる。その他の構成部品については、第１〜第４の実施例と同様であるのでその説明を省略する。入力装置５０の操作例については図８を参照されたい。
【０１２１】
このように第５の実施例に係る入力装置５０によれば、回路基板１７の側部には、キートップ１４、センサ１３、突起部材１９ｃを介して押下されるドームスイッチ２５を備え、スクロール画像２９ａ’や２９ｂ’等の情報選択後、キートップ１４を押し込み操作するようになされる。従って、ドームスイッチ２５をオン又は／及びオフすることで、無回転型のキートップ１４においても、入力を決定する際の確定キーに応用できるようになった。しかも、突起部材１９ｃがセンサ１３に対して後付けされるので、部品点数及び部品コストを低減できるようになる。
【０１２２】
この例では、図１６に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例６】
【０１２３】
図１７は、第６の実施例としての入力装置６０の内部構成例を示す断面図である。この実施例では、裏面平坦形状のキートップ１４に代えて、裏面凹部状を有したキートップ１４１及び、押し子１９に代えて裏面凹部状を有したキートップ裏面挿入型の押し子１９１が備えられるものである。
【０１２４】
図１７に示す入力装置６０によれば、キートップ１４１の操作面は、図１〜図１６に示したキートップ形状と同一の円弧凸形状であるが、その裏面が凹部状を有している。この例で押し子１９１には、キートップ１４１の裏面凹部に挿入可能な凸部形状を成したものが使用される。例えば、キートップ１４１の内側凹部形状を象った金型に樹脂を封入してその凸形状を成した押し子１９１を形成する。押し子１９１のほぼ中央部位には、押し子１９と同様にして突起部９１ｂが設けられる。
【０１２５】
入力装置６０においても、下部筐体１１ｂの開口部１１ｃにキートップ１４１が組み込まれる。このとき、キートップ１４１は、第３の実施例と同様にして、その非操作面が下部筐体１１ｂの内側に向けて組み合わされ、キートップ１４１の鍔状のフランジ１４ａが開口部１１ｃの内側に引っ掛けられる。これにより、キートップ１４１が開口部１１ｃから抜け出るのを防止される。
【０１２６】
キートップ１４１の内側凹部には、センサ１３、押し子１９１、ドームスイッチ２５及び回路基板１７の順序で配置される。押し子１９１の突起部９２ｂはセンサ１３を押し込み可能な位置に配置される。押し子１９１はキートップ１４１の内側凹部にセンサ１３を沿うように配置される。この例でも、押し子１９１は、ほぼセンサ１３の検出領域（３）と等しい長さを有している。ドームスイッチ２５の機能については第３の実施例で説明しているので、その説明を省略する。もちろん、図示しないアクチュエータ機能付きのスピーカー３６ｂを備えてもよい。入力装置６０の操作例については図８を参照されたい。
【０１２７】
このように第６の実施例に係る入力装置６０によれば、回路基板１７の側部には、キートップ１４１、センサ１３、押し子１９１を介して押下されるドームスイッチ２５を備え、スクロール画像２９ａ’や２９ｂ’等の情報選択後、キートップ１４１を押し込み操作するようになされる。従って、ドームスイッチ２５をオン又は／及びオフすることで、無回転型の裏面凹部状を成すキートップ１４１においても、入力を決定する際の確定キーに応用できるようになる。この構造は、下部筐体１１ｂの内側面と回路基板１７との間に十分なスペース（離隔距離）を確保できない場合に、有利に働き、入力装置６０のコンパクト化に寄与するところが大きい。
【０１２８】
この例では、図１７に示したようにキートップ１４１を下部筐体１１ｂの左側に設ける場合について説明したが、もちろん、これに限られることはなく、下部筐体１１ｂの右側に設ける場合についても、同様な効果が得られることは言うまでもない。
【実施例７】
【０１２９】
図１８は第７の実施例としての入力装置７０の内部構成例を示す断面図である。この実施例では、裏面平坦形状のキートップ１４に代えて下部筐体１１ｄと裏面平坦形状のキートップ１４２とが一体成形されて成るものである。
【０１３０】
図１８に示す入力装置７０は、裏面平坦形状のキートップ付きの下部筐体１１ｄを有している。下部筐体１１ｄによれば、キートップ１４２の操作面は、図１〜図１６に示したキートップ形状と同一の円弧凸形状であるが、その本体が下部筐体１１ｄと一体成形されている。例えば、下部筐体１１ｄとキートップ１４２とを象った金型に樹脂を封入して円弧凸形状のキートップ付き下部筐体１１ｄを一体成形する。
【０１３１】
この例では、ドームスイッチ２５を押し込むために、キートップ１４２を下部筐体１１ｄの内側方向へ移動可能とする構造が採られる。例えば、キートップ１４２の上り開始部Ｘ付近と、下り終了部Ｙ付近を蛇腹状に加工する。蛇腹状に加工する部分は、下部筐体１１ｄを構成する樹脂材料の強度に応じて適宜設定すればよい。これにより、キートップ１４２の密閉構造と押し込み構造とを両立するようになされる。
【０１３２】
この例でも、キートップ１４２の内側には、センサ１３、押し子１９、ドームスイッチ２５及び回路基板１７の順序で配置される。センサ１３には第３の実施例で説明したものが使用される。押し子１９はセンサ１３と回路基板１７の側部との間で挟持されるように配置される。なお、ドームスイッチ２５の構成及び機能については第３の実施例で説明しているので、その説明を省略する。もちろん、図示しないアクチュエータ機能付きのスピーカー３６ｂを備えてもよい。入力装置７０の操作例については図８を参照されたい。
【０１３３】
このように第７の実施例としての入力装置７０によれば、裏面平坦形状のキートップ１４に代えて下部筐体１１ｄと裏面平坦形状のキートップ１４２とが一体成形されて成るものである。従って、第１〜第６の実施例で説明したように下部筐体１１ｂの開口部１１ｃにキートップ１４や、１４１等を組み入れる方法に比べて入力装置７０の組み立てが簡単になる。これにより、耐水性に富んだ入力装置７０を提供できるようになる。
【０１３４】
しかも、スクロール画像２９ａ’や２９ｂ’等の情報選択後、キートップ１４２を押し込み操作するようになされる。従って、ドームスイッチ２５をオン又は／及びオフすることで、無回転型の裏面密閉形状を成すキートップ１４２においても、入力を決定する際の確定キーに応用できるようになる。
【０１３５】
この例では、図１８に示したようにキートップ１４２を下部筐体１１ｄの左側に設ける場合について説明したが、もちろん、これに限られることはなく、下部筐体１１ｄの右側に設ける場合についても、同様な効果が得られることは言うまでもない。
【実施例８】
【０１３６】
図１９は、第８の実施例としての入力装置８０の内部構成例を示す断面図である。この実施例では、裏面平坦形状のキートップ１４２に代えて、下部筐体１１ｅと裏面凹部状を有したキートップ１４３とが一体成形されて成るものである。
【０１３７】
図１９に示す入力装置８０は、裏面凹部状を有したキートップ付きの下部筐体１１ｅを有している。下部筐体１１ｅによれば、キートップ１４３の操作面は、図１〜図１６に示したキートップ形状と同一の円弧凸形状であるが、その裏面が凹部状を有している。この例で押し子１９１には、キートップ１４３の裏面凹部に挿入可能な凸部形状を成したものが使用される。例えば、キートップ１４３の内側凹部形状を象った金型に樹脂を封入してその凸形状を成した押し子１９１を形成する。押し子１９１のほぼ中央部位には、押し子１９と同様にして突起部９１ｂが設けられる。
【０１３８】
入力装置８０においても、ドームスイッチ２５を押し込むために、キートップ１４３を下部筐体１１ｅの内側方向へ移動可能とする構造が採られる。例えば、キートップ１４３の上り開始部Ｘ付近と、下り終了部Ｙ付近を蛇腹状に加工する。蛇腹状に加工する部分は、下部筐体１１ｅを構成する樹脂材料の強度に応じて適宜設定すればよい。これにより、キートップ１４３の密閉構造と押し込み構造とを両立するようになされる。
【０１３９】
キートップ１４３の内側凹部には、センサ１３、押し子１９１、ドームスイッチ２５及び回路基板１７の順序で配置される。押し子１９１の突起部９２ｂはセンサ１３を押し込み可能な位置に配置される。押し子１９１はキートップ１４３の内側凹部にセンサ１３を沿うように配置される。この例でも、押し子１９１は、ほぼセンサ１３の検出領域（３）と等しい長さを有している。ドームスイッチ２５の機能については第３の実施例で説明しているので、その説明を省略する。もちろん、図示しないアクチュエータ機能付きのスピーカー３６ｂを備えてもよい。入力装置８０の操作例については図８を参照されたい。
【０１４０】
このように第８の実施例に係る入力装置８０によれば、裏面平坦形状のキートップ１４２に代えて、下部筐体１１ｅと裏面凹部状を有したキートップ１４３とが一体成形されて成るものである。
【０１４１】
従って、第１〜第７の実施例で説明したように下部筐体１１ｂの開口部１１ｃにキートップ１４や、１４１等を組み入れる方法に比べて入力装置８０の組み立てが簡単になる。これにより、耐水性に富んだ密閉構造の入力装置８０を提供できるようになる。
【０１４２】
しかも、スクロール画像２９ａ’や２９ｂ’等の情報選択後、キートップ１４３を押し込み操作するようになされる。従って、ドームスイッチ２５をオン又は／及びオフすることで、無回転型の裏面密閉形状を成すキートップ１４３においても、入力を決定する際の確定キーに応用できるようになる。更に、この構造は、下部筐体１１ｅの内側面と回路基板１７との間に十分なスペース（離隔距離）を確保できない場合に、有利に働き、入力装置８０のコンパクト化に寄与するところが大きい。
【０１４３】
この例では、図１９に示したようにキートップ１４３を下部筐体１１ｅの左側に設ける場合について説明したが、もちろん、これに限られることはなく、下部筐体１１ｅの右側に設ける場合についても、同様な効果が得られることは言うまでもない。
【実施例９】
【０１４４】
図２０Ａ〜Ｃは、第９の実施例としての入力装置９０の外観例を示す斜視図及び、その内部構成例を示す断面図である。
この実施例では、第８の実施例で説明した裏面平坦形状のキートップ１４３に代えて、下部筐体１１ｆと裏面凹部状を有したキートップ１４４とが一体成形されて成るものである。ドームスイッチ２５及び押し子１９１は省略される。
【０１４５】
図２０Ａに示す入力装置９０は、裏面凹部状を有したキートップ付きの下部筐体１１ｆを有している。下部筐体１１ｆによれば、キートップ１４４の操作面は、図１〜図１６に示したキートップ形状と同一の円弧凸形状であるが、その裏面が図２０Ｂに示すように凹部状を有している。例えば、キートップ１４４となる円弧凸形状を象った下部筐体用の金型に樹脂を封入してその部分が凸形状を成す下部筐体１１ｆを形成する。
【０１４６】
この例ではキートップ１４４の内側凹部にはセンサ１３が配置される。これにより、キートップ１４４を有した入力装置９０を密閉構造とすることができる。また、下部筐体１１ｆの内側であって、キートップ１４４に近い位置に、図１２に示したようなアクチュエータ機能付きのスピーカー３６ｂが備えられ、操作者の指３０ａに触覚を提示できるようになっている。
【０１４７】
上述の密閉構造では、下部筐体１１ｆの一部を円弧凸形状に突き出す方法が採られるが、図２０Ｃに示すように、下部筐体１１ｆ’と円弧凸形状のキートップ１４４’とを別個に作成して、下部筐体１１ｆ’の側面にキートップ１４４’を貼付する構造を採ってもよい。例えば、ＵＶ硬化樹脂等によりキートップ１４４’を下部筐体１１ｆ’の側面に接着するようにする。これにより、キートップ１４４’を有した入力装置９０’を密閉構造とすることができる。入力装置９０，９０’の操作例については図８を参照されたい。
【０１４８】
このように第９の実施例に係る入力装置９０によれば、第７の実施例で説明した裏面平坦形状のキートップ１４２に代えて、下部筐体１１ｆと裏面凹部状を有したキートップ１４４とが一体成形されて成るものである。
【０１４９】
従って、第１〜第６の実施例で説明したように下部筐体１１ｂの開口部１１ｃにキートップ１４や、１４１等を組み入れる方法に比べて入力装置９０の組み立てが簡単になる。これにより、耐水性に富んだ密閉構造の入力装置９０を提供できるようになる。もちろん、図２０Ｃに示したように、下部筐体１１ｆの平坦な側面に円弧凸形状のキートップ１４４を貼付する構造を採ってもよい。この構造は、下部筐体１１ｆの内側面と図示しない回路基板１７との間に十分なスペース（離隔距離）を確保できない場合に、有利に働き、入力装置９０，９０’のコンパクト化に寄与するところが大きい。なお、ドームスイッチ２５を省略したことによって、キートップ１４４，１４４’の上り開始部Ｘ付近と、下り終了部Ｙ付近は蛇腹状加工を省略することができる。
【０１５０】
この例では、図２０に示したようにキートップ１４４等を下部筐体１１ｆの左側に設ける場合について説明したが、もちろん、これに限られることはなく、下部筐体１１ｆの右側に設ける場合についても、同様な効果が得られることは言うまでもない。
【実施例１０】
【０１５１】
図２１Ａ〜Ｃは、第１０の実施例としての入力装置１００の構成例を示す斜視図及び断面図である。
この実施例では、第９の実施例で説明した円弧凸形状のキートップ１４４に代えて、下部筐体１１ｇと表面台形状を有したキートップ１４５とが一体成形されて成るものである。ドームスイッチ２５及び押し子１９１は省略される。
【０１５２】
図２１Ａに示す入力装置１００は、表面台形状かつ裏面凹部状を有したキートップ付きの下部筐体１１ｇを有している。下部筐体１１ｇによれば、キートップ１４５の操作面は、図１〜図１９に示したキートップ形状と異なり、台形状を有しており、その裏面が図２１Ｂに示すように凹部状を有している。例えば、キートップ１４５となる内側台形状を象った下部筐体用の金型に樹脂を封入してその部分が凸形状を成す下部筐体１１ｇを形成する。
【０１５３】
この例でも、キートップ１４５の内側凹部にはセンサ１３が配置される。これにより、キートップ１４５を有した入力装置１００を密閉構造とすることができる。また、下部筐体１１ｇの内側であって、キートップ１４５に近い位置に、図１２に示したようなアクチュエータ機能付きのスピーカー３６ｂが備えられ、操作者の指３０ａに触覚を提示できるようになっている。
【０１５４】
上述の密閉構造では、下部筐体１１ｇの一部を台形状に突き出す方法が採られるが、図２１Ｃに示すように、下部筐体１１ｇ’と台形状のキートップ１４５’とを別個に作成して、下部筐体１１ｇ’の側面にキートップ１４５’を貼付する構造を採ってもよい。例えば、ＵＶ硬化樹脂等によりキートップ１４５’を下部筐体１１ｇ’の側面に接着するようにする。これにより、キートップ１４５’を有した入力装置１００’を密閉構造とすることができる。入力装置１００，１００’の操作例については図８を参照されたい。
【０１５５】
このように第１０の実施例に係る入力装置１００によれば、第９の実施例で説明した円弧凸形状のキートップ１４４に代えて、下部筐体１１ｇと表面台形状を有したキートップ１４５とが一体成形されて成るものである。
【０１５６】
従って、第１〜第６の実施例で説明したように下部筐体１１ｂの開口部１１ｃにキートップ１４や、１４１等を組み入れる方法に比べて入力装置１００の組み立てが簡単になる。これにより、耐水性に富んだ密閉構造の入力装置１００を提供できるようになる。もちろん、図２１Ｃに示したように、下部筐体１１ｇの平坦な側面に台形状のキートップ１４５を貼付する構造を採ってもよい。この構造は、下部筐体１１ｇの内側面と図示しない回路基板１７との間に十分なスペース（離隔距離）を確保できない場合に、有利に働き、入力装置１００，１００’のコンパクト化に寄与するところが大きい。なお、ドームスイッチ２５を省略したことによって、キートップ１４５，１４５’の上り開始部Ｘ付近と、下り終了部Ｙ付近は蛇腹状加工を省略することができる。
【０１５７】
この例では、図２１に示したようにキートップ１４５等を下部筐体１１ｇの左側に設ける場合について説明したが、もちろん、これに限られることはなく、下部筐体１１ｇの右側に設ける場合についても、同様な効果が得られることは言うまでもない。
【実施例１１】
【０１５８】
図２２Ａ〜Ｃは、第１１の実施例としての入力装置１１０の構成例を示す斜視図及び断面図である。
この実施例では、第１０の実施例で説明した台形状のキートップ１４５に代えて、下部筐体１１ｈと表面ナメクジドーム形状を有したキートップ１４６とが一体成形されて成るものである。ドームスイッチ２５及び押し子１９１は省略される。
【０１５９】
図２２Ａに示す入力装置１１０は、表面ナメクジドーム形状かつ裏面凹部状を有したキートップ付きの下部筐体１１ｈを有している。下部筐体１１ｈによれば、キートップ１４６の操作面は、図１〜図２１に示したキートップ形状と異なり、ナメクジドーム形状を有しており、その裏面が図２２Ｂに示すように凹部状を有している。例えば、キートップ１４６となる内側ナメクジドーム形状を象った下部筐体用の金型に樹脂を封入してその部分が凸形状を成す下部筐体１１ｈを形成する。
【０１６０】
この例でも、キートップ１４６の内側凹部にはセンサ１３が配置される。これにより、キートップ１４６を有した入力装置１１０を密閉構造とすることができる。また、下部筐体１１ｈの内側であって、キートップ１４６に近い位置に、図１２に示したようなアクチュエータ機能付きのスピーカー３６ｂが備えられ、操作者の指３０ａに触覚を提示できるようになっている。
【０１６１】
上述の密閉構造では、下部筐体１１ｈの一部を台形状に突き出す方法が採られるが、図２２Ｃに示すように、下部筐体１１ｈ’と台形状のキートップ１４６’とを別個に作成して、下部筐体１１ｈ’の側面にキートップ１４６’を貼付する構造を採ってもよい。例えば、ＵＶ硬化樹脂等によりキートップ１４６’を下部筐体１１ｈ’の側面に接着するようにする。これにより、キートップ１４６’を有した入力装置１１０’を密閉構造とすることができる。入力装置１１０，１１０’の操作例については図８を参照されたい。
【０１６２】
このように第１１の実施例に係る入力装置１１０によれば、第１０の実施例で説明した台形状のキートップ１４５に代えて、下部筐体１１ｈと表面ナメクジドーム形状を有したキートップ１４６とが一体成形されて成るものである。
【０１６３】
従って、第１〜第６の実施例で説明したように下部筐体１１ｂの開口部１１ｃにキートップ１４や、１４１等を組み入れる方法に比べて入力装置１１０の組み立てが簡単になる。これにより、耐水性に富んだ密閉構造の入力装置１１０を提供できるようになる。もちろん、図２２Ｃに示したように、下部筐体１１ｈの平坦な側面に表面ナメクジドーム形状のキートップ１４６’を貼付する構造を採ってもよい。この構造は、下部筐体１１ｈの内側面と図示しない回路基板１７との間に十分なスペース（離隔距離）を確保できない場合に、有利に働き、入力装置１１０，１１０’のコンパクト化に寄与するところが大きい。なお、ドームスイッチ２５を省略したことによって、キートップ１４６，１４６’の上り開始部Ｘ付近と、下り終了部Ｙ付近は蛇腹状加工を省略することができる。
【０１６４】
この例では、図２２に示したようにキートップ１４６等を下部筐体１１ｈの左側に設ける場合について説明したが、もちろん、これに限られることはなく、下部筐体１１ｈの右側に設ける場合についても、同様な効果が得られることは言うまでもない。
【実施例１２】
【０１６５】
図２３Ａ〜Ｃは、第１２の実施例としての入力装置１２０の構成例を示す斜視図及び断面図である。
この実施例では、第１１の実施例で説明した表面ナメクジドーム形状のキートップ１４６に代えて、下部筐体１１ｉと表面蒲鉾ドーム形状を有したキートップ１４７とが一体成形されて成るものである。ドームスイッチ２５及び押し子１９１は省略される。
【０１６６】
図２３Ａに示す入力装置１２０は、表面蒲鉾ドーム形状かつ裏面凹部状を有したキートップ付きの下部筐体１１ｉを有している。下部筐体１１ｉによれば、キートップ１４７の操作面は、図１〜図２２に示したキートップ形状と異なり、蒲鉾ドーム形状を有している。この例で、キートップ１４７は、その幅をｗとし、下部筐体１１ｉの高さをｈとしたとき、ｗ＝ｈなる関係に形成されている。キートップ１４７の裏面は、図２３Ｂに示すように凹部状を有している。例えば、幅ｗのキートップ１４７となる内側蒲鉾ドーム形状を象った下部筐体用の金型に樹脂を封入してその部分が凸形状を成す高さｈの下部筐体１１ｉを形成する。
【０１６７】
この例でも、キートップ１４７の内側凹部にはセンサ１３が配置される。これにより、キートップ１４７を有した入力装置１２０を密閉構造とすることができる。また、下部筐体１１ｉの内側であって、キートップ１４７に近い位置に、図１２に示したようなアクチュエータ機能付きのスピーカー３６ｂが備えられ、操作者の指３０ａに触覚を提示できるようになっている。
【０１６８】
上述の密閉構造では、下部筐体１１ｉの一部を蒲鉾ドーム形状に突き出す方法が採られるが、図２３Ｃに示すように、下部筐体１１ｉ’と蒲鉾ドーム形状のキートップ１４７’とを別個に作成して、下部筐体１１ｉ’の側面にキートップ１４７’を貼付する構造を採ってもよい。例えば、ＵＶ硬化樹脂等によりキートップ１４７’を下部筐体１１ｉ’の側面に接着するようにする。これにより、キートップ１４７’を有した入力装置１２０’を密閉構造とすることができる。入力装置１２０，１２０’の操作例については図８を参照されたい。
【０１６９】
このように第１２の実施例に係る入力装置１２０によれば、第１１の実施例で説明したナメクジドーム形状のキートップ１４６に代えて、下部筐体１１ｉと表面蒲鉾ドーム形状を有したキートップ１４７とが一体成形されて成るものである。
【０１７０】
従って、第１〜第６の実施例で説明したように下部筐体１１ｂの開口部１１ｃにキートップ１４や、１４１等を組み入れる方法に比べて入力装置１２０の組み立てが簡単になる。これにより、耐水性に富んだ密閉構造の入力装置１２０を提供できるようになる。もちろん、図２３Ｃに示したように、下部筐体１１ｉの平坦な側面に表面蒲鉾ドーム形状のキートップ１４７’を貼付する構造を採ってもよい。この構造は、下部筐体１１ｉの内側面と図示しない回路基板１７との間に十分なスペース（離隔距離）を確保できない場合に、有利に働き、入力装置１２０，１２０’のコンパクト化に寄与するところが大きい。なお、ドームスイッチ２５を省略したことによって、キートップ１４７，１４７’の上り開始部Ｘ付近と、下り終了部Ｙ付近は蛇腹状加工を省略することができる。
【０１７１】
この例では、図２３に示したようにキートップ１４７等を下部筐体１１ｉの左側に設ける場合について説明したが、もちろん、これに限られることはなく、下部筐体１１ｉの右側に設ける場合についても、同様な効果が得られることは言うまでもない。
【実施例１３】
【０１７２】
図２４Ａ及びＢは、本発明に係る第１３の実施例としての携帯電話機１０２の構成例を示す斜視図である。
図２４Ａに示す携帯電話機１０２は電子機器の一例を構成し、スライド型の折り畳み式（クラム式）の筐体構造を有している。携帯電話機１０２は上部筐体１１ｘ及び下部筐体１１ｙを有して構成され、上部筐体１１ｘと下部筐体１１ｙとがヒンジ４８（１軸）により回動自在に係合されている。下部筐体１１ｙには、第１〜第１２の実施例で説明した入力装置１０〜入力装置１２０が適用される。もちろん、第２〜第１２の実施例で説明した入力装置２０〜入力装置１２０を第１の実施例で説明した携帯電話機１０１に適用してもよい。
【０１７３】
携帯電話機１０２は、図２４Ｂに示すように上部筐体１１ｘが下部筐体１１ｙ上の操作面を覆うような操作面蓋閉め収納構造が採られる。この例では、上部筐体１１ｘを閉じた状態で、その閉じ面には表示部２９に比べてサイズの小さいモニタ２９ａが設けられ、例えば、当該携帯電話機１０２のカメラ機能を利用する際に、モニタ２９ａをファインダー窓部として被写体映像を表示するようになされる。
【０１７４】
上部筐体１１ｘには第１の実施例で説明した携帯電話機１０１と同様にして、所定の大きさを有した表示部２９が設けられ、待ち受け画面や相手方電話番号等が表示される。表示部２９には液晶表示モニタが使用される。下部筐体１１ｙには、例えば入力装置４０が設けられ、操作者の指３０ａによる摺動操作によって情報を入力するように操作される。
【０１７５】
入力装置４０は上部及び側部に操作面を有しており、上部操作面には数字「０」〜「９」のテンキーや、「＊」キー、「＃」キー等が配置された操作パネル１８を有している。下部筐体１１ｙ内には操作者の指３０ａの摺動位置を検出するセンサ１３が設けられる。このセンサ１３の全面を覆うようにキートップ１４が設けられ、下部筐体１１ｙの操作面に沿って摺動操作される。キートップ１４は、下部筐体１１ｙの一方の操作面から摺動方向に沿って盛り上がり、かつ、他方の操作面に向かって盛り下がる凸部形状を含むものである（図１５参照）。
【０１７６】
図２５は、携帯電話機１０２の撮影時の取扱例を示す斜視図である。図２５に示す携帯電話機１０２には下部筐体１１ｙの底面にカメラ３４が配置されている。この例では、携帯電話機１０２を操作面蓋閉め収納状態にし、そのカメラ機能を利用して、被写体を撮影するとき、キートップ１４の操作面が上方に向くように操作者は左手３９ｃで保持する。そして、操作者の右手、人差し指３９ｂでズームイン摺動操作をしたり、シャッターを切るようにキートップ１４を使用することができる。キートップ１４は、シャッター機能に限られることはなく、画像の拡大縮小処理またはピント調整にも各種調整キーとして使用することができる。
【０１７７】
このように第１３の実施例に係る携帯電話機１０２によれば、本発明に係る第１〜第１２の入力装置１０〜１２０のいずれかが備えられるので、当該携帯電話機１０２を操作する操作者の指３９ｂによる摺動操作に対し、下部筐体１１ｙの一方の操作面から摺動方向に沿って盛り上がる摺動操作感覚に加えて、他方の操作面に向かって盛り下がる摺動操作感覚を与えることができる。しかも、シャッター操作時、アクチュエータ機能付きのスピーカー３６ｂによって触覚を提示できるようになる。
【０１７８】
従って、従来方式の回転型のサイドジョグツールと異なる構造であって、当該サイドジョグツールとほぼ類似の操作感覚が得られる非回転型のサイドジョグツール等を提供できるようになる。しかも、携帯電話機１０２の小型化及び操作性を向上できることから、当該携帯電話機１０２の誤動作の低減、コストダウン、及び、製造プロセスの簡素化を図ることができる。
【０１７９】
なお、携帯電話機１０２のミュージックプレーヤー機能を利用する場合は、モニタ２９ａを楽曲選択窓部としてタイトルや、ミュージシャンの名前等の映像をスクロール表示するようになされ、キートップ１４でスクロール操作したり、再生音のボリューム調整をできるようになる。
【０１８０】
この例では、図２４に示したようにキートップ１４を下部筐体１１ｙの左側に設ける場合について説明したが、もちろん、これに限られることはなく、下部筐体１１ｙの右側に設ける場合についても、同様な効果が得られることは言うまでもない。
【実施例１４】
【０１８１】
図２６Ａ及びＢは、本発明に係る第１４の実施例としての携帯電話機１０３の構成例を示す斜視図である。
図２６Ａに示す携帯電話機１０３は電子機器の一例を構成し、２軸ヒンジ型の折り畳み式の筐体構造を有している。携帯電話機１０３は上部筐体１１ｘ’及び下部筐体１１ｙ’を有して構成され、上部筐体１１ｘ’と下部筐体１１ｙ’とが２つのヒンジ４８ａ，４８ｂ（２軸）により回動自在に係合されている。ヒンジ４８ａは、第１３の実施例と同様にして上部筐体１１ｘと下部筐体１１ｙとを開閉自在に係合する。ヒンジ４８ｂは、ヒンジ４８ａと直交するように配置され、下部筐体１１ｙに対して上部筐体１１ｘを回動自在に係合する。下部筐体１１ｙ’には、第１〜第１２の実施例で説明した入力装置１０〜入力装置１２０が適用される。
【０１８２】
上部筐体１１ｘ’には第１の実施例で説明した携帯電話機１０１と同様にして、所定の大きさを有した表示部２９が設けられ、待ち受け画面や相手方電話番号等が表示される。表示部２９には液晶表示モニタが使用される。携帯電話機１０３は、モニタ２９ａを上方に向けた上部筐体１１ｘ’が下部筐体１１ｙ’上の操作面を覆うような第１の操作面蓋閉め収納構造（図２４Ｂ参照）と、図２６Ｂに示すように表示部２９を上方に向けた上部筐体１１ｘ’が下部筐体１１ｙ’上の操作面を覆うような第２の操作面蓋閉め収納構造とが採られる。
【０１８３】
この例では、表示部２９を上方に向けた上部筐体１１ｘ’を閉じた状態で、その閉じ面には表示部２９が向くようになされる。例えば、当該携帯電話機１０３の１セグテレビ機能を利用する際に、表示部２９をテレビ受像画面として表示するようになされる。下部筐体１１ｙ’には、例えば入力装置４０が設けられ、操作者の指３０ａによる摺動操作によって情報を入力するように操作される。
【０１８４】
入力装置４０は上部及び側部に操作面を有しており、上部操作面には数字「０」〜「９」のテンキーや、「＊」キー、「＃」キー等が配置された操作パネル１８を有している。下部筐体１１ｙ’内には操作者の指３０ａの摺動位置を検出するセンサ１３が設けられる。このセンサ１３の全面を覆うようにキートップ１４が設けられ、下部筐体１１ｙ’の操作面に沿って摺動操作される。キートップ１４は、下部筐体１１ｙ’の一方の操作面から摺動方向に沿って盛り上がり、かつ、他方の操作面に向かって盛り下がる凸部形状を含むものである（図１５参照）。
【０１８５】
図２７は、携帯電話機１０３のテレビ視聴時の取扱例を示す斜視図である。図２７に示す携帯電話機１０３では、当該携帯電話機１０３を第２の操作面蓋閉め収納状態にし、そのテレビ受像機能を利用して、放送番組を受像するとき、キートップ１４の操作面が上方に向くように、図示しない机上等に載置する。そして、操作者の右手、人差し指等でチャンネル選局摺動操作をしたり、チャンネル選局決定等を確定するようキートップ１４を使用することができる。キートップ１４は、チャンネル選局キーの他に、音量調整用のキーとしても使用できる。もちろん、相手に電話をかける場合及び、相手からの電話を受ける場合、メール作成時、文字入力操作、入力候補選択決定キーとしても使用してもよい。
【０１８６】
このように第１４の実施例に係る携帯電話機１０３によれば、本発明に係る第１〜第１２の入力装置１０〜１２０のいずれかが備えられるので、当該携帯電話機１０３を操作する操作者の指３９ｂによる摺動操作に対し、下部筐体１１ｙ’の一方の操作面から摺動方向に沿って盛り上がる摺動操作感覚に加えて、他方の操作面に向かって盛り下がる摺動操作感覚を与えることができる。しかも、選局決定操作時、アクチュエータ機能付きのスピーカー３６ｂによって触覚を提示できるようになる。
【０１８７】
従って、従来方式の回転型のサイドジョグツールと異なる構造であって、当該サイドジョグツールとほぼ類似の操作感覚が得られる非回転型のサイドジョグツール等を提供できるようになる。しかも、携帯電話機１０３の小型化及び操作性を向上できることから、当該携帯電話機１０３の誤動作の低減、コストダウン、及び、製造プロセスの簡素化を図ることができる。
【０１８８】
この例では、図２６に示したようにキートップ１４を下部筐体１１ｙ’の左側に設ける場合について説明したが、もちろん、これに限られることはなく、下部筐体１１ｙ’の右側に設ける場合についても、同様な効果が得られることは言うまでもない。
【実施例１５】
【０１８９】
図２８は、第１５の実施例としての入力装置１５０の構成例を示す斜視図である。この実施例では、第１〜第１２の実施例で説明した各種形状を有した筐体側面配置用のキートップ１４，１４１〜１４６に代えて、下部筐体１１ｊの操作パネル１８と、球面横一文字凸形状を有したキートップ１４８とが一体成形されるものである。
【０１９０】
図２８に示す入力装置１５０は、球面横一文字凸形状を有したキートップ付きの下部筐体１１ｊを有している。下部筐体１１ｊの上部は操作面となされ、上部操作面には数字「０」〜「９」のテンキーや、「＊」キー、「＃」キー等が配置された操作パネル１８を有している。下部筐体１１ｊによれば、キートップ１４８の操作面は、図１〜図２２に示したキートップ形状と異なり、球面横一文字凸形状に隆起している。キートップ１４８は、所定の高さ及び幅を有している。下部筐体１１ｊのキートップ１４８の内側の構造については、図１８、図１９又は図２０Ｂに示したようなセンサ１３の構造が採られる（図１８、図１９又は図２０Ｂ参照）。
【０１９１】
下部筐体１１ｊは、例えば、キートップ１４８となる球面横一文字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１４８を有した入力装置１５０を密閉構造とすることができる。また、下部筐体１１ｊの内側であって、キートップ１４８に近い位置に、図１２に示したようなアクチュエータ機能付きのスピーカー３６ｂが備えられ、操作者の指３０ａに触覚を提示できるようになっている。
【０１９２】
この例では、キートップ１４８は、球面横一文字凸形状に沿って摺動操作される。これにより、操作者の指３０ａによる摺動操作に対し、下部筐体１１ｊの一方の操作面から球面横一文字凸形状に沿って盛り上がる摺動操作感覚に加えて、他方の操作面に向かって円弧凸形状に盛り下がる摺動操作感覚を与えることができる。
【０１９３】
このように、第１５の実施例に係る入力装置１５０によれば、下部筐体１１ｊの操作パネル１８と、球面横一文字凸形状を有したキートップ１４８とが一体成形されて成るものである。従って、耐水性に富んだ密閉構造の入力装置１５０を提供できるようになる。しかも、球面横一文字円弧凸形状のキートップ１４８と、数字「０」〜「９」のテンキーや、「＊」キー、「＃」キー等を成す操作パネルとを別々に組み立てる方法に比べて入力装置１５０の組み立てが簡単になる。
【０１９４】
この例では、図２８に示したようにキートップ１４８を下部筐体１１ｊの表面側に設ける場合について説明したが、もちろん、これに限られることはなく、下部筐体１１ｊの裏面側に設ける場合についても、同様な効果が得られることは言うまでもない。
【実施例１６】
【０１９５】
図２９は、第１６の実施例としての入力装置１６０の構成例を示す斜視図である。この実施例では、第１〜第１２の実施例で説明した各種形状を有した筐体側面配置用のキートップ１４，１４１〜１４６に代えて、下部筐体１１ｊの操作パネル１８と、球面縦一文字凸形状を有したキートップ１４９とが一体成形されるものである。
【０１９６】
図２９に示す入力装置１６０は、球面縦一文字凸形状を有したキートップ付きの下部筐体１１ｋを有している。下部筐体１１ｋの上部は操作面となされ、上部操作面には数字「０」〜「９」のテンキーや、「＊」キー、「＃」キー等が配置された操作パネル１８を有している。下部筐体１１ｋによれば、キートップ１４９の操作面は、図２８に示したキートップ形状と異なり、球面縦一文字凸形状に隆起している。キートップ１４９は、所定の高さ及び幅を有している。下部筐体１１ｋのキートップ１４９の内側の構造については、図１８，図１９又は図２０Ｂに示したようなセンサ１３の構造が採られる（図１８、図１９又は図２０Ｂ参照）。
【０１９７】
下部筐体１１ｋは、例えば、キートップ１４９となる球面縦一文字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１４９を有した入力装置１６０を密閉構造とすることができる。また、下部筐体１１ｋの内側であって、キートップ１４９に近い位置に、図１２に示したようなアクチュエータ機能付きのスピーカー３６ｂが備えられ、操作者の指３０ａに触覚を提示できるようになっている。
【０１９８】
この例でキートップ１４９は、球面縦一文字凸形状に沿って摺動操作される。これにより、操作者の指３０ａによる摺動操作に対し、下部筐体１１ｋの他方の操作面から球面縦一文字凸形状に沿って盛り上がる摺動操作感覚に加えて、他方の操作面に向かって円弧凸形状に盛り下がる摺動操作感覚を与えることができる。
【０１９９】
このように、第１６の実施例に係る入力装置１６０によれば、下部筐体１１ｋの操作パネル１８と、球面縦一文字凸形状を有したキートップ１４９とが一体成形されて成るものである。従って、耐水性に富んだ密閉構造の入力装置１６０を提供できるようになる。しかも、球面縦一文字凸形状のキートップ１４９と、数字「０」〜「９」のテンキーや、「＊」キー、「＃」キー等を成す操作パネルとを別々に組み立てる方法に比べて入力装置１６０の組み立てが簡単になる。
【０２００】
この例では、図２９に示したようにキートップ１４９を下部筐体１１ｋの表面側に設ける場合について説明したが、もちろん、これに限られることはなく、下部筐体１１ｋの裏面側に設ける場合についても、同様な効果が得られることは言うまでもない。
【実施例１７】
【０２０１】
図３０は、第１７の実施例としての入力装置１７０の構成例を示す斜視図である。この実施例では、第１〜第１２の実施例で説明した各種形状を有した筐体側面配置用のキートップ１４，１４１〜１４６に代えて、下部筐体１１ｍの操作パネル１８と、球面十字凸形状を有したキートップ１５１とが一体成形されるものである。
【０２０２】
図３０に示す入力装置１７０は、球面十字凸形状を有したキートップ付きの下部筐体１１ｍを有している。下部筐体１１ｍの上部は操作面となされ、上部操作面には数字「０」〜「９」のテンキーや、「＊」キー、「＃」キー等が配置された操作パネル１８を有している。下部筐体１１ｍによれば、キートップ１５１の操作面は、図２９に示したキートップ形状と異なり、球面十字凸形状に隆起している。下部筐体１１ｍのキートップ１５１の内側の構造については、図１８、図１９又は図２０Ｂに示したようなセンサ１３の構造が採られる（図１８、図１９又は図２０Ｂ参照）。
【０２０３】
下部筐体１１ｍは、例えば、キートップ１５１となる球面十字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１５１を有した入力装置１７０を密閉構造とすることができる。また、下部筐体１１ｍの内側であって、キートップ１５１に近い位置に、図１２に示したようなアクチュエータ機能付きのスピーカー３６ｂが備えられ、操作者の指３０ａに触覚を提示できるようになっている。
【０２０４】
この例でキートップ１５１の球面十字凸形状は、図２８に示した球面横一文字凸形状と、図２９に示した球面縦一文字凸形状とを交差させた形状を有している。キートップ１５１は、球面横一文字凸形状に沿って摺動操作され、又は／及び、これと交差する球面縦一文字凸形状に沿って摺動操作される。これにより、操作者の指３０ａによる摺動操作に対し、下部筐体１１ｍの一方の操作面から球面横一文字凸形状に沿って盛り上がる摺動操作感覚に加えて、他方の操作面に向かって円弧凸形状に盛り下がる摺動操作感覚を与えること、及び、下部筐体１１ｍの他方の操作面から球面縦一文字凸形状に沿って盛り上がる摺動操作感覚に加えて、他方の操作面に向かって円弧凸形状に盛り下がる摺動操作感覚を与えることができる。
【０２０５】
このように、第１７の実施例に係る入力装置１７０によれば、下部筐体１１ｍの操作パネル１８と、球面十字凸形状を有したキートップ１５１とが一体成形されて成るものである。従って、耐水性に富んだ密閉構造の入力装置１７０を提供できるようになる。しかも、球面十字凸形状のキートップ１５１と、数字「０」〜「９」のテンキーや、「＊」キー、「＃」キー等を成す操作パネルとを別々に組み立てる方法に比べて入力装置１７０の組み立てが簡単になる。また、従来方式の十字キーと異なる構造であって、当該十字キーとほぼ類似の操作感覚が得られ、及び、当該球面十字凸形状のキートップ１５１は、情報を選択する情報選択キーとして応用できるようになる。
【０２０６】
この例では、図３０に示したようにキートップ１５１を下部筐体１１ｍの表面側に設ける場合について説明したが、もちろん、これに限られることはなく、下部筐体１１ｍの裏面側に設ける場合についても、同様な効果が得られることは言うまでもない。
【実施例１８】
【０２０７】
図３１は、第１８の実施例としての入力装置１８０の構成例を示す斜視図である。この実施例では、第１〜第１２の実施例で説明した各種形状を有した筐体側面配置用のキートップ１４，１４１〜１４６に代えて、操作パネル１８と、立体十字凸形状を有したキートップ１５２とが一体成形されて成る。キートップ１５２は、立体十字形状に沿って摺動操作され、また、その中央のキーパーツ８６ａ及び十字状部位のキーパーツ８６ｂ〜８６ｅで押下操作されるものである。
【０２０８】
この例で、キートップ１５２は５個のキーパーツ８６ａ〜８６ｅを有して構成される。キーパーツ８６ａは、円柱状を有してキートップ１５２の中央部に配設され、例えば、アプリケーション決定キーとして使用される。キーパーツ８６ｂ〜８６ｅは、所定の立体形状を有してキーパーツ８６ａを中心にして十字方向（縦（Ｙ）方向及び横（Ｘ）方向）に配置角度９０°を有して配設されている。
【０２０９】
キーパーツ８６ｂは、例えば、図示しない表示画面の下側方向への画像をスクロールする際のスクロール＆決定キーとして使用される。キーパーツ８６ｃは、同様にして、表示画面の上側方向への画像をスクロールする際のスクロール＆決定キーとして使用される。キーパーツ８６ｄは、同様にして、表示画面の左側方向への画像をスクロールする際のスクロール＆決定キーとして使用される。キーパーツ８６ｅは、同様にして、表示画面の右側方向への画像をスクロールする際のスクロール＆決定キーとして使用される。
【０２１０】
キートップ１５２は、第３の実施例と同様にして、操作パネル１８の開口部８２ｇを基準にした押下方向に対して可動自在に係合され、操作パネル１８の操作面の一方から摺動方向に沿って盛り上がり、かつ、他方の側部操作面に向かって盛り下がる凸部形状を十字形に有して、操作パネル１８の操作面に沿って十字に摺動操作される。
【０２１１】
図３１に示す入力装置１８０は、枠体付きの下部筐体１１ｎ及び、立体十字凸形状を有したキートップ付きの操作パネル１８から構成され、操作者の指等による摺動操作によって情報を入力するものである。下部筐体１１ｎは枠体８３を有しており、この枠体８３で画定された部分には操作パネル１８が取り付けられる。
【０２１２】
この操作パネル１８は数字「０」〜「９」のテンキーや、「＊」キー、「＃」キー等が配置された操作面を有している。下部筐体１１ｎによれば、操作面にはキートップ１５２が設けられ、図３０に示したキートップ形状と異なり、立体十字凸形状に隆起している。このキートップ１５２の下方側のセンサシート構造については、図１８、図１９又は図２０Ｂに示したようなセンサ１３の構造と異なり、パターン兼用の電極構造が採られる（図３２〜図３５参照）。
【０２１３】
操作パネル１８は、例えば、キートップ１５２となる立体十字凸形状や、当該操作パネル１８となる数字「０」〜「９」のテンキーや、「＊」キー、「＃」キー等を象った操作パネル成形用の金型に樹脂を封入してその部分が凸形状を成すように形成される。これにより、５つのキーパーツ８６ａ〜８６ｅから成るキートップ１５２を有した入力装置１８０を密閉構造とすることができる。また、下部筐体１１ｎの内側であって、キートップ１５２に近い位置に、図１２に示したようなアクチュエータ機能付きのスピーカー３６ｂが備えられ、操作者の指３０ａに触覚を提示できるようになっている。
【０２１４】
図３２は、静電センサシートを実装したＦＰＣ基板８１の構成例を示す平面図である。この例では、入力装置１８０には、静電容量シート部材の一例を構成する、図３２に示すようなフレキシブルな静電センサシート実装基板（以下単にＦＰＣ基板８１という）が使用される。ＦＰＣ基板８１には３個のスルーホール８８ａ〜８８ｃが設けられると共に、シート状の検出電極の一例となる５箇所のセンサシート８１ａ〜８１ｅが設けられる。各々のセンサシート８１ａ〜８１ｅには静電容量シートが使用され、操作者の指３０ａ等（図３４参照）の摺動位置を検出して位置検出信号＃Ｓ１を出力するように動作する。
【０２１５】
この例で、センサシート８１ａ〜８１ｅの検出電極は、一端が半円形で他端が矩形を有した半丸半角形状を有し、その一部、この例では半円形状部位がドーム状に隆起している。センサシート８１ａは、ＦＰＣ基板８１の表面において、配線パターン＃０１（中央）により引き出される。センサシート８１ｂは、ＦＰＣ基板８１の表面において、配線パターン＃０４（下）により引き出される。センサシート８１ｃは、ＦＰＣ基板８１の裏面からスルーホール８８ａを介して配線パターン＃０２（上）により引き出される。センサシート８１ｄは、ＦＰＣ基板８１の表面において、配線パターン＃０５（左）により引き出される。センサシート８１ｅは、ＦＰＣ基板８１の表面において、配線パターン＃０３（右）により引き出される。
【０２１６】
上述のドーム状に隆起したセンサシート８１ａの検出電極部位がドームスイッチ８５ａの可動側の接点電極を構成する（以下メタルドーム部５１１という）。他のセンサシート８１ｂの部位も同様にしてドームスイッチ８５ｂの可動側の接点電極を構成するメタルドーム部５１１となされ、センサシート８１ｃの部位がドームスイッチ８５ｃの可動側の接点電極を構成するメタルドーム部５１１となされ、センサシート８１ｄの部位がドームスイッチ８５ｄの可動側の接点電極を構成するメタルドーム部５１１となされ、センサシート８１ｅの部位がドームスイッチ８５ｅの可動側の接点電極を構成するメタルドーム部５１１となされている。
【０２１７】
この例でＹ方向のなぞりを検出する場合、制御部１５等の演算系は、配線パターン＃０２，＃０１，＃０４を介して伝達される、センサシート８１ｂ，８１ａ，８１ｃの出力レベルを検出して重心演算を実行する。Ｘ方向のなぞりを検出する場合、制御部１５等は、配線パターン＃０５，＃０１，＃０３を介して伝達される、センサシート８１ｄ，８１ａ，８１ｅの出力レベルを検出して重心演算を実行する。
【０２１８】
この例でＸ−Ｙ方向のなぞりを検出する場合、制御部１５等は、上述した２つの演算を同時に実行する。また、回転方向のなぞりを検出する場合、制御部１５等は、配線パターン＃０２，＃０３，＃０４，＃０５を介して伝達される、センサシート８１ｂ，８１ｃの出力レベルを検出して重心演算を実行する。Ｘ方向のなぞりを検出する場合、制御部１５等は、配線パターン＃０５，＃０１，＃０３を介して伝達される、センサシート８１ｂ〜８１ｅの出力レベルを検出して重心演算を実行し、その後、重心演算によって得られた値を位相に変換するようになされる。
【０２１９】
ＦＰＣ基板８１の一方の面（表面）には、ドーム状に隆起した部位を含むシート状のセンサシート８１ａ〜８１ｅが設けられると共に、センサシート８１ａでドーム状に隆起した部位の内側にはドームスイッチ８５ａを構成する固定側の接点電極５１２が設けられる。ＦＰＣ基板８１の他方の面（裏面）には、ドームスイッチ８５ａの固定側の接点電極５１２からスルーホール８８ｃを介して引き出される配線パターン＃００（ＧＮＤ）が設けられる。
【０２２０】
同様にして、センサシート８１ｂでドーム状に隆起した部位の内側にはドームスイッチ８５ｂを構成する固定側の接点電極５１２が設けられ、上述のドームスイッチ８５ａの固定側の接点電極５１２に接続されてスルーホール８８ｃを介して配線パターン＃００（ＧＮＤ）に接続される。センサシート８１ｃでドーム状に隆起した部位の内側にはドームスイッチ８５ｃを構成する固定側の接点電極５１２が設けられ、上述のドームスイッチ８５ａの固定側の接点電極５１２に接続され、スルーホール８８ｃを介して配線パターン＃００（ＧＮＤ）に接続される。
【０２２１】
センサシート８１ｄでドーム状に隆起した部位の内側にはドームスイッチ８５ｄを構成する固定側の接点電極５１２が設けられ、上述のドームスイッチ８５ａの固定側の接点電極５１２に接続され、スルーホール８８ｃを介して配線パターン＃００（ＧＮＤ）に接続される。センサシート８１ｅでドーム状に隆起した部位の内側にはドームスイッチ８５ｅを構成する固定側の接点電極５１２が設けられ、上述のドームスイッチ８５ａの固定側の接点電極５１２に接続され、スルーホール８８ｃを介して配線パターン＃００（ＧＮＤ）に接続される。
【０２２２】
上下・左右・中央の５つのドームスイッチ８５ａ〜８５ｅで「決定」を操作入力する場合、ドームスイッチ８５ａ〜８５ｅのメタルドーム部５１１の変形により、配線パターン＃００（ＧＮＤ）と配線パターン＃０２（上）とが接続され、配線パターン＃００（ＧＮＤ）と配線パターン＃０４（下）とが接続され、配線パターン＃００（ＧＮＤ）と配線パターン＃０５（左）とが接続され、配線パターン＃００（ＧＮＤ）と配線パターン＃０３（右）とが接続され、あるいは、配線パターン＃００（ＧＮＤ）と配線パターン＃０１（中央）とが接続される。配線パターン＃０１〜＃０５は制御部１５に接続され、センサシート８１ａ〜８１ｂの各々のなぞり検出信号Ｓ01〜Ｓ05は制御部１５に出力される。
【０２２３】
この例で、ＦＰＣ基板８１の表面側には５個のＬＥＤ素子８７ａ〜８７ｅが配置される。ＬＥＤ素子８７ａはＦＰＣ基板８１の表面側において、ドームスイッチ８５ａの右側に設けられる。同様にして、ＬＥＤ素子８７ｂはドームスイッチ８５ｂの下側に設けられ、ＬＥＤ素子８７ｃはドームスイッチ８５ｃの上側に設けられ、ＬＥＤ素子８７ｄはドームスイッチ８５ｄの左側に設けられ、ＬＥＤ素子８７ｅはドームスイッチ８５ｅの右側に設けられる。
【０２２４】
この例で、ドームスイッチ８５ａの固定側の接点電極５１２には、ＬＥＤ素子８７ａを取り付けるための−側の電極がＦＰＣ基板８１の表面で接続される。同様にしてドームスイッチ８５ｂの固定側の接点電極５１２には、ＬＥＤ素子８７ｂを取り付けるための−側の電極が接続される。ドームスイッチ８５ｃの固定側の接点電極５１２には、ＬＥＤ素子８７ｃを取り付けるための−側の電極が接続される。ドームスイッチ８５ｄの固定側の接点電極５１２には、ＬＥＤ素子８７ｄを取り付けるための−側の電極が接続される。ドームスイッチ８５ｅの固定側の接点電極５１２には、ＬＥＤ素子８７ｅを取り付けるための−側の電極が接続される。
【０２２５】
ＬＥＤ素子８７ａ，８７ｃ〜８７ｅの４個の＋側の電極はＦＰＣ基板８１の表面において、配線パターン＃０６（ＬＥＤ＋）に接続されて引き出される。ＬＥＤ素子８７ｂの＋側の１個の電極はＦＰＣ基板８１の裏面からスルーホール８８ｂを介して配線パターン＃０６（ＬＥＤ＋）に接続される。ＬＥＤ素子８７ａ，８７ｃ〜８７ｅは、配線パターン＃０６と配線パターン＃００との間に所定の電圧を印加することで点灯するようになる。
【０２２６】
このような電極構造によって、なぞり検出用のセンサシート８１ａ〜８１ｅと、ドームスイッチ８５ａ〜８５ｅの可動側の接点電極とが一体化されたＦＰＣ基板８１を提供できるようになる。なお、入力装置１８０の検出感度例については、現在、特許出願中（２００７−２４６０７１）の「入力装置及び電子機器」を参照されたい。
【０２２７】
図３３は、入力装置１８０の組立例を示す斜視図である。この実施例では、なぞり機能を実現するためのセンサシート８１ａ〜８１ｅにおけるなぞり検出用の電極パターンと、ＯＮ／ＯＦＦ機能を実現するドームスイッチ８５ａ等におけるメタルドーム部５１１がいずれも金属で形成可能なことに着目し、ドームスイッチ８５ａ等のメタルドーム部５１１をなぞり検出用のセンサシート８１ａ〜８１ｅとして兼用せしめる電極構造を採用している。
【０２２８】
これらを製造組立条件にして、まず、図３３に示す操作パネル１８を準備する。操作パネル１８は、例えば、キートップ１５２となる立体十字凸形状や、当該操作パネル１８となる数字「０」〜「９」のテンキーや、「＊」キー、「＃」キー等を象った操作パネル成形用の金型に樹脂を封入してキートップ１５２の部分が凸形状を成すように形成する。
【０２２９】
操作パネル成形用の金型は、キートップ１５２が５個のキーパーツ８６ａ〜８６ｅを有するように設計する。キーパーツ８６ａは、円柱状を有してキートップ１５２の中央部に配設され、例えば、アプリケーション決定キーとして使用される。キーパーツ８６ｂ〜８６ｅは、所定の立体形状を有してキーパーツ８６ａを中心にしてＸＹ方向に配置角度９０°を有するように設計する。なお、キートップ１５２においては、キーパーツ８６ａと押し子８２ａとを最初から同一の樹脂素材等により一体的に成形したものを使用してもよい。他のキーパーツ８６ｂ〜８６ｅについても同様である。
【０２３０】
このような操作パネル１８が準備できたら、ゴムシート部８２ｆを準備する。ゴムシート部８２ｆは静電センサシートの誘電体を形成する。ゴムシート部８２ｆにはシリコンゴムが使用される。この例で、ゴムシート部８２ｆは、キートップ１５２の中心部に位置する部分、すなわち、キーパーツ８６ａの非操作面側及び、キーパーツ８６ａを中心して４個のキーパーツ８６ｂ〜８６ｅを十字状に配置する。ここに配置された各々の非操作面側のゴムシート部８２ｆに、凸状の押し子８２ａ〜８２ｅを形成する。
【０２３１】
この例では、キーパーツ８６ａに対応して押し子８２ａを取り付ける。同様にして、キーパーツ８６ｂに対応して押し子８２ｂを取り付け、キーパーツ８６ｃに対応して押し子８２ｃを取り付け、キーパーツ８６ｄに対応して押し子８２ｄを取り付け、キーパーツ８６ｅに対応して押し子８２ｅを取り付けるようにする。
【０２３２】
ゴムシート部８２ｆが準備できたら、ＦＰＣ基板８１を準備する。ＦＰＣ基板８１には、５個の押下操作用のドームスイッチ８５ａ，８５ｂ，８５ｃ，８５ｄ，８５ｅ及び、これらのドームスイッチ８５ａ〜８５ｅのメタルドーム部５１１がセンサシート８１ａ〜８１ｅのなぞり検出用の電極パターンを兼用できるものを使用する。ＦＰＣ基板８１にはセンサシート８１ａ〜８１ｅの他に、ドライバ用のＩＣ装置４５や、図３２に示したような５個のＬＥＤ素子８７ａ，８７ｂ，８７ｃ，８７ｄ，８７ｅを実装する。
【０２３３】
操作パネル１８、ゴムシート部８２ｆ及びＦＰＣ基板８１が準備できたら、最初に図３１に示した下部筐体１１ｎにＦＰＣ基板８１を取り付ける。下部筐体１１ｎには金属製又は樹脂製のものを用意する。その後、ＦＰＣ基板８１上にゴムシート部８２ｆと操作パネル１８とを位置合わせして、ゴムシート部８２ｆ及び操作パネル１８の順に積層する。
【０２３４】
このとき、ゴムシート部８２ｆに取り付けられた５つの押し子８２ａ〜８２ｅと、キートップ１５２の５つのキーパーツ８６ａ〜８６ｅと、５つのドームスイッチ８５ａ〜８５ｅを位置合わせして実装する。例えば、ゴムシート部８２ｆの押し子８２ａとドームスイッチ８５ａとを位置合わせし、同押し子８２ｂとドームスイッチ８５ｂとを位置合わせし、同押し子８２ｃとドームスイッチ８５ｃとを位置合わせし、同押し子８２ｄとドームスイッチ８５ｄとを位置合わせし、同押し子８２ｅとドームスイッチ８５ｅとを位置合わせする。
【０２３５】
このようにすると、５つのキーパーツ８６ａ〜８６ｅが設けられた操作パネル１８と、５つのドームスイッチ８５ａ〜８５ｅが設けられたＦＰＣ基板８１との間に、上述の位置合わせ状態のゴムシート部８２ｆを再現性良く挟み込むことができる。この状態の操作パネル１８を下部筐体１１ｎの枠体８３に固定することにより、図３１に示したような入力装置１８０が完成する。
【０２３６】
図３４は、入力装置１８０の内部構成例を示す断面図である。図３４に示す入力装置１８０はＦＰＣ基板８１を有しており、ＦＰＣ基板８１は操作者の指３０ａの摺動位置を検出して位置検出信号＃Ｓ１を出力するシート状のセンサシート８１ａ〜８１ｅを有している。ＦＰＣ基板８１上にはゴムシート部８２ｆを介在させてキートップ１５２が組み合わされる。
【０２３７】
キートップ１５２は５個のキーパーツ８６ａ〜８６ｅを有し、かつ、所定の高さ及び幅を有した立体十字凸形状を成している。ゴムシート部８２ｆはセンサシート８１ａ〜８１ｅの全面を覆うように設けられる。キートップ１５２は、立体十字凸形状に沿って摺動操作され、又は／及び押下操作される。センサシート８１ａ〜８１ｅのなぞり検出用の電極パターンは、ドームスイッチ８５ａ〜８５ｅのメタルドーム部５１１を兼ね備えるものである。
【０２３８】
この例で、キーパーツ８６ａは、入力操作時、ドームスイッチ８５ａを押下してオンするように操作される。同様にして、キーパーツ８６ｂはドームスイッチ８５ｂを押下してオンするように操作される。キーパーツ８６ｃはドームスイッチ８５ｃを押下してオンするように操作される。図３４には示していないキーパーツ８６ｄはドームスイッチ８５ｄを押下してオンするように操作される。同様に図示しないキーパーツ８６ｅは、ドームスイッチ８５ｅを押下してオンするように操作される。
【０２３９】
この例では、センサシート８１ａ〜８１ｅで操作者の指３０ａの摺動位置を検出する検出領域が、キートップ１５２で当該操作者の指３０ａによって摺動操作される操作領域よりも広く設定されている。このようにすると、操作者の指３０ａによる摺動操作に対し、凸部形状のキートップ１５２を挟んだ操作パネル１８の左右の操作面と、上下の操作面を摺動操作範囲に含めることができる。この形状のキートップ１５２は、各種情報を検索する際のスクロールキーの検索ピッチや、カメラ起動時、光学レンズのズーム量を調整する際にズーム調整ピッチを円滑に設定できるようになる。
【０２４０】
これにより、操作者の指３０ａによる摺動操作に対し、下部筐体１１ｎの一方の操作面から立体十字凸形状の一の円弧状に沿って盛り上がる摺動操作感覚に加えて、他方の操作面に向かって同円弧状に沿って盛り下がる摺動操作感覚を与えること、及び、下部筐体１１ｎの他方の操作面から他の円弧状に沿って盛り上がる摺動操作感覚に加えて、他方の操作面に向かって同円弧状に盛り下がる摺動操作感覚を与えることができる。なお、図中、ｔａはゴムシート部８２ｆとセンサシート８１ｄ等との間を成す部品間距離であり、部品間距離ｔａは約０．２７ｍｍである。このような電極構造を採用することによって、入力装置１８０の薄型化できるようになった。
【０２４１】
続いて、入力装置１８０におけるドームスイッチ８５ａ等の動作例について説明する。図３５Ａ及びＢは、ドームスイッチ８５ａ等の動作例を示す断面図である。図３５Ａに示すドームスイッチ８５ａはオフの状態である。この状態は、ＦＰＣ基板８１の固定側の接点電極５１２に対してドームスイッチ８５ａ等で可動側の接点電極を構成するメタルドーム部５１１が離れている場合であり、両接点間が電気的に絶縁状態を保持している場合である。
【０２４２】
図３５Ｂに示すドームスイッチ８５ａはオンの状態である。この状態はキーパーツ８６ａが押下操作され、ドームスイッチ８５ａをオンするように操作された結果により生ずる。このオン状態によれば、ＦＰＣ基板８１の固定側の接点電極５１２に対してドームスイッチ８５ａ等のメタルドーム部５１１が撓んで、その可動側の接点電極が固定側の接点電極５１２に接触し、両接点間が電気的に導通状態を保持するようになった場合である。
【０２４３】
同様にして、キーパーツ８６ｂは、ドームスイッチ８５ｂを押下してオンするように操作される。キーパーツ８６ｃは、ドームスイッチ８５ｃを押下してオンするように操作される。キーパーツ８６ｄは、ドームスイッチ８５ｄを押下してオンするように操作される。キーパーツ８６ｅは、ドームスイッチ８５ｅを押下してオンするように操作される。上述のような電極構造を採用すると、入力装置１８０の小型化が図られ、携帯電話機等の電子機器のコストダウンを図ること、及び、ＦＰＣ基板の折り曲げ工程等を削減できることから製造プロセスの簡素化が実現できるようになった。
【０２４４】
このように、第１８の実施例に係る入力装置１８０によれば、下部筐体１１ｎの操作パネル１８と、立体十字凸形状を有したキートップ１５２とが一体成形されて成るものである。従って、耐水性に富んだ密閉構造の入力装置１８０を提供できるようになる。しかも、立体十字凸形状のキートップ１５２と、数字「０」〜「９」のテンキーや、「＊」キー、「＃」キー等を成す操作パネルとを別々に組み立てる方法に比べて入力装置１８０の組み立てが簡単になる。また、従来方式の十字キーと異なる構造であって、当該十字キーとほぼ類似の操作感覚が得られ、及び、当該立体十字凸形状のキートップ１５２は、情報を選択する情報選択キーとして応用できるようになる。
【０２４５】
なお、上述したキートップ１４１〜１４３，１４８〜１５２は、第１の実施例のキートップ１４の機能として利用することができ、キートップ１４４〜１４７は、ドームスイッチ機能を除く、第１の実施例のキートップ１４の機能として利用することができる。
【０２４６】
この例では、図３１に示したようにキートップ１５２を下部筐体１１ｎの表面側に設ける場合について説明したが、もちろん、これに限られることはなく、下部筐体１１ｎの裏面側に設ける場合についても、同様な効果が得られることは言うまでもない。
【０２４７】
続いて、変形例としての入力装置１８０’について説明する。図３６Ａ及びＢは、変形例としてのＦＰＣ基板８０１の表裏の構成例を示す平面図である。この変形例では、ＦＰＣ基板８０１に６個のスルーホール８８ｄ〜８８ｉが設けられ、当該ＦＰＣ基板８０１の表裏に異なった電極パターンを形成可能な構造が採れることに着目し、ＦＰＣ基板８０１の表面にセンサシート８１ａ’〜８１ｅ’を配置し、その裏面にドームスイッチ８５ａ〜８５ｅを配置している。そして、各々のドームスイッチ８５ａ〜８５ｅのメタルドーム部５１１を操作面に対して逆向きに取り付ける場合を前提としている。
【０２４８】
この例でも、入力装置１８０’には、図３６Ａ及びＢに示すようなフレキシブルな静電センサシート実装基板（以下単にＦＰＣ基板８０１という）が使用される。図３６Ａに示すシート状のＦＰＣ基板８０１の表面側には、なぞり検出用のセンサシート８１ａ’〜８１ｅ’が配置され、センサシート８１ａ’〜８１ｅ’は静電センサシートを構成する。ＦＰＣ基板８０１の表面に設けられたセンサシート８１ａ’〜８１ｅ’は、キートップ１５２への操作者の指３０ａ等（図４０参照）の摺動位置を検出して位置検出信号＃Ｓ１を出力するように動作する。
【０２４９】
この例で、センサシート８１ａ’〜８１ｅ’の検出電極は、一辺の長さが等しい正方形状を有している。この例では第１８の実施例のように検出電極が隆起しているわけでない。センサシート８１ａ’は、ＦＰＣ基板８０１の表面において、配線パターン＃０１（中央）により引き出される。センサシート８１ｂ’は、ＦＰＣ基板８０１の表面において、配線パターン＃０４（下）により引き出される。センサシート８１ｃ’は、ＦＰＣ基板８０１の表面において、配線パターン＃０２（上）により引き出される。
【０２５０】
センサシート８１ｄ’は、ＦＰＣ基板８０１の表面において、配線パターン＃０５（左）により引き出される。センサシート８１ｅ’は、ＦＰＣ基板８０１の表面において、配線パターン＃０３（右）により引き出される。配線パターン＃０１〜＃０５は制御部１５に接続され、センサシート８１ａ’〜８１ｅ’の各々のなぞり検出信号Ｓ01〜Ｓ05は制御部１５に出力される。位置検出信号＃Ｓ１は、例えば、なぞり検出信号Ｓ01〜Ｓ05の論理和出力値である。
【０２５１】
この例でＹ方向のなぞりを検出する場合、制御部１５等の演算系は、配線パターン＃０２，＃０１，＃０４を介して伝達される、センサシート８１ｂ’，８１ａ’，８１ｃ’の出力レベルを検出して重心演算を実行する。Ｘ方向のなぞりを検出する場合、制御部１５等は、配線パターン＃０５，＃０１，＃０３を介して伝達される、センサシート８１ｄ’，８１ａ’，８１ｅ’の出力レベルを検出して重心演算を実行する（図４２参照）。
【０２５２】
この例でＸ−Ｙ方向のなぞりを検出する場合、制御部１５は、上述した２つの演算を同時に実行する。また、回転方向のなぞりを検出する場合、制御部１５は、配線パターン＃０２，＃０３，＃０４，＃０５を介して伝達される、センサシート８１ｂ’，８１ｃ’の出力レベルを検出して重心演算を実行する。Ｘ方向のなぞりを検出する場合、制御部１５は、配線パターン＃０５，＃０１，＃０３を介して伝達される、センサシート８１ｂ’〜８１ｅ’の出力レベルを検出して重心演算を実行し、その後、重心演算によって得られた値を位相に変換するようになされる。
【０２５３】
図３６Ｂに示すＦＰＣ基板８０１の裏面側には、５個のドームスイッチ８５ａ〜８５ｅが配置されている。ドームスイッチ８５ａ〜８５ｅの各々が直径ｄφ、例えば、ｄφ＝２．８ｍｍ程度のメタルドーム部５１１を有している。メタルドーム部５１１は、ドームスイッチ８５ａ〜８５ｅの各々の可動側の接点電極を構成し、ドーム状部位の下面はＣ形状を成している。
【０２５４】
ＦＰＣ基板８０１の裏面において、ドームスイッチ８５ａのドーム状に隆起したメタルドーム部５１１の内側には当該ドームスイッチ８５ａを構成する固定側の接点電極５１２が設けられる。他のドームスイッチ８５ｂ〜８５ｅにおいても同様にして、固定側の接点電極５１２が設けられる。ドームスイッチ８５ａ〜８５ｅの各々の固定側の接点電極５１２は、ＦＰＣ基板８０１の裏面側において、メタルドーム部５１１の下方のＣ形状部位の開放端間を通過して配線される。その各々の固定側の接点電極５１２は相互に接続され、スルーホール８８ｇを介して表面側に引き出される配線パターン＃０６（ＬＥＤ＋）に接続される。
【０２５５】
ドームスイッチ８５ａで可動側の接点電極を構成するメタルドーム部５１１は、ＦＰＣ基板８０１の裏面側から、スルーホール８８ｅを介してその表面側に引き出される配線パターン＃０１（中央）に接続される。ドームスイッチ８５ｂで可動側の接点電極を構成するメタルドーム部５１１は、ＦＰＣ基板８０１の裏面側から、スルーホール８８ｈを介してその表面側に引き出される配線パターン＃０４（下）に接続される。ドームスイッチ８５ｃで可動側の接点電極を構成するメタルドーム部５１１は、ＦＰＣ基板８０１の裏面側から、スルーホール８８ｄを介してその表面側に引き出される配線パターン＃０２（上）に接続される。
【０２５６】
ドームスイッチ８５ｄで可動側の接点電極を構成するメタルドーム部５１１は、ＦＰＣ基板８０１の裏面側から、スルーホール８８ｉを介してその表面側に引き出される配線パターン＃０５（左）に接続される。ドームスイッチ８５ｅで可動側の接点電極を構成するメタルドーム部５１１は、ＦＰＣ基板８０１の裏面側から、スルーホール８８ｉを介してその表面側に引き出される配線パターン＃０３（右）に接続される。
【０２５７】
上下・左右・中央の５つのドームスイッチ８５ａ〜８５ｅで「決定」を操作入力する場合、ドームスイッチ８５ａ〜８５ｅのメタルドーム部５１１の変形により、配線パターン＃００（ＧＮＤ）と配線パターン＃０２（上）とが接続され、配線パターン＃００（ＧＮＤ）と配線パターン＃０４（下）とが接続され、配線パターン＃００（ＧＮＤ）と配線パターン＃０５（左）とが接続され、配線パターン＃００（ＧＮＤ）と配線パターン＃０３（右）とが接続され、あるいは、配線パターン＃００（ＧＮＤ）と配線パターン＃０１（中央）とが接続される。
【０２５８】
この例でＦＰＣ基板８０１の表面側に２個のＬＥＤ素子８７ａ，８７ｂが配置される。ＬＥＤ素子８７ａ，８７ｂはＦＰＣ基板８０１の表面側において、ドームスイッチ８５ｃの上部側に設けられる。ＬＥＤ素子８７ａ，８７ｂの−側の電極は配線パターン＃００（ＧＮＤ）に接続され、その＋側の電極が配線パターン＃０６（ＬＥＤ＋）に接続される。ＬＥＤ素子８７ａ，８７ｂは、配線パターン＃０６と配線パターン＃００との間に所定の電圧を印加することで点灯するようになる。
【０２５９】
このような電極構造によって、なぞり検出用のセンサシート８１ａ’〜８１ｅ’と、ドームスイッチ８５ａ〜８５ｅの可動側の接点電極とが表面側と裏面側とに分離されたＦＰＣ基板８０１を提供できるようになる。なお、入力装置１８０’の検出感度例については、現在、特許出願中（２００７−２４６０７１）の「入力装置及び電子機器」を参照されたい。なお、センサシート８１ａ’〜８１ｅ’のなぞり検出用のパターンは、図３７Ａ〜Ｅに示すものであってもよい。
【０２６０】
図３７Ａ〜Ｅは、入力装置１８０や１８０’等に適用可能ななぞり検出用の他のパターンの構成例を示す平面図である。図３７Ａに示すなぞり検出用のパターンＳＰ１は、１つが正方形状を有した４個のセンサシートから構成される。４個のセンサシートは、キートップ１５２の下部において、その座標系の第１象限〜第４象限に１つずつ配置される。
【０２６１】
図３７Ｂに示すなぞり検出用のパターンＳＰ２は、１つが正方形状を有した９個のセンサシートから構成される。９個のセンサシートは、キートップ１５２の下部においてマトリクス状に井桁に配置される。図３７Ｃに示すなぞり検出用のパターンＳＰ３は、１つが扇状を有した８個のセンサシートから構成される。８個のセンサシートは、キートップ１５２の下部において円形状に配置される。
【０２６２】
図３７Ｄに示すなぞり検出用のパターンＳＰ４は、１つが長方形状を有した８個のセンサシート及び、円形状を有した１個のセンサシートから構成される。８個のセンサシートは、キートップ１５２の下部において円形状を有したセンサシートの円周に円形状に放射状に配置される。
【０２６３】
図３７Ｅに示すなぞり検出用のパターンＳＰ５は、１つが櫛形状を有した６個のセンサシートから構成される。２個のセンサシートの櫛形状部位を噛み合わせて３組の噛み合わせパターンとし、この３組の噛み合わせパターンを並べて配置するようになされる。これらによっても、操作者の指３０ａ等の摺動位置を検出できるようになる。もちろん、これらのなぞり検出用のパターンＳＰ１〜ＳＰ５をドームスイッチ８５の接点電極のパターンに応用してもよい。
【０２６４】
図３８は、変形例としての入力装置１８０’の組立例を示す斜視図である。この変形例では、ＦＰＣ基板８０１の表裏に異なった電極パターンを形成可能な構造が採れることに着目し、ＦＰＣ基板８０１の表面側にセンサシート８１ａ’〜８１ｅ’を配置し、その裏面側にドームスイッチ８５ａ〜８５ｅを配置している。そして、各々のドームスイッチ８５ａ〜８５ｅのメタルドーム部５１１を操作面に対して逆向きに取り付ける場合を前提としている。
【０２６５】
これらを製造組立条件にして、まず、図３８に示す操作パネル１８を準備する。操作パネル１８については、キートップ１５２を含めて第１８の実施例で説明しているのでその説明を省略する。
【０２６６】
このような操作パネル１８が準備できたら、ゴムシート部８２ｆ’を準備する。ゴムシート部８２ｆ’は静電センサシートの誘電体を形成する。ゴムシート部８２ｆ’にはシリコンゴムが使用される。この例では押し子はドームスイッチ８５ａ等の下方に設けられるので、キーパーツ８６ａ等に対応した押し子８２ａ等の取り付け工程や一体化の成形工程が省略される。
【０２６７】
ゴムシート部８２ｆ’が準備できたら、ＦＰＣ基板８０１を準備する。この例で、ＦＰＣ基板８０１の表面側においては、なぞり検出用の電極パターンを形成して５箇所のセンサシート８１ａ’〜８１ｅ’を配置する。ＦＰＣ基板８０１の表面側にはセンサシート８１ａ’〜８１ｅ’の他に、ドライバ用のＩＣ装置４５や、図３６Ａに示したような２個のＬＥＤ素子８７ａ，８７ｂを実装する。
【０２６８】
ＦＰＣ基板８０１の裏面側においては、可動側の接点電極を構成するメタルドーム部５１１及び固定側の接点電極５１２を形成して、５個のドームスイッチ８５ａ〜８５ｅを配置する。各々のドームスイッチ８５ａ〜８５ｅの下方には押し子に相当する突起部を設ける。例えば、ドームスイッチ８５ａのメタルドーム部５１１の下方に突起部８２ａ’を形成し、ドームスイッチ８５ｂのメタルドーム部５１１の下方に突起部８２ｂ’を形成し、ドームスイッチ８５ｃのメタルドーム部５１１の下方に突起部８２ｃ’を形成し、ドームスイッチ８５ｄのメタルドーム部５１１の下方に突起部８２ｄ’を形成し、ドームスイッチ８５ｅのメタルドーム部５１１の下方に突起部８２ｅ’を形成する。
【０２６９】
操作パネル１８、ゴムシート部８２ｆ’及びＦＰＣ基板８０１が準備できたら、最初に図３１に示したような下部筐体１１ｎにＦＰＣ基板８０１を取り付ける。下部筐体１１ｎには金属製又は樹脂製のものを用意する。この例で、下部筐体１１ｎには、突起部８２ａ’〜８２ｅ’が当接され、更に、ドームスイッチ８５ａ〜８５ｅの各々のメタルドーム部５１１が撓む程度の強固な平面部８９が設けられる。そして、ＦＰＣ基板８０１上にゴムシート部８２ｆ’と操作パネル１８とを位置合わせして、ゴムシート部８２ｆ’及び操作パネル１８の順に積層する。
【０２７０】
このようにすると、５つのキーパーツ８６ａ〜８６ｅが設けられた操作パネル１８と、５つのドームスイッチ８５ａ〜８５ｅが設けられたＦＰＣ基板８０１との間に、上述の位置合わせ状態のゴムシート部８２ｆ’を再現性良く挟み込むことができる。この状態の操作パネル１８を下部筐体１１ｎの枠体８３に固定することにより、入力装置１８０’が完成する（図３１参照）。
【０２７１】
図３９は、キートップ１５２の個々のキーパーツ８６ａ〜８６ｃの幅とドームスイッチ８５ａ〜８５ｃ等の幅との関係例を示す入力装置１８０’の断面図である。図３９に示す入力装置１８０’はＦＰＣ基板８０１を有しており、その表面側に図３８で示したようなセンサシート８１ａ’〜８１ｅ’が配置され、その裏面側にはドームスイッチ８５ａ〜８５ｅが配置されている。当該ＦＰＣ基板８０１上にはゴムシート部８２ｆ’を介在させてキートップ１５２が組み合わされる。
【０２７２】
キートップ１５２は５個のキーパーツ８６ａ〜８６ｅを有し、かつ、所定の高さ及び幅を有した立体十字凸形状を成している。ゴムシート部８２ｆ’は図示しないセンサシート８１ａ’〜８１ｅ’の全面を覆うように設けられる。キートップ１５２は、立体十字凸形状に沿って摺動操作され、又は／及び押下操作される。
【０２７３】
この例でも、センサシート８１ａ’〜８１ｅ’で操作者の指３０ａの摺動位置を検出する検出領域が、キートップ１５２で当該操作者の指３０ａによって摺動操作される操作領域よりも広く設定されている。このようにすると、操作者の指３０ａによる摺動操作に対し、凸部形状のキートップ１５２を挟んだ操作パネル１８の左右の操作面と、上下の操作面を摺動操作範囲に含めることができる。
【０２７４】
この例では、更に、図３９に示すキートップ１５２のキーパーツ８６ａの幅をα１とし、ドームスイッチ８５ａの幅をβ１としたとき、当該キーパーツ８６ａの幅α１とドームスイッチ８５ａの幅β１との間にはα１＞β１なる関係が設定される。同様にして、キーパーツ８６ｂの幅をα２とし、ドームスイッチ８５ｂの幅をβ２としたとき、当該キーパーツ８６ｂの幅α２とドームスイッチ８５ｂの幅β２との間にはα２＞β２なる関係が設定される。キーパーツ８６ｃの幅をα３とし、ドームスイッチ８５ｃの幅をβ３としたとき、当該キーパーツ８６ｃの幅α３とドームスイッチ８５ｃの幅β３との間にはα３＞β３なる関係が設定される。
【０２７５】
このように、キーパーツ８６ａの幅α１とドームスイッチ８５ａの幅β１との間にα１＞β１なる関係を設定すると、キーパーツ８６ａから、ゴムシート部８２ｆ’を介してドームスイッチ８５ａへ押圧力が再現性良く伝達され、そのメタルドーム部５１１を撓ませることができ、オン及びオフ操作を精度良く実行できるようになる。他のキーパーツ８６ｂ〜８６ｅとドームスイッチ８５ｂ〜８５ｅについても同様に設定されるので、ドームスイッチ８５ｂ〜８５ｅにおいても、そのメタルドーム部５１１を各々の撓ませることができ、オン及びオフ操作を精度良く実行できるようになる。
【０２７６】
図４０は、入力装置１８０’の内部構成例を示す断面図である。図４０に示す入力装置１８０’はＦＰＣ基板８０１を有しており、ＦＰＣ基板８０１は、操作者の指３０ａの摺動位置を検出して位置検出信号＃Ｓ１を出力するシート状のセンサシート８１ａ’〜８１ｅ’を有している。
【０２７７】
この例で、キーパーツ８６ａは、入力操作時、ドームスイッチ８５ａを押下してオンするように操作される（図４１参照）。同様にして、キーパーツ８６ｂはドームスイッチ８５ｂを押下してオンするように操作される。キーパーツ８６ｃはドームスイッチ８５ｃを押下してオンするように操作される。図４０には示していないキーパーツ８６ｄはドームスイッチ８５ｄを押下してオンするように操作される。同様に図示しないキーパーツ８６ｅは、ドームスイッチ８５ｅを押下してオンするように操作される。
【０２７８】
これにより、操作者の指３０ａによる摺動操作に対し、下部筐体１１ｎの一方の操作面から立体十字凸形状の一の円弧状に沿って盛り上がる摺動操作感覚に加えて、他方の操作面に向かって同円弧状に沿って盛り下がる摺動操作感覚を与えること、及び、下部筐体１１ｎの他方の操作面から他の円弧状に沿って盛り上がる摺動操作感覚に加えて、他方の操作面に向かって同円弧状に盛り下がる摺動操作感覚を与えることができる。なお、図中、ｔａ’はゴムシート部８２ｆ’のセンサシート８１ｄ’との間を成す部品間距離であり、部品間距離ｔａ’は約０．２７ｍｍである。このような電極構造を採用することによって、入力装置１８０’の薄型化できるようになった。
【０２７９】
続いて、入力装置１８０’におけるドームスイッチ８５ａ等の動作例について説明する。図４１Ａ及びＢは、ドームスイッチ８５ａ等の動作例を示す断面図である。図４１Ａに示すドームスイッチ８５ａはオフの状態である。この状態は、ＦＰＣ基板８０１の固定側の接点電極５１２に対してドームスイッチ８５ａ等で可動側の接点電極を構成するメタルドーム部５１１が離れている場合であり、両接点間が電気的に絶縁状態を保持している場合である。
【０２８０】
図４１Ｂに示すドームスイッチ８５ａはオンの状態である。この状態はキーパーツ８６ａが押下操作され、ドームスイッチ８５ａをオンするように操作された結果により生ずる。このオン状態によれば、ＦＰＣ基板８０１の固定側の接点電極５１２に対してドームスイッチ８５ａ等でメタルドーム部５１１の突起部８２ａ’が下部筐体１１ｎ内の強固な平面部８９に当接し、当該メタルドーム部５１１が撓んで、その可動側の接点電極が固定側の接点電極５１２に接触し、両接点間が電気的に導通状態を保持するようになった場合である。
【０２８１】
同様にして、キーパーツ８６ｂは、ドームスイッチ８５ｂを押下してオンするように操作される。キーパーツ８６ｃは、ドームスイッチ８５ｃを押下してオンするように操作される。キーパーツ８６ｄは、ドームスイッチ８５ｄを押下してオンするように操作される。キーパーツ８６ｅは、ドームスイッチ８５ｅを押下してオンするように操作される。上述のような電極構造を採用すると、入力装置１８０’の小型化が図られ、携帯電話機等の電子機器のコストダウンを図ること、及び、ＦＰＣ基板の折り曲げ工程等を削減できることから製造プロセスの簡素化が実現できるようになる。
【０２８２】
ここで、図４２Ａ〜Ｃを参照して、ドームスイッチ８５ａ等の可動側の接点電極を成すメタルドーム部５１１と、その固定側の接点電極５１２との電極・配線交差構造例について説明する。この例では、メタルドーム部５１１や、メタルドーム部５１１’を横切る配線パターンは、非押下操作時、原則的に、当該メタルドーム部５１１や、メタルドーム部５１１’等に接しない位置を通過するように配線される。図４２Ａは、図３９に示したＦＰＣ基板８０１に適用されるメタルドーム部５１１の形状例を示す斜視図である。図４２Ａに示すメタルドーム部５１１によれば、半球状を成している。
【０２８３】
図３２に示したように、メタルドーム部５１１がＦＰＣ基板８１の表面側に存在し、その内側の固定側の接点電極５１２が当該ＦＰＣ基板８１の裏面側から引き出される場合は、配線パターンの断線問題は懸念されない。しかし、図３６Ｂに示したようにＦＰＣ基板８０１の裏面側において同一平面内にドームスイッチ８５ａ等の可動側の接点電極を成すメタルドーム部５１１と、その固定側の接点電極５１２とが混在する場合、入力操作時、にキートップ１５２等の下方向への押圧力により、配線パターンに対して剪断応力を与えるおそれが懸念される。
【０２８４】
そこで、この例では電極・配線交差構造を採るために、半球状のメタルドーム部５１１の両側端部をカットするようにした。図４２Ｂは、メタルドーム部５１１のカット例を示す斜視図である。図４２Ｂに示すメタルドーム部５１１のカット例によれば、ドーム状に隆起した部位を有するドームスイッチ８５ａ等の可動側の接点電極を切断面Ｃａ，Ｃｂを基準にして、そのドーム状部位の両側端部を切断するようになされる。
【０２８５】
図４２Ｃは、サイドカットタイプのメタルドーム部５１１’の形状例を示す斜視図である。図４２Ｃに示すサイドカットタイプのドームスイッチ８５ａ’によれば、その可動側の接点電極を成すメタルドーム部５１１’が、ドーム状部位の両側端部が切断されたカット形状を成している。
【０２８６】
この両側端部が切断されたカット形状のサイドカットタイプのメタルドーム部５１１’をＦＰＣ基板８０１の裏面側に実装する。その際に、メタルドーム部５１１’の押下投影領域に固定側の接点電極５１２を配置し、当該接点電極５１２から延在する配線パターンをサイドカットタイプのメタルドーム部５１１’の一側端部であって、その押下投影領域以外に配置するように電気配線を行う。
【０２８７】
このような電極・配線交差構造を採ると、入力操作時、メタルドーム部５１１’が配線パターンに対して剪断応力を与える事態を回避できるようになる。この結果、ＦＰＣ基板８０１の固定側の接点電極５１２から延在する配線パターンの断線を防止できるようになる。もちろん、配線パターンの断線を防止する方法は、これに限られることはなく、メタルドーム部５１１’の押下投影領域を横切る配線パターンの幅を他の配線領域に比べて局地的に太くなるように拡幅してもよい。このようにすると、メタルドーム部５１１’の押下投影領域で拡幅された配線パターンに押圧力が加わるが、拡幅されていない配線パターンに比べてパターン剪断耐力を向上できるようになる。
【０２８８】
また、メタルドーム部５１１’等を横切る配線パターンに関しては、そのメタルドーム部５１１’のＣ字形状の開放部を円形状に結ぶ仮想円形状に沿って、当該配線パターンが仮想円形に準外接（または直行しない）する形態で配線パターンをＦＰＣ基板８０１に配置するようにしてもよい。このようにすると、メタルドーム部５１１’の押下投影領域で仮想円形状に沿って配置された配線パターンに押圧力が加わるが、接点電極５１２から直線状に延在する配線パターンに比べて、メタルドーム部５１１’の縁部位と配線パターンの斜め交差部位との接触部分が長くなることから、パターン剪断耐力を向上できるようになる。
【０２８９】
図４３は、入力装置１８０”におけるドームスイッチ８５ａ’〜８５ｅ’の配置例を示す平面図である。図４３に示す入力装置１８０”によれば、パターン断線を防止するためにＦＰＣ基板８０１において、メタルドーム部５１１’の接地部位を避けて、グランド（ＧＮＤ）端子の配線パターン＃００を引き回すような電極・配線交差構造を採るようになされる。
【０２９０】
図４３に示すＦＰＣ基板８０１の裏面側には、５個のドームスイッチ８５ａ’〜８５ｅ’が配置されている。サイドカットされたメタルドーム部５１１’を有している。メタルドーム部５１１’は、ドームスイッチ８５ａ等で示した直径ｄφ＝２．８ｍｍ程度のメタルドーム部５１１の両側端部をカットしたものである（図４２Ｃ参照）。これは剪断による配線パターン＃００等の切断を防止するためである。メタルドーム部５１１’は、ドームスイッチ８５ａ’〜８５ｅ’の各々の可動側の接点電極を構成し、ドーム状部位の下面はＣ形状を成している。
【０２９１】
ＦＰＣ基板８０１の裏面において、ドームスイッチ８５ａ’のドーム状に隆起したメタルドーム部５１１’の内側には当該ドームスイッチ８５ａ’を構成する固定側の接点電極５１２が設けられる。他のドームスイッチ８５ｂ’〜８５ｅ’においても同様にして、固定側の接点電極５１２が設けられる。ドームスイッチ８５ａ’〜８５ｅ’の各々の固定側の接点電極５１２は、ＦＰＣ基板８０１の裏面側において、メタルドーム部５１１’の下方のＣ形状部位の開放端間を通過して配線される。その各々の固定側の接点電極５１２は相互に接続され、スルーホール８８ｇを介して表面側に引き出される配線パターン＃０６（ＬＥＤ＋）に接続される。
【０２９２】
ドームスイッチ８５ａ’で可動側の接点電極を構成するメタルドーム部５１１’は、ＦＰＣ基板８０１の裏面側から、スルーホール８８ｅを介してその表面側に引き出される配線パターン＃０１（中央）に接続される。ドームスイッチ８５ｂ’で可動側の接点電極を構成するメタルドーム部５１１’は、ＦＰＣ基板８０１の裏面側から、スルーホール８８ｈを介してその表面側に引き出される配線パターン＃０４（下）に接続される。ドームスイッチ８５ｃ’で可動側の接点電極を構成するメタルドーム部５１１’は、ＦＰＣ基板８０１の裏面側から、スルーホール８８ｄを介してその表面側に引き出される配線パターン＃０２（上）に接続される。
【０２９３】
ドームスイッチ８５ｄ’で可動側の接点電極を構成するメタルドーム部５１１’は、ＦＰＣ基板８０１の裏面側から、スルーホール８８ｉを介してその表面側に引き出される配線パターン＃０５（左）に接続される。ドームスイッチ８５ｅ’で可動側の接点電極を構成するメタルドーム部５１１’は、ＦＰＣ基板８０１の裏面側から、スルーホール８８ｉを介してその表面側に引き出される配線パターン＃０３（右）に接続される。
【０２９４】
上下・左右・中央の５つのドームスイッチ８５ａ’〜８５ｅ’で「決定」を操作入力する場合、ドームスイッチ８５ａ’〜８５ｅ’のメタルドーム部５１１’の変形により、配線パターン＃００（ＧＮＤ）と配線パターン＃０２（上）とが接続され、配線パターン＃００（ＧＮＤ）と配線パターン＃０４（下）とが接続され、配線パターン＃００（ＧＮＤ）と配線パターン＃０５（左）とが接続され、配線パターン＃００（ＧＮＤ）と配線パターン＃０３（右）とが接続され、あるいは、配線パターン＃００（ＧＮＤ）と配線パターン＃０１（中央）とが接続される（図３６Ａ参照）。
【０２９５】
このように入力装置１８０”によれば、上述した電極・配線交差構造を備えるので、メタルドーム部５１１’の押下操作によりＦＰＣ基板８０１の配線パターン＃００に掛かる剪断応力を緩和できるようになる。
【０２９６】
図４４は、入力装置１８０’のなぞり検出時の動作例を示す平面図である。図４４に示す配線パターン＃０１〜＃０５は制御部１５に接続され、センサシート８１ａ’〜８１ｅ’の各々のなぞり検出信号Ｓ01〜Ｓ05は制御部１５に出力される。図中、白抜き矢印は、図３８に示したキートップ１５２上のなぞり方向である。この変形例では、縦なぞりモード、横なぞりモード及び円盤なぞりモードが備えられる。
【０２９７】
図４４に示す縦方向の白抜き矢印Ｉａは、縦なぞりモード時の摺動操作方向であり、そのなぞり検出範囲に対応している。ここにセンサシート８１ａ’のなぞり検出領域を「５」とし、センサシート８１ｂ’のなぞり検出領域を「３」とし、センサシート８１ｃ’のなぞり検出領域を「１」とし、センサシート８１ｄ’のなぞり検出領域を「４」とし、センサシート８１ｅ’のなぞり検出領域を「２」としたとき、縦なぞりモードが設定されると、制御部１５は、「１→５→３」の順、又は、その逆方向「３→５→１」の順に、各隣接する電極パターン間の検出感度を重心計算するようになされる。
【０２９８】
例えば、センサシート８１ｃ’は配線パターン＃０２を介してなぞり検出信号Ｓ02を制御部１５に出力する。センサシート８１ａ’は配線パターン＃０１を介してなぞり検出信号Ｓ01を制御部１５に出力する。センサシート８１ｂ’は配線パターン＃０４を介してなぞり検出信号Ｓ04を制御部１５に出力する。制御部１５はセンサシート８１ｃ’からのなぞり検出信号Ｓ02、センサシート８１ａ’からのなぞり検出信号Ｓ01及び、センサシート８１ｂ’からのなぞり検出信号Ｓ04に基づいて電極パターン間の検出感度を算出し、重心計算を実行する。これにより、縦なぞりモード時、操作者の指３０ａの位置又は指３０ａの移動方向及び移動量を検出できるようになる。
【０２９９】
図４４に示す横方向の白抜き矢印Ｉｂは、横なぞりモード時の摺動操作方向であり、そのなぞり検出範囲に対応している。この横なぞりモードが設定されると、制御部１５は、「４→５→２」の順、又は、その逆方向「２→５→４」の順に、各隣接する電極パターン間の検出感度を重心計算するようになされる。
【０３００】
例えば、センサシート８１ｄ’は配線パターン＃０５を介してなぞり検出信号Ｓ05を制御部１５に出力する。センサシート８１ａ’は配線パターン＃０１を介してなぞり検出信号Ｓ01を制御部１５に出力する。センサシート８１ｅ’は配線パターン＃０３を介してなぞり検出信号Ｓ03を制御部１５に出力する。制御部１５はセンサシート８１ｄ’からのなぞり検出信号Ｓ05、センサシート８１ａ’からのなぞり検出信号Ｓ01及び、センサシート８１ｅ’からのなぞり検出信号Ｓ03に基づいて電極パターン間の検出感度を算出し、重心計算を実行する。これにより、横なぞりモード時、操作者の指３０ａの位置又は指３０ａの移動方向及び移動量を検出できるようになる。上述のようなキートップ１５２上を十字状になぞられる、縦なぞりモード及び横なぞりモードを総称して、以下、クロスＪＯＧモードという。
【０３０１】
また、図４４に示す円方向の白抜き矢印Ｉｃは、円盤なぞりモード時の摺動操作方向であり、そのなぞり検出範囲に対応している。この円盤なぞりモードが設定されると、制御部１５は、「１→２→３→４→１」の順、又は、その逆方向「１→４→３→２→１」の順に、各隣接する電極パターン間の検出感度を重心計算するようになされる。
【０３０２】
例えば、センサシート８１ｃ’は配線パターン＃０２を介してなぞり検出信号Ｓ02を制御部１５に出力する。センサシート８１ｅ’は配線パターン＃０３を介してなぞり検出信号Ｓ03を制御部１５に出力する。センサシート８１ｂ’は配線パターン＃０４を介してなぞり検出信号Ｓ04を制御部１５に出力する。センサシート８１ｄ’は配線パターン＃０５を介してなぞり検出信号Ｓ05を制御部１５に出力する。
【０３０３】
制御部１５は、センサシート８１ｃ’からのなぞり検出信号Ｓ02、センサシート８１ｅ’からのなぞり検出信号Ｓ03、センサシート８１ｂ’からのなぞり検出信号Ｓ04及び、センサシート８１ｄ’からのなぞり検出信号Ｓ05に基づいて電極パターン間の検出感度を算出し、重心計算を実行する。このようなキートップ１５２上を３６０度回転するようになぞられる円盤なぞりモード時、操作者の指３０ａの位置又は指３０ａの移動方向及び移動量を検出できるようになる。上述の円盤なぞりモードを以下、ディスクＪＯＧモードという。
【０３０４】
図４５Ａ及びＢは、携帯電話機１０４の構成例及びその操作画面の表示例を示す説明図である。図４５Ａに示す携帯電話機１０４は、電子機器の一例を構成し、折り畳み形式の上部筐体１１ｘ及び下部筐体１１ｙを有して構成される。上部筐体１１ｘには表示部２９が設けられ、その表示画面には各種モードを設定するためのＴＯＰ画面等の入力操作映像を表示するようになされる。
【０３０５】
下部筐体１１ｙには、図３６に示したような入力装置１８０’が実装され、操作者の指３０ａによる摺動操作によって情報を入力するようになされる。下部筐体１１ｙは操作面を有した操作パネル１８を備える。操作パネル１８にはキートップ１５２が設けられ、図３８に示したようなセンサシート８１ａ’〜８１ｅ’の全面を覆うように設けられ、キートップ１５２が下部筐体１１ｙの操作面に沿って摺動操作される。キートップ１５２は、下部筐体１１ｙの一方の操作面から摺動方向に沿って盛り上がり、かつ、他方の操作面に向かって盛り下がる凸部形状を含み構成される。
【０３０６】
入力装置１８０’は図３８に示したようなＦＰＣ基板８０１を備え、操作者の指３０ａの摺動位置を検出して位置検出信号＃Ｓ１を出力し、なぞり検出信号Ｓ01〜S05を出力するセンサシート８１ａ’〜８１ｅ’が実装されている。ＦＰＣ基板８０１は、操作者の指３０ａのキートップ１５２への押し込み操作によってオン又は／及びオフするドームスイッチ８５ａ〜８５ｅを含み構成される（図３９参照）。
【０３０７】
次に、入力装置１８０’とアプリケーションとの関係例を説明する。図４５Ａに示す携帯電話機１０４によれば、操作パネル１８上で、白抜き矢印に示すように３６０度なぞり操作又は／及び十字状になぞり操作される。携帯電話機１０４は、ユーザの好みに応じてＴＯＰ画面から各操作モードを選択するように使用される。この例では、次のような設定操作を実行することで、なぞりモードがクロスＪＯＧモード又はディスクＪＯＧモードに固定される。ユーザは自分自身が決定したなぞりモードによって、各種アプリケーションを操作できるようになる。
【０３０８】
図４５Ｂは、表示部２９におけるＴＯＰ画面の表示例を示す説明図である。図４５Ａに示す表示部２９には、ＴＯＰ画面の名称「ＴＯＰ」の文字映像と共に、「１：マイメニュー  ２：マイメディア  ３：メール  ４：カメラ  ５：ＷＥＢ  ６：ＧＰＳ  ７：設定」に関する文字アイコン映像を表示するようになされる。この例で、「７：設定」が選択されると、文字色等が反転される。表示画面の下方に「Ｔｏｐ」や、「終了」等の文字アイコン映像が表示されている。
【０３０９】
図４６Ａ〜Ｄは、表示部２９におけるモード設定例を示す状態遷移図である。図４６Ａは、表示部２９における設定画面の表示例を示す図である。この例では、図４５Ｂに示した表示部２９で「７：設定」が選択されているので、図４６Ａに示すような「設定」の画面に表示が切り替わる。この「設定」の画面には、「１：音設定  ２：アラーム設定  ３：ｎａｖｉ  Ｋｅｙ設定  ４：カメラ設定  ５：ＧＰＳ設定」に関する文字アイコン映像を表示するようになされる。表示画面の下方に「Ｔｏｐ」や、「終了」等の文字アイコン映像が表示されている。
【０３１０】
図４６Ｂは表示部２９におけるｎａｖｉ−Ｋｅｙ設定例を示す図である。この例では、図４６Ａに示した表示部２９で「３：ｎａｖｉ  Ｋｅｙ設定」が選択されているので、図４６Ｂに示すようなｎａｖｉ−Ｋｅｙ設定画面に表示が切り替わる。ｎａｖｉ−Ｋｅｙ設定画面には、「クロスＪＯＧモード  ディスクＪＯＧモード  スライド機能なし」に関する文字アイコン映像を表示するようになされる。
【０３１１】
図４６Ｃは、ｎａｖｉ−Ｋｅｙ設定画面におけるクロスＪＯＧモードの設定例を示す図である。この例では、図４６Ｂで「クロスＪＯＧモード」が選択されると、「クロスＪＯＧモード」の文字色が反転表示される。これと共に、図４６Ｃに示すｎａｖｉ−Ｋｅｙ設定画面の中で「クロスＪＯＧモードに設定しました。」の文字映像に表示が切り替わる。この文字映像の下方には「項目の選択は上下又は左右のスライドによって行われます。」の文字映像が表示される。なお、表示画面の下方に「Ｔｏｐ」や、「終了」等の文字アイコンが表示されている。
【０３１２】
図４６Ｄは、表示部２９におけるｎａｖｉ−Ｋｅｙ設定時の終了表示例を示す図である。この例で、図４６Ｃに示した「終了」の文字アイコン映像を選択すると、図４６Ｃに示したｎａｖｉ−Ｋｅｙ設定画面に表示が切り替わると共に、当該設定画面内の「クロスＪＯＧモード」の文字色が元の表示色に戻るようになされる。これにより、クロスＪＯＧモードの設定が完了する。なお、モード設定を変更する場合は、表示画面の下方の「Ｔｏｐ」や、「終了」等の文字アイコン映像を選択するようになされる。
【０３１３】
図４７Ａ及びＢは、クロスＪＯＧモードにおける入力操作例を示す説明図である。図４７ＡはクロスＪＯＧモード用のアプリケーションの構成例を示す図である。クロスＪＯＧモード用のアプリケーションによれば、縦方向にスクロールされる複数の入力操作映像に関する情報と、横方向にスクロールされる複数の入力操作映像に関する情報から構成される。
【０３１４】
図４７Ａに示す５個の入力操作映像に関する情報Ｑ１１〜Ｑ１５及び３個の入力操作映像に関する情報Ｑ１６〜Ｑ１８は、図６６に示すような記憶部３５等のメモリ空間に展開され、これらの入力操作映像が縦方向にスクロールされ、又は、それが横方向にスクロールされるイメージである。クロスＪＯＧモードでは、縦方向の入力操作映像に関する情報Ｑ１１〜Ｑ１５の出力と、横方向の入力操作映像に関する情報Ｑ１６〜Ｑ１８の出力とが交差するようにスクロール操作可能となされている。図中、太線に囲んだ入力操作映像に関する情報Ｑ１３は、キートップ１５２等のドームスイッチ８５ｂ等を押下操作して入力操作が決定され、選択された映像に関する情報である。ここに選択された映像に関する情報Ｑ１３に基づいてアプリケーションが実行される。
【０３１５】
図４７ＢはクロスＪＯＧモード用のＵＩデザイン画面の表示例を示す図である。クロスＪＯＧモード用のＵＩ（ユーザインターフェース）デザイン画面の表示例によれば、図４７Ａに示した記憶部３５から縦方向の入力操作映像に関する情報Ｑ１１〜Ｑ１５や、横方向の入力操作映像に関する情報Ｑ１６〜Ｑ１８等が読み出され、これらの情報Ｑ１１〜Ｑ１８に基づいて表示部２９の同一画面内に、縦方向にスクロールされる複数のアイコン映像と、横方向にスクロールされる複数のアイコン映像を表示するようになされる。
【０３１６】
縦方向の複数のアイコン映像と、横方向の複数のアイコン映像とが交差するようにスクロール操作される。図中、太線に囲んだアイコン映像は、キートップ１５２等のドームスイッチ８５ｂ等を押下操作して入力操作が決定され、選択されたアイコン映像である。ここに選択されたアイコン映像に関する情報に基づいてアプリケーションが実行される。
【０３１７】
上述の例によれば、各アプリケーション又は現在選択しているＵＩデザイン画面によって、なぞりモードが自動的に変化する場合である。この場合、ユーザは、なぞりモードを個別に決定せずに、なぞりモードが操作しようとしているＵＩデザイン画面の状態に対応して、自動的に設定されるので、直感的にスクロール操作ができるようになる。
【０３１８】
このなぞりモード自動設定機能によれば、クロスＪＯＧモードにおいて、ジャイロセンサ等が備えられ、携帯電話機１０４等の電子機器の持ち方が変化したことを検出し、その検出情報に応じて、アプリケーション画面を反転する場合、当然のことながら検出モードも、縦なぞりモードから横なぞりモードへ反転、又は横なぞりモードから縦なぞりモードへ反転する等を実行し、入力操作性の向上に対応している。
【０３１９】
図４８Ａ及びＢは、ディスクＪＯＧモードにおける入力操作例を示す説明図である。図４８ＡはディスクＪＯＧモード用のアプリケーションの構成例を示す図である。ディスクＪＯＧモード用のアプリケーションによれば、円方向にスクロールされる複数の入力操作映像に関する情報から構成される。
【０３２０】
図４８Ａに示す９個の入力操作映像に関する情報Ｑ２１〜Ｑ２９は、図６６に示すような記憶部３５等のメモリ空間に展開され、これらの入力操作映像が円を描く方向にスクロールされるイメージである。ディスクＪＯＧモードでは、円方向にスクロールされる入力操作映像に関する情報Ｑ２１〜Ｑ２９が、例えば、時計方向周り又は反時計回りに出力されてスクロール操作ができるようになされる。図中、太線に囲んだ入力操作映像に関する情報は、キートップ１５２等のドームスイッチ８５ｂ等を押下操作して入力操作が決定され、選択された映像に関する情報である。ここに選択された映像に関する情報に基づいてアプリケーションが実行される。
【０３２１】
図４８ＢはディスクＪＯＧモード用のＵＩデザイン画面の表示例を示す図である。ディスクＪＯＧモード用のＵＩデザイン画面の表示例によれば、図４８Ａに示した記憶部３５から円を描く方向の入力操作映像に関する情報Ｑ２１〜Ｑ２９が読み出され、これらの情報Ｑ２１〜Ｑ２９に基づいて表示部２９の同一画面内に、円方向にスクロールされる複数のアイコン映像を表示するようになされる。図４８Ｂに示すＩｄは、例えば、当該アプリケーションのタイトル等を表示する領域である。
【０３２２】
ディスクＪＯＧモードでは、円方向にスクロールされる複数のアイコン映像が、例えば、時計方向周り又は反時計回りに表示されてスクロール操作ができるようになされる。図中、太線に囲んだアイコン映像は、キートップ１５２等のドームスイッチ８５ｂ等を押下操作して入力操作が決定され、選択されたアイコン映像である。ここに選択されたアイコン映像に関する情報に基づいてアプリケーションが実行される。
【０３２３】
図４９は、入力装置１８０’におけるなぞりモードの自動設定例を示すフローチャートである。この例で、クロスＪＯＧモード用のアプリケーションを表示する映像情報に予めモード判別用の識別情報が記述され、クロスＪＯＧモード用のＵＩデザイン画像を表示する映像情報にも同様にして識別情報が記述される。
【０３２４】
また、ディスクＪＯＧモード用のアプリケーションを表示する映像情報にも同様にして識別情報が記述され、ディスクＪＯＧモード用のＵＩデザイン画像を表示する映像情報にも同様にして識別情報が記述される。制御部１５は上述の識別情報を抽出して、当該識別情報に基づいてなぞりモードの自動設定する場合を例に挙げる。当該アプリケーション又はＵＩデザイン画像に基づく入力操作を終了する場合は、入力装置１８０’から制御部１５へ終了情報が出力される。
【０３２５】
これらを条件にして、図４９に示すフローチャートのステップＳＴ３１で制御部１５はスライド機能がオン又はオフされているかを示す情報（以下オン情報又はオフ情報という）の入力（検出）を待機する。スライド機能のオン情報は、図４６Ｂに示したｎａｖｉ−Ｋｅｙ設定画面で制御部１５に設定されている。スライド機能のオン情報が入力された場合は、ステップＳＴ３２に移行する。スライド機能のオン情報が入力されない場合は、スライド機能のオン情報が検出されるまで処理を待機する。
【０３２６】
ステップＳＴ３２で制御部１５はアプリケーション又はＵＩデザイン画面に対応して、なぞりモードを判別する。この際の判別基準は、各アプリケーション又は現在選択しているＵＩデザイン画面を表示する映像情報に予め記述されている識別情報を検出して、当該識別情報に対応するなぞりモードをデコード（検出）する。例えば、制御部１５は、当該アプリケーションを表示する映像情報に予め記述された識別情報や当該ＵＩデザイン画像を表示する映像情報に予め記述された識別情報等をデコードした結果がクロスＪＯＧモードを示す場合、及び、当該アプリケーションを表示する映像情報に予め記述された識別情報や当該ＵＩデザイン画像を表示する映像情報に予め記述された識別情報等がディスクＪＯＧモードを示す場合に対応して制御を分岐する。
【０３２７】
当該アプリケーションに係る識別情報や当該ＵＩデザイン画像に係る識別情報等が「クロスＪＯＧモード」を示すと判定した場合は、ステップＳＴ３３に移行して制御部１５は、クロスＪＯＧモードで当該アプリケーション又はＵＩデザイン画像に基づく入力操作を実行する。
【０３２８】
その後、ステップＳＴ３４に移行して制御部１５は当該アプリケーション又はＵＩデザイン画像に基づく入力操作の終了を判別する。このとき、当該アプリケーション又はＵＩデザイン画像に基づく入力操作を終了する場合、ユーザが操作する入力装置１８０’から制御部１５へスライド機能のオフ情報等の終了情報が出力される。この終了情報が検出されない場合は、ステップＳＴ３３に戻って制御部１５はクロスＪＯＧモードで上述のアプリケーション又はＵＩデザイン画像に基づく入力操作を継続する。終了情報が検出された場合は、スライド機能がオフされ、オフ情報が制御部１５へ出力されるので、ステップＳＴ３１に戻って、制御部１５はスライド機能のオン情報の入力（検出）を待機する。
【０３２９】
上述のステップＳＴ３２で当該アプリケーションに係る識別情報や当該ＵＩデザイン画像に係る識別情報等が「ディスクＪＯＧモード」を示すと判定した場合は、ステップＳＴ３５に移行して制御部１５は、ディスクＪＯＧモードで当該アプリケーション又はＵＩデザイン画像に基づく入力操作を実行する。その後、ステップＳＴ３６に移行して制御部１５は当該アプリケーション又はＵＩデザイン画像に基づく入力操作の終了を判別する。
【０３３０】
このとき、当該アプリケーション又はＵＩデザイン画像に基づく入力操作を終了する場合、ユーザが操作する入力装置１８０’から制御部１５へスライド機能のオフ情報等の終了情報が出力される。この終了情報が検出されない場合は、ステップＳＴ３５に戻って制御部１５はディスクＪＯＧモードで上述のアプリケーション又はＵＩデザイン画像に基づく入力操作を継続する。終了情報が検出された場合は、スライド機能がオフされ、オフ情報が制御部１５へ出力されるので、ステップＳＴ３１に戻って、制御部１５はスライド機能のオン情報の入力（検出）を待機する。
【０３３１】
このように、変形例としての入力装置１８０’によれば、クロスＪＯＧモード又はディスクＪＯＧモードのいずれかを自動的に設定できるようになる。自動設定されたクロスＪＯＧモード又はディスクＪＯＧモードで当該アプリケーション又はＵＩデザイン画像に基づく入力操作を実行できるようになる。
【実施例１９】
【０３３２】
図５０Ａ及びＢは、第１９の実施例としての入力装置１９０の外観例を示す斜視図及びその内部構成例を示す断面図である。
この実施例では、第９の実施例で説明した凸形状のキートップ１４４に代えて、下部筐体１１ｏと逆円弧凹形状を有したキートップ２４４とが一体成形されて成るものである。ドームスイッチ２５及び押し子１９は省略している。入力装置１９０にドームスイッチ２５を適用する場合は、静電容量シート部材に代えて圧力検出シート部材をセンサ１３に使用すればよい。
【０３３３】
図５０Ａに示す入力装置１９０は、裏面凸状を有したキートップ付きの下部筐体１１ｏを有している。下部筐体１１ｏによれば、キートップ２４４の操作面は、その裏面が図５０Ｂに示すように凸部状を有している。
【０３３４】
この例で、キートップ２４４の逆円弧凹形状は、所定の深さ及び開口幅を有した有底状の逆円弧を成している。例えば、キートップ２４４は、下部筐体１１ｏの一方の操作面から摺動方向に沿って堀り下がり、かつ、他方の操作面に向かって堀り上がる凹部形状を有している。このような形状を得るには、キートップ２４４となる逆円弧凸形状を象った下部筐体用の金型に樹脂を封入してその部分が凹形状を成す下部筐体１１ｏを形成すればよい。キートップ２４４は、センサ１３の全面を覆う領域に形成される。
【０３３５】
この例でも、キートップ２４４の内側凹部にはセンサ１３が配置され、操作者の指３０ａの摺動位置を検出するように動作する。センサ１３には、静電容量シート部材が使用され、操作者の指３０ａの摺動位置を検出して位置検出信号＃Ｓ１を出力するようになされる。センサ１３には、静電容量シート部材の他に圧力検出シート部材が使用され、操作者の指３０ａの摺動位置の圧力を検出して圧力検出信号を出力するようになされる。
【０３３６】
この例では、キートップ２４４の操作面が下部筐体１１ｏの材質と異なる材質から構成され、キートップ２４４を構成する材質の表面粗度をＡとし、下部筐体１１ｏを構成する材質の表面粗度をＢとしたとき、表面粗度Ａと表面粗度Ｂとの間にはＡ＜Ｂなる関係が設定される。このように構成すると、下部筐体１１ｏの操作面における摺動操作に比べて、操作面から摺動方向に沿って掘り下がり、かつ、他方の操作面に向かって堀り上がる部分の摺動操作を円滑にできるようになり、操作者の指３０ａの摺動操作によって容易に情報を選択できるようになる。これにより、キートップ２４４を有した入力装置１９０を密閉構造とすることができる。
【０３３７】
キートップ２４４は、下部筐体１１ｏの操作面に沿って摺動操作され、かつ、有底状の円弧凸形状に沿って摺動操作される。このようにすると、操作者の指３０ａによる摺動操作に対し、下部筐体１１ｏの一方の操作面から摺動方向に沿って円弧状に堀り下がる摺動操作感覚に加えて、他方の操作面に向かって堀り上がる円弧状の摺動操作感覚を与えることができる。従って、第１の入力装置１０の非回転型のサイドジョグツール等に対して反転構造の非回転型のサイドジョグツール等を提供できるようになる。この形状のキートップ２４４は、各種情報を検索する際のスクロールキー、音量を調整する際のボリュームキー等の情報選択キーとして応用できる。
【０３３８】
また、下部筐体１１ｏの内側であって、キートップ２４４に近い位置に、図１２に示したようなアクチュエータ機能付きのスピーカー３６ｂが備えられ、入力確定時に、操作者の指３０ａの摺動位置に対して振動体で振動を発生させることができ、操作者の指３０ａに触覚を提示できるようになっている。
【０３３９】
図５１Ａ及びＢは、入力装置１９０の操作例を示す概念図である。この例でも、センサ１３で操作者の指３０ａの摺動位置を検出する検出領域（３）が、キートップ２４４で当該操作者の指３０ａによって摺動操作される凹部領域（２）’よりも広く設定されている。
【０３４０】
この例では、当該入力装置１９０を左手で操作する場合であって、下部筐体１１ｏの一方の操作面から摺動方向に沿って堀り下がり、かつ、他方の操作面に向かって堀り上がる凹部形状を有したキートップ２４４が使用される。センサ１３には静電容量シート部材が使用され、センサ１３で操作者の指３０ａの摺動位置を検出する検出領域が、キートップ２４４で当該操作者の指３０ａによって摺動操作される操作領域よりも広く設定されている場合を例に挙げる。
【０３４１】
図５１Ａにおいて、まず、操作者は入力装置１９０の操作範囲（１）の上部に左手の親指を押し当てる。次に、操作者の指３０ａを下部筐体１１ｂの一方の操作面から摺動方向に沿って摺動する。このとき、下部筐体１１ｂ内では、操作者の指３０ａがセンサ１３における検出領域（３）上を摺動するようになる。
【０３４２】
操作者の指３０ａでキートップ２４４の露出部分の凹部領域（２）’における摺動操作を続けると、下り開始部Ｘ’から掘り下がり、図５１Ｂに示すキートップ２４４の穴底部位に到達する。更に、凹部領域（２）’における摺動操作を続けると、他方の操作面に向かって掘り上がり、図５１Ｃに示すキートップ２４４の上り終了部Ｙ’に到達する。
【０３４３】
この例で、図５１Ａ〜図５１Ｃに摺動操作される間、センサ１３は、操作者の指３０ａの摺動位置を検出して位置検出信号＃Ｓ１を制御部１５に出力する。これにより、操作者の指３０ａによる摺動操作に対し、下部筐体１１ｂの一方の操作面から摺動方向に沿って円弧状に掘り下がる摺動操作感覚に加えて、他方の操作面に向かって掘り上がる円弧状の摺動操作感覚を与えることができる。しかも、従来方式の回転型のサイドジョグツールと異なる構造であって、当該サイドジョグツールに無いユニークな操作感覚が得られる非回転型のサイドジョグツール等を提供できるようになる。
【０３４４】
このように第１９の実施例に係る入力装置１９０によれば、第９の実施例で説明した裏面平坦形状のキートップ１４４に代えて、下部筐体１１ｏと逆円弧凹形状を有したキートップ２４４とが一体成形されて成るものである。
【０３４５】
従って、第１〜第６の実施例で説明したように下部筐体１１ｂの開口部１１ｃにキートップ２４や、１４１等を組み入れる方法に比べて、携帯電話機等における入力装置１９０の組み立てが簡単になる。しかも、センサ１３の検出領域（３）がキートップ２４４の凹部領域（２）’よりも広く設定されているので、操作者の指３０ａによる摺動操作に対し、凹部形状のキートップ２４４を挟んだ下部筐体１１ｏの一方の操作面と、他方の操作面を摺動操作範囲に含めることができる。これにより、耐水性に富んだ密閉構造の入力装置１９０を有した携帯電話機等を提供できるようになる。
【０３４６】
この例では、図５０に示したようにキートップ２４４を下部筐体１１ｏの右側に設ける場合について説明したが、もちろん、これに限られることはなく、下部筐体１１ｏの左側に設ける場合についても、同様な効果が得られることは言うまでもない。
【実施例２０】
【０３４７】
図５２Ａ及びＢは、第２０の実施例としての入力装置２００の構成例を示す斜視図及び断面図である。
この実施例では、第１９の実施例で説明した逆円弧凹形状のキートップ２４４に代えて、下部筐体１１ｐと逆さ台凹形状を有したキートップ２４５とが一体成形されて成るものである。ドームスイッチ２５及び押し子１９は省略される。入力装置２００にドームスイッチ２５を適用する場合は、静電容量シー部材に代えて圧力検出シート部材をセンサ１３に使用すればよい。
【０３４８】
図５２Ａに示す入力装置２００は、逆さ台凹形状かつ裏面凸部状を有したキートップ付きの下部筐体１１ｐを有している。下部筐体１１ｐによれば、キートップ２４５の操作面は、図１〜図５１に示したキートップ形状と異なり、逆さ台凹形状を有しており、その裏面が図５２Ｂに示すように凸部状を成している。例えば、キートップ２４５となる内側逆台形状を象った下部筐体用の金型に樹脂を封入してその部分が凹形状を成す下部筐体１１ｐを形成する。
【０３４９】
この例でも、キートップ２４５の内側凹部にはセンサ１３が配置される。これにより、キートップ２４５を有した入力装置２００を密閉構造とすることができる。キートップ２４５は下部筐体１１ｐの一方の操作面から摺動方向に沿って堀り下がり、かつ、他方の操作面に向かって堀り上がる凹部形状に沿って摺動される。また、下部筐体１１ｐの内側であって、キートップ２４５に近い位置に、図１２に示したようなアクチュエータ機能付きのスピーカー３６ｂが備えられ、操作者の指３０ａに触覚を提示できるようになっている。なお、入力装置２００の操作例については図５１を参照されたい。
【０３５０】
このように第２０の実施例に係る入力装置２００によれば、第１９の実施例で説明した円弧凸形状のキートップ２４４に代えて、下部筐体１１ｐと逆さ台凹形状を有したキートップ２４５とが一体成形されて成るものである。
【０３５１】
従って、第１〜第６の実施例で説明したように下部筐体１１ｂの開口部１１ｃにキートップ１４や、１４１等を組み入れる方法に比べて入力装置２００の組み立てが簡単になる。これにより、耐水性に富んだ密閉構造の入力装置２００を提供できるようになる。なお、ドームスイッチ２５を省略したことによって、キートップ２４５の下り開始部Ｘ’付近と、上り終了部Ｙ’付近は蛇腹状加工を省略することができる。
【０３５２】
この例では、図５２に示したようにキートップ２４５を下部筐体１１ｐの右側に設ける場合について説明したが、もちろん、これに限られることはなく、下部筐体１１ｐの左側に設ける場合についても、同様な効果が得られることは言うまでもない。
【実施例２１】
【０３５３】
図５３Ａ及びＢは、第２１の実施例としての入力装置２１０の構成例を示す斜視図及び断面図である。
この実施例では、第２０の実施例で説明した逆さ台凹形状のキートップ２４５に代えて、下部筐体１１ｑと長穴凹形状を有したキートップ２４６とが一体成形されて成るものである。ドームスイッチ２５及び押し子１９は省略される。入力装置２１０にドームスイッチ２５を適用する場合は、静電容量シート部材に代えて圧力検出シート部材をセンサ１３に使用すればよい。
【０３５４】
図５３Ａに示す入力装置２１０は、長穴凹形状かつ裏面凸部状を有したキートップ付きの下部筐体１１ｑを有している。下部筐体１１ｑによれば、キートップ２４６の操作面は、図１〜図５３に示したキートップ形状と異なり、長穴凹形状を有しており、その裏面が図５３Ｂに示すように凸部状を有している。例えば、キートップ２４６となる長穴凹形状を象った下部筐体用の金型に樹脂を封入してその部分が凹形状を成す下部筐体１１ｑを形成する。
【０３５５】
この例でも、キートップ２４６の内側凹部にはセンサ１３が配置される。これにより、キートップ２４６を有した入力装置２１０を密閉構造とすることができる。当該入力装置２１０を左手で操作する場合であって、キートップ２４６は下部筐体１１ｑの一方の操作面から摺動方向に沿って堀り下がり、かつ、他方の操作面に向かって堀り上がる凹部形状に沿って摺動される。また、下部筐体１１ｑの内側であって、キートップ２４６に近い位置に、図１２に示したようなアクチュエータ機能付きのスピーカー３６ｂが備えられ、操作者の指３０ａに触覚を提示できるようになっている。なお、入力装置２１０の操作例については図５１を参照されたい。
【０３５６】
このように第２１の実施例に係る入力装置２１０によれば、第２０の実施例で説明した逆さ台凹形状のキートップ２４５に代えて、下部筐体１１ｑと長穴凹形状を有したキートップ２４６とが一体成形されて成るものである。
【０３５７】
従って、第１〜第６の実施例で説明したように下部筐体１１ｂの開口部１１ｃにキートップ１４や、１４１等を組み入れる方法に比べて入力装置２１０の組み立てが簡単になる。これにより、耐水性に富んだ密閉構造の入力装置２１０を提供できるようになる。なお、ドームスイッチ２５を省略したことによって、キートップ２４６の下り開始部Ｘ’付近と、上り終了部Ｙ’付近は蛇腹状加工を省略することができる。
【０３５８】
この例では、図５３に示したようにキートップ２４６を下部筐体１１ｑの右側に設ける場合について説明したが、もちろん、これに限られることはなく、下部筐体１１ｑの左側に設ける場合についても、同様な効果が得られることは言うまでもない。
【実施例２２】
【０３５９】
図５４Ａ及びＢは、第２２の実施例としての入力装置２２０の構成例を示す斜視図及び断面図である。
【０３６０】
この実施例では、第２１の実施例で説明した長穴凹形状のキートップ２４６に代えて、下部筐体１１ｒと逆さ蒲鉾形状を有したキートップ２４７とが一体成形されて成るものである。ドームスイッチ２５及び押し子１９は省略される。キートップ２４７による押し込み機能を適用する場合は、静電容量シート部材に代えて圧力検出シート部材をセンサ１３に使用すればよい。
【０３６１】
図５４Ａに示す入力装置２２０は、逆さ蒲鉾形状かつ裏面凸状を有したキートップ付きの下部筐体１１ｒを有している。下部筐体１１ｒによれば、キートップ２４７の操作面は、図１〜図５３に示したキートップ形状と異なり、逆さ蒲鉾形状を有している。この例で、キートップ２４７は、その幅をｗとし、下部筐体１１ｒの高さをｈとしたとき、ｗ＝ｈなる関係に形成されている。キートップ２４７の裏面は、図５４Ｂに示すように凸部状を有している。例えば、幅ｗのキートップ２４７となる蒲鉾ドーム形状を象った下部筐体用の金型に樹脂を封入してその部分が凹形状を成す高さｈの下部筐体１１ｒを形成する。
【０３６２】
この例でも、キートップ２４７の内側凹部にはセンサ１３が配置される。これにより、キートップ２４７を有した入力装置２２０を密閉構造とすることができる。キートップ２４７は下部筐体１１ｒの一方の操作面から摺動方向に沿って堀り下がり、かつ、他方の操作面に向かって堀り上がる凹部形状に沿って摺動される。また、下部筐体１１ｒの内側であって、キートップ２４７に近い位置に、図１２に示したようなアクチュエータ機能付きのスピーカー３６ｂが備えられ、操作者の指３０ａに触覚を提示できるようになっている。なお、入力装置２２０の操作例については図５１を参照されたい。
【０３６３】
このように第２２の実施例に係る入力装置２２０によれば、第２１の実施例で説明した長穴凹形状のキートップ２４６に代えて、下部筐体１１ｒと逆さ蒲鉾形状を有したキートップ２４７とが一体成形されて成るものである。
【０３６４】
従って、第１〜第６の実施例で説明したように下部筐体１１ｂの開口部１１ｃにキートップ１４や、１４１等を組み入れる方法に比べて入力装置２２０の組み立てが簡単になる。これにより、耐水性に富んだ密閉構造の入力装置２２０を提供できるようになる。なお、ドームスイッチ２５を省略したことによって、キートップ２４７の下り開始部Ｘ’付近と、上り終了部Ｙ’付近は蛇腹状加工を省略することができる。
【０３６５】
この例では、図５４に示したようにキートップ２４７を下部筐体１１ｒの右側に設ける場合について説明したが、もちろん、これに限られることはなく、下部筐体１１ｒの左側に設ける場合についても、同様な効果が得られることは言うまでもない。
【実施例２３】
【０３６６】
図５５は、第２３の実施例としての入力装置２３０の構成例を示す斜視図である。この実施例では、第１〜第１２の実施例で説明した各種形状を有した筐体側面配置用のキートップ１４，１４１〜１４６に代えて、下部筐体１１ｓの操作パネル１８’と、半球内面横一文字凹形状を有したキートップ２４８とが一体成形されるものである。
【０３６７】
図５５に示す入力装置２３０は、半球内面横一文字凹形状を有したキートップ付きの下部筐体１１ｓを有している。下部筐体１１ｓの上部は操作面となされ、上部操作面には数字「０」〜「９」のテンキーや、「＊」キー、「＃」キー等が配置された操作パネル１８’を有している。この例では、個々のキーは楕円形状を有している。
【０３６８】
下部筐体１１ｓによれば、キートップ２４８の操作面は、図１〜図５６に示したキートップ形状と異なり、半球内面横一文字凹形状に陥没している。キートップ２４８は、所定の深さ及び開口幅を有した有底状の半球凹形状を成している。下部筐体１１ｓのキートップ２４８の内側の構造については、図５０、図５３又は図５３Ｂに示したようなセンサ１３の構造が採られる（図５０、図５３又は図５３Ｂ参照）。キートップ２４８による押し込み機能を適用する場合は、静電容量シート部材に代えて圧力検出シート部材をセンサ１３に使用すればよい。
【０３６９】
下部筐体１１ｓは、例えば、キートップ２４８となる半球内面横一文字凹形状や、操作パネル１８’となる数字「０」〜「９」のテンキーや、「＊」キー、「＃」キー等を象った下部筐体用の金型に樹脂を封入してその部分が凹形状を成すように形成される。これにより、テンキー等の操作パネル１８’とキートップ２４８とが一体成形され、当該キートップ２４８を有した入力装置２３０を密閉構造とすることができる。キートップ２４８は下部筐体１１ｓの一方の操作面から摺動方向に沿って堀り下がり、かつ、他方の操作面に向かって堀り上がる凹部形状に沿って摺動される。また、下部筐体１１ｓの内側であって、キートップ２４８に近い位置に、図１２に示したようなアクチュエータ機能付きのスピーカー３６ｂが備えられ、操作者の指３０ａに触覚を提示できるようになっている。
【０３７０】
この例では、キートップ２４８は、半球内面横一文字凹形状（有底状の半球凹形状の一の軌道）に沿って摺動操作される。これにより、操作者の指３０ａによる摺動操作に対し、下部筐体１１ｓの一方の操作面から半球内面形状の一の軌道に沿って円弧状に堀り下がる摺動操作感覚に加えて、他方の操作面に向かって円弧状に堀り上がる摺動操作感覚を与えることができる。従って、従来方式の十字キーと異なる構造であって、当該十字キーには無いユニークな操作感覚が得られ、及び、当該形状のキートップ２４８は、情報を選択する映像情報選択キーとして応用できるようになる。
【０３７１】
このように、第２３の実施例に係る入力装置２３０によれば、下部筐体１１ｓの操作パネル１８’と、半球内面横一文字凹形状を有したキートップ２４８とが一体成形されて成るものである。従って、耐水性に富んだ密閉構造の入力装置２３０を提供できるようになる。しかも、半球内面横一文字円弧凹形状のキートップ２４８と、数字「０」〜「９」のテンキーや、「＊」キー、「＃」キー等を成す操作パネルとを別々に組み立てる方法に比べて入力装置２３０の組み立てが簡単になる。
【０３７２】
この例では、図５５に示したようにキートップ２４８を下部筐体１１ｓの表面側に設ける場合について説明したが、もちろん、これに限られることはなく、下部筐体１１ｓの裏面側に設ける場合についても、同様な効果が得られることは言うまでもない。
【実施例２４】
【０３７３】
図５６は、第２４の実施例としての入力装置２４０の構成例を示す斜視図である。この実施例では、第１〜第１２の実施例で説明した各種形状を有した筐体側面配置用のキートップ１４，１４１〜１４６に代えて、下部筐体１１ｔの操作パネル１８’と、半球内面縦一文字凹形状を有したキートップ２４９とが一体成形されるものである。
【０３７４】
図５６に示す入力装置２４０は、半球内面縦一文字凹形状を有したキートップ付きの下部筐体１１ｔを有している。下部筐体１１ｔの上部は操作面となされ、上部操作面には数字「０」〜「９」のテンキーや、「＊」キー、「＃」キー等が配置された操作パネル１８’を有している。下部筐体１１ｔによれば、キートップ２４９の操作面は、図５５に示したキートップ形状と異なり、半球内面縦一文字凹形状に陥没している。キートップ２４９は、所定の深さ及び開口幅を有している。下部筐体１１ｔのキートップ２４９の内側の構造については、図５０、図５３又は図５３Ｂに示したようなセンサ１３の構造が採られる（図５０、図５３又は図５３Ｂ参照）。キートップ２４９による押し込み機能を適用する場合は、静電容量シート部材に代えて圧力検出シート部材をセンサ１３に使用すればよい。
【０３７５】
下部筐体１１ｔは、例えば、キートップ２４９となる半球内面縦一文字凹形状や、操作パネル１８’となる数字「０」〜「９」のテンキーや、「＊」キー、「＃」キー等を象った下部筐体用の金型に樹脂を封入してその部分が凹形状を成すように形成される。これにより、キートップ２４９を有した入力装置２４０を密閉構造とすることができる。キートップ２４９は下部筐体１１ｔの一方の操作面から摺動方向に沿って堀り下がり、かつ、他方の操作面に向かって堀り上がる凹部形状に沿って摺動される。また、下部筐体１１ｔの内側であって、キートップ２４９に近い位置に、図１２に示したようなアクチュエータ機能付きのスピーカー３６ｂが備えられ、操作者の指３０ａに触覚を提示できるようになっている。
【０３７６】
この例でキートップ２４９は、半球内面縦一文字凹形状に沿って摺動操作される。これにより、操作者の指３０ａによる摺動操作に対し、下部筐体１１ｔの他方の操作面から半球内面縦一文字凹形状（半球凹形状の一の軌道）に沿って円弧状に堀り下がる摺動操作感覚に加えて、他方の操作面に向かって凹形状に堀り上がる摺動操作感覚を与えることができる。従って、従来方式の十字キーと異なる構造であって、当該十字キーには無いユニークな操作感覚が得られ、及び、当該形状のキートップ２４９は、情報を選択する映像情報選択キーとして応用できるようになる。
【０３７７】
このように、第２４の実施例に係る入力装置２４０によれば、下部筐体１１ｔの操作パネル１８’と、半球内面縦一文字凹形状を有したキートップ２４９とが一体成形されて成るものである。従って、耐水性に富んだ密閉構造の入力装置２４０を提供できるようになる。しかも、半球内面縦一文字凹形状のキートップ２４９と、数字「０」〜「９」のテンキーや、「＊」キー、「＃」キー等を成す操作パネルとを別々に組み立てる方法に比べて入力装置２４０の組み立てが簡単になる。
【０３７８】
この例では、図５６に示したようにキートップ２４９を下部筐体１１ｔの表面側に設ける場合について説明したが、もちろん、これに限られることはなく、下部筐体１１ｔの裏面側に設ける場合についても、同様な効果が得られることは言うまでもない。
【実施例２５】
【０３７９】
図５７は、第２５の実施例としての入力装置２５０の構成例を示す斜視図である。この実施例では、第１〜第１２の実施例で説明した各種形状を有した筐体側面配置用のキートップ１４，１４１〜１４６に代えて、下部筐体１１ｕの操作パネル１８’と、半球内面十字凹形状を有したキートップ２５１とが一体成形されるものである。
【０３８０】
図５７に示す入力装置２５０は、半球内面十字凹形状を有したキートップ付きの下部筐体１１ｕを有している。下部筐体１１ｕの上部は操作面となされ、上部操作面には数字「０」〜「９」のテンキーや、「＊」キー、「＃」キー等が配置された操作パネル１８’を有している。
【０３８１】
下部筐体１１ｕによれば、キートップ２５１の操作面は、図５６に示したキートップ形状と異なり、半球内面十字凹形状に陥没している。下部筐体１１ｕのキートップ２５１の内側の構造については、図５０、図５３又は図５３Ｂに示したようなセンサ１３の構造が採られる（図５０、図５３又は図５３Ｂ参照）。キートップ２５１による押し込み機能を適用する場合は、静電容量シート部材に代えて圧力検出シート部材をセンサ１３に使用すればよい。
【０３８２】
下部筐体１１ｕは、例えば、キートップ２５１となる半球内面十字凹形状や、操作パネル１８’となる数字「０」〜「９」のテンキーや、「＊」キー、「＃」キー等を象った下部筐体用の金型に樹脂を封入してその部分が凹形状を成すように形成される。これにより、キートップ２５１を有した入力装置２５０を密閉構造とすることができる。キートップ２５１は操作パネル１８’の一方の操作面から摺動方向に沿って堀り下がり、かつ、他方の操作面に向かって堀り上がる凹部形状に沿って摺動される。また、下部筐体１１ｕの内側であって、キートップ２５１に近い位置に、図１２に示したようなアクチュエータ機能付きのスピーカー３６ｂが備えられ、操作者の指３０ａに触覚を提示できるようになっている。
【０３８３】
この例でキートップ２５１の半球内面十字凹形状は、図５５に示した半球内面横一文字凹形状と、図５６に示した半球内面縦一文字凹形状とを交差させた形状を有している。キートップ２５１は、半球内面横一文字凹形状に沿って摺動操作され、又は／及び、これと交差する半球内面縦一文字凹形状に沿って摺動操作される。
【０３８４】
このように、第２５の実施例に係る入力装置２５０によれば、下部筐体１１ｕの操作パネル１８’と、平面十字凹形状を有したキートップ２５１とが一体成形されて成るものである。
【０３８５】
従って、操作者の指による摺動操作に対し、下部筐体１１ｕの一方の操作面から半球内面横一文字凹形状（半球凹形状の一の軌道）に沿って円弧状に堀り下がる摺動操作感覚に加えて、他方の操作面に向かって円弧凸状に堀り上がる摺動操作感覚を与えること、及び、下部筐体１１ｕの他方の操作面から半球内面横一文字凹形状（半球凹形状の一の軌道）と交差する他の軌道に沿って円弧状に堀り下がる摺動操作感覚に加えて、他方の操作面に向かって半球内面縦一文字凹形状に堀り上がる摺動操作感覚を与えることができる。
【０３８６】
これにより、耐水性に富んだ密閉構造の入力装置２５０を提供できるようになる。しかも、従来方式のような平面十字凸形状のキートップと、数字「０」〜「９」のテンキーや、「＊」キー、「＃」キー等を成す操作パネルとを別々に組み立てる方法に比べて入力装置２５０の組み立てが簡単になる。
【０３８７】
図５８は、変形例としての入力装置２５０’の構成例を示す分解斜視図である。この実施例ではＦＰＣ基板８１にドームスイッチ８５ａ〜８５ｅが設けられ、キートップ２５１の押し込み操作によってオン又は／及びオフするように操作される。図５８に示す入力装置２５０’によれば、下部筐体１１ｕ’内にＦＰＣ基板８１を配設し、その上部からキートップアレイタイプの操作パネル３８を被せるようにして組み立てられる。
【０３８８】
この例では、図５３に示したような長穴凹形状を有したキートップ２４６（図５３参照）が形成され、かつ、ヒンジ機構を備えた下部筐体１１ｕ’が使用される。下部筐体１１ｕ’は、例えば、ヒンジ機構や、キートップ用の長穴形状を象った金型にＰＣ（ポリカーボネート）樹脂や、ＰＣ＋ＡＢＳ樹脂等を射出して成形したものが使用される。この例では、キートップ２４６を成形した後、ＵＶ（紫外線）塗装を施す。例えば、摩耗性を向上させる溶液をキートップ２４６の操作面に塗布する。その後、紫外線を照射して塗膜面を硬化させる。これにより、キートップ２４６の操作面の耐摩耗性を向上させることができる。
【０３８９】
下部筐体１１ｕ’を金属で形成する場合は、アルミニウム板や、マグネシウム板、ＳＵＳ３０４等のステンレス板を用い、これらの部材をプレス加工、深絞り加工、あるいは、押出し加工により、所定の位置にキートップ２４６を有した下部筐体１１ｕ’を形成する。キートップ２４６の内側には、センサ１３及びＦＰＣ基板８１の順序で配置される。センサ１３は例えば、数字「０」〜「９」のテンキーや、「＊」キー、「＃」キー等を成す操作パネル３８に連続して形成される。
【０３９０】
操作パネル３８の操作面には、数字「０」〜「９」のテンキー部や、「＊」記号キー、「＃」記号キー等を備え、キートップ２５１がテンキー部等と一体成形されて成る。操作パネル３８は、例えば、キートップ２５１やテンキー部等を成す金型に所定の樹脂等を射出して形成する。また、押し子８２ａ〜８２ｅ付きのゴムシート部８２ｆは、センサシート８１ａ’〜８１ｅ’を間に挟む状態でスイッチ機能付きのＦＰＣ基板８１上に配置される。
【０３９１】
ＦＰＣ基板８１は、操作者の指３０ａの摺動位置を検出して位置検出信号＃Ｓ１を出力するシート状のセンサシート８１ａ〜８１ｅ（図示せず）を有して構成されている。ＦＰＣ基板８１はシート状を有している。ＦＰＣ基板８１の一方の面には、ドーム状に隆起した部位を含むシート状のセンサシート８１ａ〜８１ｅが設けられると共に、ドーム状に隆起した部位の内側にドームスイッチ８５ａ〜８５ｅを構成する固定側の接点電極が設けられ、ＦＰＣ基板８１の他方の面には、ドームスイッチ８５ａ〜８５ｅの固定側の接点電極から図示しないスルーホールを介して引き出される配線パターンが設けられる（図３２参照）。
【０３９２】
センサシート８１ａ〜８１ｅは、ゴムシート部８２ｆの下方側に設けられる。この例でも、センサシート８１ａ〜８１ｅの一部がドーム状に隆起し、ドーム状に隆起したセンサシート８１ａ〜８１ｅの部位がドームスイッチ８５ａ〜８５ｅを構成する。メタルドーム部５１１がドームスイッチ８５ａ〜８５ｅの可動側の接点電極はメタルドーム部５１１によって構成される。ＦＰＣ基板８１にはドームスイッチ８５ａ〜８５ｅの他に操作パネル３８を成す数字「０」〜「９」のテンキーや、「＊」キー、「＃」キー等を成す複数のキースイッチが実装される。
【０３９３】
このように入力装置２５０’を構成すると、なぞり検出用のセンサシート８１ａ〜８１ｅと、ドームスイッチ８５ａ〜８５ｅとが一体化されたスイッチ機能付きのＦＰＣ基板８１を提供できるようになる。（図５９参照）。ドームスイッチ８５ａの動作例については、図４１を参照されたい。
【０３９４】
図５９は、入力装置２５０’の内部構成例を示す断面図である。図５９に示す入力装置２５０’はＦＰＣ基板８１を有しており、ＦＰＣ基板８１は操作者の指３０ａの摺動位置を検出して位置検出信号＃Ｓ１を出力するシート状のセンサシート８１ａ〜８１ｅを有している。ＦＰＣ基板８１上にはゴムシート部８２ｆを介在させてキートップ２５１が組み合わされる。
【０３９５】
キートップ２５１は５個のキーパーツ８６ａ〜８６ｅ（８６ｄ，８６ｅは図示せず）を有し、かつ、所定の深さ及び幅を有した凹部形状を成している。例えば、キートップ２５１は、筐体の一方の操作面から摺動方向に沿って堀り下がり、かつ、他方の操作面に向かって堀り上がる凹面半球十字形状を有している。
【０３９６】
ゴムシート部８２ｆはセンサシート８１ａ〜８１ｅの全面を覆うように設けられる。キートップ２５１は、半球凹形状に沿って摺動操作され、又は／及び押下操作される。センサシート８１ａ〜８１ｅのなぞり検出用の電極パターンは、ドームスイッチ８５ａ〜８５ｅのメタルドーム部５１１を兼ね備えるものである。ドームスイッチ８５ａ等は、メタルドーム部５１１のバネ性の付勢力に打ち勝って強く指３０ａ等により押し込まれることで、例えば、ＯＮする。キートップ２５１から指３０ａを離すと、メタルドーム部５１１のバネ性の付勢力によって、キートップ２５１が戻ってドームスイッチ８５ａがオフするようになされる。
【０３９７】
この例で、キーパーツ８６ａは、入力操作時、ドームスイッチ８５ａを押下してオンするように操作される。同様にして、キーパーツ８６ｂはドームスイッチ８５ｂを押下してオンするように操作される。キーパーツ８６ｃはドームスイッチ８５ｃを押下してオンするように操作される。図５９には示していないキーパーツ８６ｄはドームスイッチ８５ｄを押下してオンするように操作される。同様に図示しないキーパーツ８６ｅは、ドームスイッチ８５ｅを押下してオンするように操作される。
【０３９８】
この例では、センサシート８１ａ〜８１ｅで操作者の指３０ａの摺動位置を検出する検出領域が、キートップ２５１で当該操作者の指３０ａによって摺動操作される操作領域よりも広く設定されている。このようにすると、操作者の指３０ａによる摺動操作に対し、凸部形状のキートップ２５１を挟んだ操作パネル１８の左右の操作面と、上下の操作面を摺動操作範囲に含めることができる。この形状のキートップ２５１は、各種情報を検索する際のスクロールキーの検索ピッチや、カメラ起動時、光学レンズのズーム量を調整する際にズーム調整ピッチを円滑に設定できるようになる。
【０３９９】
これにより、操作者の指３０ａによる摺動操作に対し、下部筐体１１ｎの一方の操作面から立体十字凸形状の一の円弧状に沿って盛り上がる摺動操作感覚に加えて、他方の操作面に向かって同円弧状に沿って盛り下がる摺動操作感覚を与えること、及び、下部筐体１１ｎの他方の操作面から他の円弧状に沿って盛り上がる摺動操作感覚に加えて、他方の操作面に向かって同円弧状に盛り下がる摺動操作感覚を与えることができる。なお、図中、ｔａはゴムシート部８２ｆとセンサシート８１ａ等との間を成す部品間距離であり、部品間距離ｔａは約０．２７ｍｍである。このような電極構造を採用することによって、入力装置２５０’の薄型化できるようになった。
【０４００】
図６０は変形例としての入力装置２５０”の内部構成例を示す断面図である。図６０に示す更なる変形例としての入力装置２５０”は、電子機器の一例を構成し、操作者の指３０ａの摺動位置を検出して位置検出信号＃Ｓ１を出力すると共に、なぞり操作を検出してなぞり検出信号Ｓ01〜Ｓ05を出力するものである（図４４参照）。入力装置２５０”はシート状のＦＰＣ基板８０１を有しており、その表面側に図３８で示したようなセンサシート８１ａ’〜８１ｅ’（８１ｄ’及び８１ｅ’は図示せず）が配置され、その裏面側にはドームスイッチ８５ａ〜８５ｅが配置されている。当該ＦＰＣ基板８０１上にはゴムシート部８２ｆ’を介在させてキートップ２５１が組み合わされる。センサシート８１ａ’〜８１ｅ’は、キートップ２５１への摺動位置を検出して位置検出信号＃Ｓ１を出力する。
【０４０１】
キートップ２５１は５個のキーパーツ８６ａ’〜８６ｅ’を有し、かつ、所定の深さ及び幅を有した半球内面十字凹形状を成している。キートップ２５１は、操作パネル３８の一方の操作面から摺動方向に沿って掘り下がり、かつ、他方の操作面に向かって堀り上がる凹部形状を含み構成される。ゴムシート部８２ｆ’はセンサシート８１ａ’〜８１ｅ’の全面を覆うように設けられる。キートップ２５１は、凹面半球十字形状に沿って摺動操作され、又は／及び押下操作される。
【０４０２】
この例でも、下部筐体１１ｕ’を構成する操作パネル３８とキートップ２５１とが一体成形されて成る。また、センサシート８１ａ’〜８１ｅ’で操作者の指３０ａの摺動位置を検出する検出領域が、キートップ２５１で当該操作者の指３０ａによって摺動操作される操作領域よりも広く設定されている。このようにすると、操作者の指３０ａによる摺動操作に対し、凸部形状のキートップ２５１を挟んだ操作パネル３８の左右の操作面と、上下の操作面を摺動操作範囲に含めることができる。
【０４０３】
ＦＰＣ基板８０１は、操作者の指３０ａのキートップ２５１への押し込み操作によってオン又は／及びオフするドームスイッチ８５ａ〜８５ｅを含み構成される。ＦＰＣ基板８０１の他方の面には、ドーム状に隆起したドームスイッチ８５ａ〜８５ｅを構成するメタルドーム部５１１が設けられると共に、当該ドーム状に隆起した部位の内側であって、所定の間隔だけ離れた位置に当該ドームスイッチ８５ａ〜８５ｅを構成する固定側の接点電極が設けられる。メタルドーム部５１１は可動側の接点電極を構成する。
【０４０４】
この例でも、ＦＰＣ基板８０１下のドームスイッチ８５ａ〜８５ｅのメタルドーム部５１１（ドーム状部位の上面）はＣ形状を成し、当該ドームスイッチ８５ａ〜８５ｅの固定側の接点電極がＣ形状部位の開放端間を通過して配線される（図４３参照）。なお、ドームスイッチ８５ａ〜８５ｅの可動側の接点電極を構成するメタルドーム部５１１には、図４２Ｃで説明したようなドーム状部位の両側端部が切断されたカット形状を成すメタルドーム部５１１’を使用してもよい。
【０４０５】
図６１は、キートップ２５１の個々のキーパーツ８６ａ’〜８６ｃ’の幅とドームスイッチ８５ａ〜８５ｃ等の幅との関係例を示す入力装置２５０”の断面図である。この例でも、図６１に示すキートップ２５１のキーパーツ８６ａ’の幅をα１とし、ドームスイッチ８５ａの幅をβ１としたとき、当該キーパーツ８６ａ’の幅α１とドームスイッチ８５ａの幅β１との間にはα１＞β１なる関係が設定される。同様にして、キーパーツ８６ｂ’の幅をα２とし、ドームスイッチ８５ｂの幅をβ２としたとき、当該キーパーツ８６ｂ’の幅α２とドームスイッチ８５ｂの幅β２との間にはα２＞β２なる関係が設定される。キーパーツ８６ｃ’の幅をα３とし、ドームスイッチ８５ｃの幅をβ３としたとき、当該キーパーツ８６ｃの幅α３とドームスイッチ８５ｃの幅β３との間にはα３＞β３なる関係が設定される。
【０４０６】
上述のように、キーパーツ８６ａ’の幅α１とドームスイッチ８５ａの幅β１との間にα１＞β１なる関係を設定すると、キーパーツ８６ａ’から、ゴムシート部８２ｆ’を介してドームスイッチ８５ａへ押圧力が再現性良く伝達され、そのメタルドーム部５１１を撓ませることができ、オン及びオフ操作を精度良く実行できるようになる。他のキーパーツ８６ｂ’〜８６ｅ’とドームスイッチ８５ｂ〜８５ｅについても同様に設定されるので、ドームスイッチ８５ｂ〜８５ｅにおいても、そのメタルドーム部５１１を各々の撓ませることができ、オン及びオフ操作を精度良く実行できるようになる。
【０４０７】
このように変形例としての入力装置２５０’によれば、キートップ２５１は、半球内面横一文字凹形状に沿って摺動操作され、又は／及び、これと交差する半球内面縦一文字凹形状に沿って摺動操作される。更に、キートップ２５１の押し込み操作によってドームスイッチ８５ａ〜８５ｅがオン又は／及びオフする。これにより、情報選択後、キートップ２５１を押し込み操作することによって、ドームスイッチ８５ａ〜８５ｅをオン又は／及びオフすることができ、入力を決定する際の確定キーに応用できるようになる。
【０４０８】
従って、従来方式の十字キーと異なる構造であって、当該十字キーには無いユニークな操作感覚が得られ、及び、当該形状のキートップ２５１は、各種情報を検索する際のスクロールキーの検索ピッチや、音量を調整する際のボリュームキー等の音量調整ピッチを広く設定できるようになる。
【０４０９】
この例では、図５７〜図６１に示したようにキートップ２５１を下部筐体１１ｕの表面側に設ける場合について説明したが、もちろん、これに限られることはなく、下部筐体１１ｕの裏面側に設ける場合についても、同様な効果が得られることは言うまでもない。
【実施例２６】
【０４１０】
図６２は、第２６の実施例としての入力装置２６０の構成例を示す斜視図である。この実施例では、第１〜第１２の実施例で説明した各種形状を有した筐体側面配置用のキートップ１４，１４１〜１４６に代えて、下部筐体１１ｖの操作パネル１８’と、半球内面凹形状を有したキートップ２５２とが一体成形されるものである。
【０４１１】
図６２に示す入力装置２６０は、半球内面凹形状を有したキートップ付きの下部筐体１１ｖを有している。下部筐体１１ｖの上部は操作面となされ、上部操作面には数字「０」〜「９」のテンキーや、「＊」キー、「＃」キー等が配置された操作パネル１８’を有している。操作パネル１８’の個々のキーは楕円形状を有している。下部筐体１１ｖによれば、キートップ２５２の操作面は、図５７に示したキートップ形状と異なり、半球内面凹形状に陥没している。下部筐体１１ｖのキートップ２５２の内側の構造については、図５０、図５３又は図５３Ｂに示したようなセンサ１３の構造が採られる（図５０、図５３又は図５３Ｂ参照）。キートップ２５２による押し込み機能を適用する場合は、静電容量シート部材に代えて圧力検出シート部材をセンサ１３に使用すればよい。
【０４１２】
下部筐体１１ｖは、例えば、キートップ２５２となる半球内面凹形状や、操作パネル１８’となる数字「０」〜「９」のテンキーや、「＊」キー、「＃」キー等を象った下部筐体用の金型に樹脂を封入してその部分が凹形状を成すように形成される。これにより、キートップ２５２を有した入力装置２６０を密閉構造とすることができる。また、下部筐体１１ｖの内側であって、キートップ２５２に近い位置に、図１２に示したようなアクチュエータ機能付きのスピーカー３６ｂが備えられ、操作者の指３０ａに触覚を提示できるようになっている。
【０４１３】
この例で、キートップ２５２の半球内面凹形状は、所定の深さ及び開口幅を有した凹形状を成している。キートップ２５２は、半球内面凹形状の一の軌道に沿って摺動操作され、又は／及び当該軌道と交差する他の軌道に沿って摺動操作される。これにより、操作者の指による摺動操作に対し、下部筐体１１ｖの一方の操作面から半球内面凹形状の一の軌道に沿って円弧状に掘り下がる摺動操作感覚に加えて、他方の操作面に向かって円弧状に掘り上がる摺動操作感覚を与えること、及び、下部筐体１１ｖの他方の操作面から半球内面凹形状の一の軌道と交差する他の軌道に沿って円弧状に掘り下がる摺動操作感覚に加えて、他方の操作面に向かって円弧状に掘り上がる摺動操作感覚を与えることができる。
【０４１４】
このように、第２６の実施例に係る入力装置２６０によれば、下部筐体１１ｖの操作パネル１８’と、半球内面凹形状を有したキートップ２５２とが一体成形されて成るものである。従って、耐水性に富んだ密閉構造の入力装置２６０を提供できるようになる。しかも、半球内面凹形状のキートップ２５２と、数字「０」〜「９」のテンキーや、「＊」キー、「＃」キー等を成す操作パネルとを別々に組み立てる方法に比べて入力装置２６０の組み立てが簡単になる。また、従来方式の十字キーと異なる構造であって、当該十字キーには無いユニークな操作感覚が得られる。更に、半球内面凹形状のキートップ２５２は、情報を選択する映像情報選択キーとして応用できるようになる。例えば、キートップ２５２の一方向又は複数方向へのスライド操作、一方向への押し込む操作による情報選択及び、その決定操作を実現することが可能となる。
【０４１５】
この例では、図６２に示したようにキートップ２５２を下部筐体１１ｖの表面側に設ける場合について説明したが、もちろん、これに限られることはなく、下部筐体１１ｖの裏面側に設ける場合についても、同様な効果が得られることは言うまでもない。
【実施例２７】
【０４１６】
図６３は、第２７の実施例としての入力装置２７０の構成例を示す斜視図である。この実施例では、第１８の実施例で説明した半球凹形状を有したキートップ１５２に代えて、下部筐体１１ｗの操作パネル１８と、半球外面十字凸形状のキートップ１５３とが一体成形されるものである。
【０４１７】
図６３に示す入力装置２７０は、半球外面十字凸形状を有したキートップ付きの下部筐体１１ｗを有している。下部筐体１１ｗの上部は操作面となされ、上部操作面には数字「０」〜「９」のテンキーや、「＊」キー、「＃」キー等が配置された操作パネル１８を有している。下部筐体１１ｗによれば、キートップ１５３の操作面は、図３０に示したキートップ形状と異なり、半球外面十字凸形状に隆起している。下部筐体１１ｗのキートップ１５３の内側の構造については、図１８、図１９又は図２０Ｂに示したようなセンサ１３の構造が採られる（図１８、図１９又は図２０Ｂ参照）。
【０４１８】
下部筐体１１ｗは、例えば、キートップ１５３となる半球外面十字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１５３を有した入力装置２７０を密閉構造とすることができる。また、下部筐体１１ｗの内側であって、キートップ１５３に近い位置に、図１２に示したようなアクチュエータ機能付きのスピーカー３６ｂが備えられ、操作者の指３０ａに触覚を提示できるようになっている。
【０４１９】
この例で、キートップ１５３は、所定の高さ及び幅を有した半球外面十字凸形状を成している。十字部位の各頂点には、銀杏の葉状（略三角形）のタッチマーク５３ａ〜５３ｄ（キーマーク）が設けられる。キートップ１５３は、半球外面十字凸形状の一の軌道に沿って摺動操作され、又は／及び当該軌道と交差する他の軌道に沿って摺動操作される。更に、４個のタッチマーク５３ａ〜５３ｄを個別に押し込むようになされる。押し込み部位は、４個のタッチマーク５３ａ〜５３ｄの他に、キートップ１５３の頂上部位を押し込むように操作される。
【０４２０】
これにより、操作者の指による摺動操作に対し、下部筐体１１ｗの一方の操作面から半球外面十字凸形状の一の軌道に沿って円弧状に盛り上がる摺動操作感覚に加えて、他方の操作面に向かって円弧状に盛り下がる摺動操作感覚を与えること、及び、下部筐体１１ｗの他方の操作面から半球外面十字凸形状の一の軌道と交差する他の軌道に沿って円弧状に盛り上がる摺動操作感覚に加えて、他方の操作面に向かって円弧状に盛り下がる摺動操作感覚を与えることができる。
【０４２１】
更に、４個のタッチマーク５３ａ〜５３ｄや、キートップ１５３の頂上部位の押し込み操作によって、図１２に示したようなアクチュエータ機能付きのスピーカー３６ｂからキートップ１５３へ振動を伝播するようになされ、操作者の指へ触覚を提示できるようになされる。
【０４２２】
このように、第２７の実施例に係る入力装置２７０によれば、下部筐体１１ｗの操作パネル１８と、半球外面十字凸形状を有したキートップ１５３とが一体成形されて成るものである。従って、耐水性に富んだ密閉構造の入力装置２７０を提供できるようになる。しかも、半球外面十字凸形状のキートップ１５３と、数字「０」〜「９」のテンキーや、「＊」キー、「＃」キー等を成す操作パネルとを別々に組み立てる方法に比べて入力装置２７０の組み立てが簡単になる。また、従来方式の十字キーと異なる構造であって、当該十字キーには無いユニークな操作感覚が得られ、及び、当該半球外面十字凸形状のキートップ１５３は、情報を選択する映像情報選択キーとして応用できるようになる。
【０４２３】
この例では、図６３に示したようにキートップ１５３を下部筐体１１ｗの表面側に設ける場合について説明したが、もちろん、これに限られることはなく、下部筐体１１ｗの裏面側に設ける場合についても、同様な効果が得られることは言うまでもない。
【実施例２８】
【０４２４】
図６４は、第２８の実施例としての入力装置２８０の構成例を示す斜視図である。図６４に示す入力装置２８０は、図５７に示した入力装置２５０に光導伝部材１６１が追加され、この例では、半球内面十字凹形状のキートップ付きの下部筐体１１ｚを有している。下部筐体１１ｚの上部は操作面となされ、上部操作面には数字「０」〜「９」のテンキーや、「＊」キー、「＃」キー等が配置された操作パネル１８’を有している。下部筐体１１ｚによれば、キートップ２５１の操作面は、図５７に示した入力装置２５０と異なり、キートップ２５１の周囲が光導伝部材１６１から構成されている。下部筐体１１ｚには、ポリカーボネート（ＰＣ）樹脂や、ＡＢＳ樹脂を金型射出成形したものが使用される。
【０４２５】
光導伝部材１６１は、内側に開口部６１ｅを有した円柱環状を成している。光導伝部材１６１の外周縁部には、例えば、４個の凹凸状の三角マーク６１ａ〜６１ｄが設けられる。光導伝部材１６１には、透明性のアクリル系の樹脂を金型射出成形したものが使用される。もちろん、光導伝部材１６１とキートップ２５１とを一体形成してもよい。厚みは１．０ｍｍ程度である。材質はポリカーボネート等である。
【０４２６】
この例では、操作パネル１８’上のキートップ２５１の外周縁部に光導伝部材１６１の開口部６１ｅが嵌め込まれる。下部筐体１１ｚ内には回路基板１７’が実装される。回路基板１７’には厚み１．１ｍｍ程度のガラスエポキシ基板が使用される。回路基板１７’の所定の位置、例えば、キートップ２５１の下方で対峙する位置には光源の一例を構成する複数のＬＥＤ素子６２ａ〜６２ｅが設けられ、光導伝部材１６１や、キートップ２５１の中央部付近に光を照射するようになされる。
【０４２７】
例えば、ＬＥＤ素子６２ａが光導伝部材１６１の三角マーク６１ａにＬＥＤ光を照射し、ＬＥＤ素子６２ｂがその三角マーク６１ｂにＬＥＤ光を照射し、ＬＥＤ素子６２ｃがその三角マーク６１ｃにＬＥＤ光を照射し、ＬＥＤ素子６２ｄがその三角マーク６１ｄにＬＥＤ光を照射する。ＬＥＤ素子６２ｅはキートップ２５１の中央部付近にＬＥＤ光を照射するようになされる。もちろん、光源を１つにまとめて分光し配光するようにしてもよい。ＬＥＤ素子６２ａ〜６２ｅには赤色光を発光するレーザダイオードや、緑色光を発光するレーザダイオード、青色光を発光するレーザダイオードが使用される（ＬＥＤ光拡散構造）。
【０４２８】
このように第２８の実施例に係る入力装置２８０によれば、キートップ２５１には光導伝部材１６１が設けられ、ＬＥＤ素子６２ａ〜６２ｅから照射されたＬＥＤ光でキートップ２５１及びその周辺部を光らせることができ、入力装置２８０の操作性を向上させることができる。しかも、キートップ２５１が光ることで、当該入力装置２８０を応用した携帯電話機や、ビデオカメラ、デジタルカメラ等の電子機器の意匠性が向上し、ユーザの購買意欲を誘導できるようになる。上述したＬＥＤ光拡散構造は、第２８の実施例に限られることはなく、第１〜第２７の実施例について適用してもよい。
【０４２９】
この例では、図６４に示したようにキートップ２５１を下部筐体１１ｚの表面側に設ける場合について説明したが、もちろん、これに限られることはなく、下部筐体１１ｚの裏面側に設ける場合についても、同様な効果が得られることは言うまでもない。
【実施例２９】
【０４３０】
図６５は、第２９の実施例に係る入力装置２９０の構成例を示す分解斜視図である。図６５に示す入力装置２９０は、図１、図２４及び図２６に示した携帯電話機１０１〜１０３の表示部２９上に、図３１に示した入力装置１８０のキートップ１５２の構造を適用するようにしたものである。
【０４３１】
図６５に示す入力装置２９０は表示部２９を有して構成される。入力装置２９０は、表示トップ部材６３、センサ１３’及びＬＣＤ素子６４が上部から順に積層されて構成される。表示部２９は表示トップ部材６３及びＬＣＤ素子６４を有して構成され、その所定の位置には凸状を成したキートップ１５２’が配設される。表示部２９は、キートップ１５２’によって入力される情報を表示する。
【０４３２】
表示トップ部材６３はセンサ１３’の全体を覆うように組み立てられる。表示トップ部材６３には、厚さ１．０ｍｍ程度のポリカーボネート等が使用され、この例では、表示トップ部材６３の所定の位置にキートップ１５２’を構成する凸部が設けられる。センサ１３’には静電容量シート部材や、圧力検出シート部材等が使用される。
【０４３３】
キートップ１５２’は、操作性を良くするために、例えば、表示部２９の中央部位よりやや上方又は下方位置に配設するとよい。キートップ１５２’は、表示トップ部材６３に貼付する方法や、キートップ用の樹脂を金型射出成形して、表示トップ部材６３とキートップ１５２’とを一体形成する方法で形成するとよい。厚みは１．０ｍｍ程度である。センサ１３’の裏面側には、ＬＣＤ素子６４が配置され、ＬＣＤ素子６４には厚み１．７ｍｍ程度のカラー用の液晶表示素子が使用される。
【０４３４】
この例で、キートップ１５２’は、所定の高さ及び幅を有した半球凸形状を成している。キートップ１５２’は、半球凸形状の一の軌道に沿って摺動操作され、又は／及び当該軌道と交差する他の軌道に沿って摺動操作される。もちろん、表示部２９にＬＣＤ素子６４を介して入力情報を選択させるためのアイコン映像を表示し、このアイコン映像に沿って操作者の指を摺動操作させるようにしてもよい。
【０４３５】
このように、第２９の実施例に係る入力装置２９０によれば、表示トップ部材６３、センサ１３’及びＬＣＤ素子６４が順に積層された表示部２９の中央部位よりやや上方又は下方位置にキートップ１５２’が設けられ、表示トップ部材６３と、半球凸形状を有したキートップ１５２’とが一体成形又は、表示トップ部材６３上にキートップ１５２’が貼付されて成るものである。
【０４３６】
従って、耐水性に富んだ密閉構造の入力装置２９０を提供できるようになる。しかも、操作者の指による摺動操作に対し、表示部２９の表示トップ部材６３の一方の表示面から半球凸形状の一の軌道に沿って円弧状に盛り上がる摺動操作感覚に加えて、他方の表示面に向かって円弧状に盛り下がる摺動操作感覚を与えること、及び、表示トップ部材６３の他方の表示面から半球凸形状の一の軌道と交差する他の軌道に沿って円弧状に盛り上がる摺動操作感覚に加えて、他方の表示面に向かって円弧状に盛り下がる摺動操作感覚を与えることができる。
【０４３７】
これにより、当該入力装置２９０を応用した携帯電話機や、ビデオカメラ、デジタルカメラ等の電子機器の入力操作性が向上し、従来方式のタッチパネルには無いユニークな操作感覚が得られるようになる。
【０４３８】
次に、触覚入力機能付きの携帯電話機１０１等について説明をする。図６６は、携帯電話機１０１等の制御系の構成例及びその感触フィードバック機能例を示すブロック図である。
【０４３９】
図６６に示す携帯電話機１０１等は、下部筐体１１ｂの回路基板１７等に各機能のブロックを実装して構成される。なお、図１〜図１３等に示した各部と対応する部分は、同一符号で示している。携帯電話機１０１等は、制御部１５、操作パネル１８、受信部２１、送信部２２、アンテナ共用器２３、入力装置３００、表示部２９、電源ユニット３３、カメラ３４、記憶部３５、着信メロディ用のスピーカー３６ａ、アクチュエータ機能付きのスピーカー３６ｂを有している。
【０４４０】
図６６に示す入力装置３００は、センサ１３やセンサシート８１ａ〜８１ｅ等に関して、図１〜図５７では回路基板１７，ＦＰＣ基板８１，８０１を使用する場合について説明したが、摺動操作（カーソリング）と押し込み（選択決定）の機能を区別できるものであれば何でも良く、例えば、圧力検出シート部材等の入力デバイスであっても良く、好ましくは位置検出情報と押し込み検出情報を制御部１５に与えられる構成の入力デバイスであれば良い。
【０４４１】
入力装置３００は、携帯電話機１０１等を構成する下部筐体に設けられ、操作者の指３０ａによる摺動操作及び押し込み操作によって情報を入力する。例えば、入力装置３００は操作者の指３０ａの摺動位置又は押し込み力を検出して、少なくとも、位置検出信号＃Ｓ１および押し込み検出信号＃Ｓ２を制御部１５に出力するようになされる。
【０４４２】
入力装置３００には、第１〜第２９の実施例に係る入力装置１０〜２９０が使用される。例えば、第２９の実施例に係る入力装置２５０が使用される場合、入力装置２５０は、下部筐体１１ｕ内に設けられて操作者の指の摺動位置を検出するセンサ１３と、センサ１３を覆うように設けられ、下部筐体１１ｕの操作面に沿って摺動操作されるキートップ２４６とを有し、キートップ２４６は、下部筐体１１ｕの一方の操作面から摺動方向に沿って掘り下がり、かつ、他方の操作面に向かって堀り上がる凹部形状を含んでいる（図５７及び図５８参照）。
【０４４３】
制御部１５は制御系を構成し、画像処理部２６、Ａ／Ｄドライバ３１、ＣＰＵ３２及びメモリ部３７を有している。Ａ／Ｄドライバ３１には、入力装置３００からの位置検出信号＃Ｓ１および押し込み検出信号＃Ｓ２が供給される。Ａ／Ｄドライバ３１ではカーソリングとアイコン選択の機能を区別するために位置検出信号＃Ｓ１および押し込み検出信号＃Ｓ２よりなるアナログ信号をデジタルデータに変換する。この他にＡ／Ｄドライバ３１は、このデジタルデータを演算処理して、カーソリング入力かアイコン選択情報かを検出し、カーソリング入力かアイコン選択かを区別する映像情報データＤ３あるいは位置検出情報Ｄ１または押し込み検出情報Ｄ２をＣＰＵ３２に供給するようになされる。これらの演算はＣＰＵ３２内で実行してもよい。
【０４４４】
Ａ／Ｄドライバ３１にはＣＰＵ３２が接続される。ＣＰＵ３２はシステムプログラムに基づいて当該電話機全体を制御するようになされる。記憶部３５には当該電話器全体を制御するためのシステムプログラムデータが格納される。図示しないＲＡＭはワークメモリとして使用される。ＣＰＵ３２は電源オンと共に、記憶部３５からシステムプログラムデータを読み出してＲＡＭに展開し、当該システムを立ち上げて携帯電話機全体を制御するようになされる。
【０４４５】
例えば、ＣＰＵ３２は、Ａ／Ｄドライバ３１からの位置検出情報Ｄ１、押し込み検出情報Ｄ２及び情報データＤ３（以下単に入力データともいう）を受けて所定の指令データＤを電源ユニット３３や、カメラ３４、記憶部３５、メモリ部３７、映像＆音声処理部４４等のデバイスに供給したり、受信部２１からの受信データを取り込んだり、送信部２２へ送信データを転送するように制御する。
【０４４６】
映像＆音声処理部４４には表示部２９が接続され、例えば、センサ１３によって検出された操作者の指３０ａの摺動操作や押し込み操作に対応したスクロール画像２９ａ’や２９ｂ’等が表示される。この例で、ＣＰＵ３２は操作者の指３０ａの摺動操作速度を検出し、当該操作者の指３０ａの摺動操作速度に応じて表示部２９におけるスクロール画像２９ａ’や２９ｂ’等の表示ピッチを調整する。
【０４４７】
このように表示制御すると、情報検索時、操作者の指３０ａの摺動操作速度が速い場合に、表示部２９におけるスクロール画像２９ｂ’等の表示ピッチを狭く設定すること、反対に、操作者の指３０ａの摺動操作速度が遅い場合には、表示部２９におけるスクロール画像２９ａ’等の表示ピッチを広く設定するように調整できるようになる。従って、情報検索対象が複数存在する場合において、目的のスクロール画像から遠い場合は、スクロール画像を荒く飛ばすように送り、目的のスクロール画像に近づいたときは、ゆっくりとスクロール画像を送るように検索できるようになる。
【０４４８】
この例でセンサ１３に圧力検出シート部材が使用される場合であって、ＣＰＵ３２はスクロール画像２９ａ’や２９ｂ’等の表示ピッチ調整の他に、入力装置３００から得られる押し込み検出情報Ｄ２と予め設定された押下判定閾値Ｆthとを比較し、当該比較結果に基づいてアクチュエータ機能付きのスピーカー３６ｂを振動制御するようにメモリ部３７を読み出し制御する。例えば、入力装置３００の押下位置における操作面から伝播される触覚をＡ及びＢとすると、触覚＃Ａは、その摺動位置における操作者の指３０ａの摺動操作に応じた操作面を低周波数かつ小振幅の振動パターンから、高周波数かつ大振幅の振動パターンに変化させることによって得られる。また、触覚＃Ｂは、その摺動位置における操作者の指３０ａの押し込み力の有無に応じた操作面を高周波数かつ大振幅の振動パターンから、低周波数かつ小振幅の振動パターンに変化させることよって得られる。
【０４４９】
上述のＣＰＵ３２には記憶部３５が接続され、入力項目選択用の表示画面を、例えば、３次元的に表示するための表示情報Ｄ４や、当該表示情報Ｄ４に対応したアイコンの選択位置及び振動モードに関する制御情報Ｄｃ等が表示画面毎に記憶される。制御情報Ｄｃには、表示部２９におけるアプリケーション（３次元的な表示や、各種表示内容）に同期した複数の異なった触覚を発生でき、その触覚を発生せしめる複数の具体的な振動波形、及び、アプリケーション毎の具体的な触覚発生モードを設定するアルゴリズムが含まれる。記憶部３５には、ＥＥＰＲＯＭや、ＲＯＭ、ＲＡＭ等が使用される。
【０４５０】
この例でＣＰＵ３２は、Ａ／Ｄドライバ３１から出力される位置検出情報Ｄ１、押し込み検出情報Ｄ２及び情報データＤ３に基づいて表示部２９の表示制御及び、アクチュエータ機能付きのスピーカー３６ｂの出力制御をする。例えば、制御部１５は、入力装置３００から得られる位置検出信号＃Ｓ１及び押し込み検出信号＃Ｓ２に基づいて記憶部３５から制御情報Ｄｃを読み出して、メモリ部３７へアクセスし、アクチュエータ機能付きのスピーカー３６ｂに振動発生信号Ｓａを供給するような制御がなされる。
【０４５１】
この例でセンサ１３に圧力検出シート部材が使用される場合であって、ＣＰＵ３２は、押下判定閾値Ｆth以下の押し込み検出情報Ｄ２を検出したとき、触覚＃Ａを起動し、その後、入力装置３００が押下判定閾値Ｆthを越える押し込み検出情報Ｄ２を検出したとき、触覚＃Ｂを起動するように、メモリ部３７を読み出し制御する。このようにすると、操作者の指３０ａ等の”加圧力”に合わせた異なる振動パターンを発生させることができる。
【０４５２】
ＣＰＵ３２にはメモリ部３７が接続され、ＣＰＵ３２からの制御情報Ｄｃに基づいて振動発生データＤａを読み出す。振動発生データＤａは、正弦波形からなる出力波形を有している。メモリ部３７には映像＆音声処理部４４が接続され、各々の振動発生データＤａが映像＆音声処理部４４に供給され、その振動発生データＤａが音声処理（デジタル・アナログ変換・増幅等）され、振動発生信号Ｓout２となってアクチュエータ機能付きのスピーカー３６ｂに供給される。スピーカー３６ｂは、振動発生信号Ｓout２に基づいて振動するようになされる。
【０４５３】
この例で、メモリ部３７は、各アプリケーションに対応する押下判定閾値Ｆthを記憶する。例えば、押下判定閾値Ｆthはトリガーパラメータとして記憶部３５に設けられたＲＯＭ等に予め格納される。記憶部３５は、ＣＰＵ３２の制御を受けて、押し込み検出情報Ｄ２を入力し、予め設定された押下判定閾値Ｆthと、押し込み検出情報Ｄ２から得られる押し込み力Ｆを比較し、Ｆth≧Ｆの判定処理や、Ｆth＜Ｆ等の判定処理を実行する。
【０４５４】
例えば、押下判定閾値Ｆth＝１００［ｇｆ］をメモリ部３７に設定すると、クラシックスイッチの触覚を得るための振動パターンに基づいて操作面を振動するようになされる。また、押下判定閾値Ｆth＝２０［ｇｆ］を設定すると、サイバースイッチの触覚を得るための振動パターンに基づいて操作面を振動するようになされる。
【０４５５】
ＣＰＵ３２にはメモリ部３７の他に画像処理部２６が接続され、スクロール画像２９ａ’や２９ｂ’等をスクロール表示するための表示情報Ｄ４を画像処理するようになされる。画像処理後の表示情報Ｄ４を表示部２９に供給するようになされる。この例で、ＣＰＵ３２は、表示画面中のスクロール画像２９ａ’や２９ｂ’等を奥行方向に遠近感を有して３次元的に表示するように表示部２９を表示制御する。
【０４５６】
表示部２９の表示内容は操作者の目３０ｂによる視覚により、スピーカー３６ａ，３６ｂ等からの放音は、操作者の耳３０ｃによる聴覚により各機能を判断するようになされる。上述のＣＰＵ３２には操作パネル１８が接続され、例えば、相手方の電話番号を手動入力する際に使用される。表示部２９には上述のアイコン選択画面の他に映像信号Ｓｖに基づいて着信映像を表示するようにしてもよい。
【０４５７】
また、図６６に示すアンテナ１６は、アンテナ共用器２３に接続され、着呼時、相手方からの無線電波を基地局等から受信する。アンテナ共用器２３には受信部２１が接続され、アンテナ１６から導かれる受信データを受信して映像や音声等を復調処理し、復調後の映像及び音声データＤinをＣＰＵ３２等に出力するようになされる。受信部２１には、ＣＰＵ３２を通じて映像＆音声処理部４４が接続され、デジタルの音声データをデジタル／アナログ変換して音声信号Ｓoutを出力したり、デジタルの映像データをデジタル／アナログ変換して映像信号Ｓｖを出力するようになされる。
【０４５８】
映像＆音声処理部４４には大音響用を構成するスピーカー３６ａ及び、受話器を構成するアクチュエータ機能付きのスピーカー３６ｂ（振動体）が接続される。スピーカー３６ａは、着呼時、音響信号Ｓout１に基づいて着信音や着信メロディ等を鳴動するようになされる。スピーカー３６ｂは、音声信号Ｓout２’を入力して相手方の話し声３０ｄ等を拡大するようになされる。また、スピーカー３６ｂは、触覚提示時、振動発生信号Ｓout２に基づいて振動するようになされる。
【０４５９】
この映像＆音声処理部４４にはスピーカー３６ａ，３６ｂの他に、送話器を構成するマイクロフォン４３が接続され、操作者の声を集音して音声信号Ｓinを出力するようになされる。映像＆音声処理部４４は、発呼時、相手方へ送るためのアナログの音声信号Ｓinをアナログ／デジタル変換してデジタルの音声データを出力したり、アナログの映像信号Ｓｖをアナログ／デジタル変換してデジタルの映像データを出力するようになされる。
【０４６０】
ＣＰＵ３２には受信部２１の他に、送信部２２が接続され、相手方へ送るための映像及び音声データＤout等を変調処理し、変調後の送信データをアンテナ共用器２３を通じアンテナ１６に供給するようになされる。アンテナ１６は、アンテナ共用器２３から供給される無線電波を基地局等に向けて輻射するようになされる。
【０４６１】
上述のＣＰＵ３２には送信部２２の他に、カメラ３４が接続され、被写体を撮影して、例えば、静止画情報や動作情報を送信部２２を通じて相手方に送信するようになされる。カメラ３４は上部筐体１１ａ，１１ｘ，１１ｘ’等の背面側に設けてもよい。電源ユニット３３は、バッテリーを有しており、操作パネル１８、受信部２１、送信部２２、表示部２９、ＣＰＵ３２、カメラ３４、記憶部３５、メモリ部３７、映像＆音声処理部４４及び入力装置３００にＤＣ電源を供給するようになされる。なお、この例で、メモリ部３７を映像＆音声処理部４４とは別個に設ける場合について説明したが、映像＆音声処理部４４に備え付けの記憶装置を兼用するようにしてもよい。部品点数が低減できる。
【０４６２】
図６７Ａ及びＢは、触覚＃Ａ及び＃Ｂに係る振動パターン例を示す波形図である。図６７Ａ及びＢにおいて、いずれも横軸は、時間ｔである。縦軸は振動発生信号Ｓａの振幅Ａｘ［Ｖ］である。この例では、表示部２９に表示されるスクロール画像２９ａ’や２９ｂ’等において、例えば、操作者の指３０ａの摺動操作時に触覚＃Ａ及び触覚＃Ｂを与える。この例では、キートップ２４６上をなぞって摺動操作する場合は触覚＃Ａを与え、キートップ２４６を押し込む場合は触覚＃Ｂを与える場合を例に挙げる。
【０４６３】
図６７Ａに示す第１の振動パターンＰａは触覚＃Ａを与える波形である。その触覚＃Ａの駆動条件ａは、キートップ２４６によってスクロール操作（摺動操作）する場合であって、押下判定閾値Ｆthと加圧力Ｆとの関係がＦth≧Ｆとなる場合であって、第１段階ｉで約０．１秒間、周波数ｆｘ＝５０Ｈｚ、振幅Ａｘ＝５μｍ、回数Ｎｘ＝２回の振動パターンで振動する。以下［ｆｘ  Ａｘ  Ｎｘ］＝［５０  ５  ２］と表記する。同様にして、第２段階iiでは、約０．１秒間、［ｆｘ  Ａｘ  Ｎｘ］＝［１００  １０  ２］の振動パターンで振動するようになされる。このような振動パターンに基づいて操作面を振動すると、ジョグダイヤルスイッチ等の触覚を得ることができる。
【０４６４】
図６７Ｂに示す第２の振動パターンＰｂは触覚＃Ｂを与える波形である。その触覚＃Ｂの駆動条件ｂは、スクロール画像２９ａ’等をキートップ２４６によってスクロール操作（摺動操作）した後に、情報選択決定（確定）操作等によって、キートップ２４６が押し込まれたとき、押下判定閾値Ｆthと加圧力Ｆとの関係がＦth＜Ｆとなる場合である。この場合、第１段階ｉで約０．１秒間、［ｆｘ  Ａｘ  Ｎｘ］＝［８０  ８  ２］で振動し、同様にして、第２段階iiでは、約０．１秒間、［ｆｘ  Ａｘ  Ｎｘ］＝［４０  ８  ２］の振動パターンで振動する。これにより、ドームスイッチ２５と同じ情報選択決定（確定）操作を実行できるようになる。この例で押下判定閾値Ｆth＝１００［ｇｆ］を設定すると、クラシックスイッチの触覚を得ることができる。
【０４６５】
図６８Ａ及びＢは、加圧力Ｆと振動パターンとの関係例（その１）を示す図である。この例でセンサ１３に圧力検出シート部材が使用される場合であって、図６８Ａに示す縦軸は加圧力Ｆであり、押し込み検出信号＃Ｓ２（二値化後は押し込み検出情報Ｄ２）から得られる。図６８Ｂにおいて、縦軸は振動発生信号Ｓａの振幅［Ｖ］である。図６８Ａ及びＢにおいて、横軸はいずれもサンプリング時刻ｔである。サンプリング時刻ｔとは、センサ１３の出力値を所定の周波数のサンプリングクロックで走査して圧力検出シート部材に加わった加圧力Ｆをラッチするタイミングをいう。
【０４６６】
一般に、ボタンスイッチ操作等において、入力モーションピークが存在する。設計通りの押下速度（操作入力速度）である場合、その加圧力Ｆは３０［ｇｆ］乃至２４０［ｇｆ］程度であることが知られている。図６８Ａに示す加圧力分布波形Ｉａは、入力装置設計時に基準とした、押し込み方向（Ｚ方向）への押下速度による加圧力Ｆを反映したものである。
【０４６７】
この例で入力装置３００から得られる押し込み検出信号＃Ｓ２に対して予め押下判定閾値Ｆthが設定され、ＣＰＵ３２は、押し込み検出信号＃Ｓ２の立ち上がり波形が押下判定閾値Ｆthを横切るサンプリング時刻ｔ１１に第１の振動パターンＰａを発生し、押し込み検出信号＃Ｓ２の立ち下がり波形が押下判定閾値Ｆthを横切るサンプリング時刻ｔ２１に第２の振動パターンＰｂを発生するようにメモリ部３７を読み出し制御する。
【０４６８】
このようにすると、入力装置３００が摺動操作時に基準とした加圧力Ｆを検出する場合であって、押下判定閾値Ｆth≧加圧力Ｆを検出したとき、触覚＃Ａを起動することができる。ＣＰＵ３２等が押下判定閾値Ｆth＜加圧力Ｆを検出したとき、触覚＃Ｂを起動することができる。なお、振動パターンＰａと振動パターンＰｂとの間には、無振動の空白期間Ｔｘ＝Ｔ１が設けられる。この空白期間Ｔｘは、押し込み方向への押圧速度に応じて可変するようになされる。
【０４６９】
図６９Ａ及びＢは、加圧力Ｆと振動パターンとの関係例（その２）を示す図である。この例でもセンサ１３に圧力検出シート部材が使用される場合であって、図６９Ａにおいて、縦軸は加圧力Ｆであり、押し込み検出信号＃Ｓ２（二値化後は押し込み検出情報Ｄ２）から得られる。図６９Ｂにおいて、縦軸は振動発生信号Ｓａ（振幅）である。図６９Ａ及びＢにおいて、横軸はいずれも時間ｔである。
【０４７０】
図６９Ａに示す加圧力分布波形IIａは、摺動操作の途中で、スクロール画像２９ａ’や２９ｂ’等を押下した場合の加圧力Ｆを反映したものである。この例でも、図６８Ａと同様にして、入力装置３００から得られる押し込み検出信号＃Ｓ２に対して予め押下判定閾値Ｆthが設定され、ＣＰＵ３２は、押し込み検出信号＃Ｓ２の立ち上がり波形が押下判定閾値Ｆthを横切るサンプリング時刻ｔ１２に振動パターンＰａを発生し、押し込み検出信号＃Ｓ２の立ち下がり波形が押下判定閾値Ｆthを横切るサンプリング時刻ｔ２２に振動パターンＰｂを発生するようにメモリ部３７を読み出し制御する。
【０４７１】
このようにすると、入力装置３００は摺動操作中に、スクロール画像２９ａ’や２９ｂ’等が選択押し込み操作された場合の加圧力Ｆを検出し、ＣＰＵ３２等が押下判定閾値Ｆth≧加圧力Ｆを検出したとき、触覚＃Ａを起動することができ、また、ＣＰＵ３２等が押下判定閾値Ｆth＜加圧力Ｆを検出したとき、触覚＃Ｂを起動することができる。
【０４７２】
なお、振動パターンＰａと振動パターンＰｂとの間には、無振動の空白期間Ｔｘ＝Ｔ２（Ｔ２＜Ｔ１）が設けられる。これにより、スクロール画像２９ａ’や２９ｂ’等に係る摺動操作中は触覚＃Ａが伝わり、スクロール画像２９ａ’や２９ｂ’等が選択押し込み操作される場合は、触覚＃Ｂが伝わり、クリック感のある荷重に到達できるようになる。
【０４７３】
続いて、携帯電話機１０１等における情報処理例について説明をする。図７０は、各実施例に係る携帯電話機１０１等における情報処理例を示すフローチャートである。
【０４７４】
この例では、携帯電話機１０１等において、第２１の実施例で説明した入力装置２１０が備えられ、入力装置２１０にはセンサ１３及びキートップ２４６が設けられる。更に、第１の実施例で説明したスクロール画像を表示する表示部２９と、第２の実施例で説明したアクチュエータ機能付きのスピーカー３６ｂとを備え、操作者の指３０ａで当該携帯電話機１０１等の側面の操作面を摺動操作又は押下操作して情報を入力する場合を前提とする。
【０４７５】
携帯電話機１０１等には、例えば、同一振動モード内において、操作者の指３０ａ等による加圧力Ｆをパラメータにして波形を加工する機能（アルゴリズム）が備えられる。ＣＰＵ３２は、押し込み検出情報Ｄ２から加圧力Ｆを算出し、図６７Ａに示したような駆動条件ａ，ｂに対応して判別を行い、その判別結果で、同一の振動モード内において、いかなる種類の入力に対しても、入力動作中の動きに対応した触覚＃Ａ，＃Ｂを発生できるようにした。
【０４７６】
これらを情報処理条件にして、ＣＰＵ３２は、図７０に示すフローチャートのステップＧ１で電源オンを待機する。例えば、ＣＰＵ３２は電源オン情報を検出してシステムを起動する。電源オン情報は通常、時計機能等が稼働し、スリーピング状態にある携帯電話機等の電源スイッチをオンされたときに発生する。
【０４７７】
そして、ステップＧ２に移行してＣＰＵ３２は、メニュー等のアイコン画面を表示するように表示部２９を制御する。例えば、ＣＰＵ３２は、表示部２９に表示情報Ｄ４を供給してメニュー等のアイコン画面を表示する。このアイコン画面で情報処理モードを設定する。この例で、情報処理モードにはアイコン入力モード又はその他の処理モードが準備されているので、操作者はいずれかを選択する。アイコン入力モードには例えば、スクロール画像選択モードが含まれている。
【０４７８】
スクロール画像選択モードとは、スクロール画像２９ａ’や２９ｂ’等の選択時に操作面のキートップ２４６を摺動操作又は押下操作する動作をいう。スクロール画像選択モードには、電話モードやメール作成、送信表示モード等が含まれる。電話モードには、相手方に電話を発信する操作が含まれる。スクロール画像２９ｂ’には、電話モード選択時の文字入力項目が含まれる。スクロール画像２９ａ’，２９ｂ’は、図７Ａ及びＢに示したような入力情報である。
【０４７９】
このとき、図７Ａ及びＢに示したように、表示部２９の１画面内に収まる選択項目の個数ｘがＭａｘ個以下の場合には、キートップ２４６のスライド量ＳｘとしてＳ１＝４ｍｍが設定され、１画面内に収まる選択項目の個数ｘがＭａｘ個を越える場合は、キートップ２４６のスライド量ＳｘとしてＳ２＝２ｍｍが設定される（図９参照）。また、図１０に示したようにセンサ１３の電気的な検知領域（３）の長さＸｓと、スクロール方向に存在する選択項目の全個数Ｙｓとに基づいてキートップ２４６のスライド量Ｓｘを任意に設定してもよい（図１０参照）。
【０４８０】
そして、ステップＧ３に移行してＣＰＵ３２は、スクロール画像選択モード又はその他の処理モードに基づいて制御を分岐する。スクロール画像選択モードが設定された場合、スクロール画像２９ａ’や２９ｂ’等をスクロール操作のためにキートップ２４６が摺動操作されるので、ステップＧ４に移行してＣＰＵ３２はセンサ１３によって加圧力Ｆを検出する。このとき、キートップ２４６は入力装置２１０の下部筐体１１ｑの一方の操作面から摺動方向に沿って堀り下がり、かつ、他方の操作面に向かって堀り上がる凹部形状に沿って摺動される。センサ１３は、キートップ２４６上を摺動操作される操作者の指３０ａの摺動位置の加圧力Ｆを検出し、位置検出信号＃Ｓ１をＡ／Ｄドライバ３１に出力する。Ａ／Ｄドライバ３１は位置検出信号＃Ｓ１をＡ／Ｄ変換し、そのＡ／Ｄ変換後の位置検出情報Ｄ１をＣＰＵ３２に転送する。
【０４８１】
そして、ステップＧ５に移行してＣＰＵ３２は、位置検出情報Ｄ１に基づく加圧力Ｆと押下判定閾値Ｆthとを比較し、これらの関係がＦ≦Ｆthか否かを判別する。これらの関係がＦ≦Ｆthとなる場合は、ステップＧ６に移行して触覚＃Ａを起動する。触覚＃Ａは、アクチュエータ機能付きのスピーカー３６ｂによって、操作者の指３０ａの加圧力Ｆに対応した振動パターンＰｂに基づいて操作面を振動することで得られる。触覚＃Ａは、例えば、図７０Ａに示した周波数ｆｘ、振幅Ａｘ及び回数Ｎｘに関して、第１段階ｉで約０．１秒間、［ｆｘ  Ａｘ  Ｎｘ］＝［５０  ５  ２］の振動パターンで振動し、第２段階iiでは、約０．１秒間、［ｆｘ  Ａｘ  Ｎｘ］＝［１００  １０  ２］の振動パターンで振動する。このようにすると、操作者の”加圧力”に合わせた異なる振動パターンを発生させることができる（駆動条件ａ）。なお、位置検出情報Ｄ１に基づく加圧力Ｆと押下判定閾値Ｆthとの関係がＦ≦Ｆthでない場合は、ステップＧ７に移行して加圧力Ｆの検出を継続する。
【０４８２】
そして、操作者の指３０ａでキートップ２４６を押し込む操作がなされると、ステップＧ７に移行してＣＰＵ３２は押し込み検出情報Ｄ２に基づいて加圧力Ｆを算出する。このとき、センサ１３は、操作面における操作者の指３０ａの押下位置の加圧力Ｆを検出し、押し込み検出信号＃Ｓ２をＡ／Ｄドライバ３１に出力する。Ａ／Ｄドライバ３１は押し込み検出信号＃Ｓ２をＡ／Ｄ変換し、そのＡ／Ｄ変換後の押し込み検出情報Ｄ２をＣＰＵ３２に転送する。
【０４８３】
そして、ステップＧ８に移行して、ＣＰＵ３２は加圧力Ｆと押下判定閾値Ｆthとを比較し、これらの関係がＦ＞Ｆthとなるか否かを判別する。これらの関係がＦ＞Ｆthとなる場合は、ステップＧ９に移行して触覚＃Ｂを起動する。触覚＃Ｂは、アクチュエータ機能付きのスピーカー３６ｂによって、操作者の指３０ａの加圧力Ｆに対応した振動パターンＰｂに基づいて操作面を振動することで得られる。例えば、触覚＃Ｂは、図７０Ｂに示した第１段階ｉで約０．１秒間、［ｆｘ  Ａｘ  Ｎｘ］＝［８０  ８  ２］の振動パターンで振動し、第２段階iiでは、約０．１秒間、［ｆｘ  Ａｘ  Ｎｘ］＝［４０  ８  ２］の振動パターンで振動する。このようにすると、操作者の”加圧力”に合わせた異なる振動パターンを発生させることができる（駆動条件（ｂ）。なお、位置検出情報Ｄ１に基づく加圧力Ｆと押下判定閾値Ｆthとの関係がＦ＞Ｆthでない場合は、ステップＧ１２に移行する。
【０４８４】
その後、ステップＧ１０に移行して入力を確定する。このとき、ＣＰＵ３２は、入力操作面で当該押下位置に表示された入力情報を確定する。そして、ステップＧ１２に移行する。なお、ステップＧ３で他の処理モードが選択された場合は、ステップＧ１１に移行して他の処理モードを実行する。他の処理モードには、音楽再生機能や、テレビ受信機能が含まれる。
【０４８５】
他の処理モードを実行した後は、ステップＧ１２に移行する。ステップＧ１２でＣＰＵ３２は終了判断をする。例えば、電源オフ情報を検出して情報処理を終了する。電源オフ情報が検出されない場合は、ステップＧ２に戻って、メニュー画面を表示し、上述した処理を繰り返すようになされる。
【０４８６】
このように、各実施例としての触覚機能付きの入力装置２１０を応用した携帯電話機１０１等によれば、本発明に係る入力装置３００が備えられるので、当該携帯電話機１０１等を操作する操作者の指３０ａによる摺動操作に対し、携帯電話機１０１等の側面の一方の操作面から摺動方向に沿って堀り下がる摺動操作感覚に加えて、他方の操作面に向かって堀り上がる摺動操作感覚を与えることができる。
【０４８７】
従って、第１の入力装置１０の非回転型のサイドジョグツール等に対して反転構造の非回転型のサイドジョグツール等を提供できるようになる。しかも、入力装置２１０の小型化、センサシート８１ａ’〜８０１ｅの薄型化及び操作性を向上できることから、当該携帯電話機１０１等の誤動作の低減、コストダウン、及び、製造プロセスの簡素化を図ることができる。
【実施例３０】
【０４８８】
図７１は、本発明に係る入力装置を備えた第３０の実施例としてのビデオカメラ４００の構成例を示す斜視図である。
図７１に示すビデオカメラ４００は電子機器の他の一例を構成し、情報入力操作時に操作体（者）に触覚を提示する触覚入力機能付きの電子機器であって、被写体像を撮像し、かつ、周囲の音響を録音するものである。ビデオカメラ４００には、第１〜第２９の実施例で説明した入力装置１０〜２９０のいずれかの入力装置を備え、このビデオカメラ４００にはアクチュエータ機能付きのスピーカー３６ｂが応用されるものである。
【０４８９】
ビデオカメラ４００は、外装を構成するケース４０２を有しており、ケース４０２の前面上部には撮影光学系４０４が組み込まれたレンズ鏡筒４０３が設けられている。レンズ鏡筒４０３の後端には、撮影光学系４０４によって導かれた被写体像を撮像する撮像素子（不図示）が組み込まれている。
【０４９０】
ケース４０２の後面、上面、側面には、電源スイッチ、撮影スタート／ストップスイッチ、ズームスイッチなど種々の操作スイッチ４０５が設けられている。ケース４０２の左側面には、タッチパネルディスプレイ装置４０１がヒンジ４０６を介して開閉可能にケース４０２に連結され、不図示の撮像素子で撮像した画像を表示するようになされる。
【０４９１】
タッチパネルディスプレイ装置４０１には、例えば、第２９の実施例で説明した入力装置２９０及び、図１２に示したアクチュエータ機能付きのスピーカー３６ｂが備えられる。第２９の実施例で説明した入力装置２９０によれば、図６５に示したように表示トップ部材６３、センサ１３’及びＬＣＤ素子６４が上部から順に積層されて構成される。表示部２９は表示トップ部材６３及びＬＣＤ素子６４を有して構成され、その所定の位置には凸状を成したキートップ１５２’が配設される。表示部２９は、キートップ１５２’によって入力される情報を表示する。
【０４９２】
キートップ１５２’は、操作性を良くするために、例えば、表示部２９の中央部位よりやや左側に配設されている。キートップ１５２’は、所定の高さ及び幅を有した半球凸形状を成している。キートップ１５２’は、半球凸形状の一の軌道に沿って摺動操作され、又は／及び当該軌道と交差する他の軌道に沿って摺動操作される。もちろん、表示部２９にＬＣＤ素子６４を介して入力情報を選択させるためのアイコン映像を表示し、このアイコン映像に沿って操作者の指を摺動操作させるようにしてもよい。
【０４９３】
タッチパネルディスプレイ装置４０１内にはスピーカー３６ｂが設けられ、スピーカー３６ｂには、図１２に示した所定部位に開口部１ａ，１ｂ，１ｃ，１ｄを有した蓋部材１と、この蓋部材１が係合されるハウジング部６と、有底筒状の凹部５ａを有してハウジング部６内に可動自在に配された振動用のヨーク５と、ハウジング部６内でヨーク５を可動自在に支持するスプリングバネ５１，５２と、そのハウジング部６内で可動自在に支持されるヨーク５の底部に固定されたマグネット４と、巻き軸部を有してマグネット４の周囲に可動自在に配されたコイル３と、このコイル３の巻き軸部の一方の側に取り付けられて、蓋部材１とハウジング部６で挟持される振動板２とを有したものが使用される。
【０４９４】
この例で、タッチパネルディスプレイ装置４０１のモニタ用の表示部２９に表示された入力操作用のアイコン画像を指で操作すると、スピーカー３６ｂからクリック音（サイバースイッチ操作音）と共に、表示画面上を触れている操作者の指に触覚を提示するようになされる。この入力操作により、ビデオカメラ４００においても、表示部２９に表示されたスクロール画像２９ａ’や２９ｂ’等の入力を確定できるようになる。なお、図中、孔６７はクリック音漏れ出し用の開口部である。
【０４９５】
このように、第３０の実施例としてのビデオカメラ４００によれば、本発明に係る触覚機能付きの入力装置２９０を備えられるので、表示トップ部材６３、センサ１３’及びＬＣＤ素子６４が順に積層された表示部２９の中央部位よりやや左側にキートップ１５２’が設けられ、表示トップ部材６３と、半球凸形状を有したキートップ１５２’とが一体成形又は、表示トップ部材６３上にキートップ１５２’が貼付されて成るものである。
【０４９６】
従って、耐水性に富んだ密閉構造の入力装置２９０を備えたビデオカメラ４００を提供できるようになる。しかも、操作者の指による摺動操作に対し、表示部２９の表示トップ部材６３の一方の表示面から半球凸形状の一の軌道に沿って円弧状に盛り上がる摺動操作感覚に加えて、他方の表示面に向かって円弧状に盛り下がる摺動操作感覚を与えること、及び、表示トップ部材６３の他方の表示面から半球凸形状の一の軌道と交差する他の軌道に沿って円弧状に盛り上がる摺動操作感覚に加えて、他方の表示面に向かって円弧状に盛り下がる摺動操作感覚を与えることができる。これにより、当該入力装置２９０を応用したビデオカメラ４００の入力操作性が向上し、従来方式のタッチパネルには無いユニークな操作感覚が得られるようになる。
【０４９７】
上述の例では、電子機器に関して、触覚機能付きの入力装置を応用したスライドタイプの携帯電話機１０１等及び、ビデオカメラ４００について説明したが、これらに限られることはなく、通常の１軸ヒンジタイプの携帯電話機１０２や、２軸ヒンジタイプの携帯電話機１０３、上部筐体１１ｘ及び下部筐体１１ｙの両方に表示画面を備えた携帯端末装置、デジタルカメラ等に適用できることは言うまでもない。
【０４９８】
なお、表１に本発明者らが実施した各入力装置間における操作性評価結果を示している。
【０４９９】
【表１】
0005710859.tif 000002
【０５００】
表１に示す操作性評価結果は、従来例”１”、従来例”２”、本発明”１”及び本発明”２”の各々の入力装置における操作正確性を比較してまとめたものである。従来例”１”は、図７２に示したようなサイドジョグ回転スイッチ＋ドームスイッチ構造の入力装置５００の場合である。従来例”２”は、図７３に示した平面フラット＆無回転型のキートップ＋ドームスイッチ付きの入力装置６００の場合である。本発明”１”は、図１４に示した第３の実施例に係る無回転型のキートップ＋ドームスイッチ付きの入力装置３０の場合である。本発明”２”は、図１５に示した第４の実施例に係る無回転型のキートップ＋ドームスイッチ＋アクチュエータ機能付きの入力装置４０の場合である。
【０５０１】
これら４つの入力装置３０，４０，５００，６００に関して、スライド操作及びプッシュ操作を評価した。評価方法は、いずれも被験者は５０名である。スライド操作に関しては、電話帳アプリケーションの縦スクロール画面で狙ったところ（ターゲット画像）にカーソルを当てて止めてもらうキートップ操作を実行した。カーソルを当てて止めてもらう項目は１名に付き１０個の場合である。この場合、１回のキートップ操作でカーソルをターゲット画像に止められた正解数を比較した。
【０５０２】
また、プッシュ操作に関しては、電話帳アプリケーションの縦スクロール画面で選択し終えた状態から、キートップ押し込み操作を実行して、ドームスイッチをオンして入力決定（確定）操作をしてもらう場合である。この場合、キートップを押し込む前に、選択されていたターゲット画像がそのまま決定されれば、「正解」、違うターゲット画像が選択されたり、当該ターゲット画像の選択決定できなかった場合は「間違い」とする。これらの正解数を従来例”１”、従来例”２”、本発明”１”及び本発明”２”の各々について比較することで、入力装置３０，４０，５００，６００の操作正確性を評価した。
【０５０３】
表１に示した操作性評価結果によれば、従来例”１”、従来例”２”、本発明”１”及び本発明”２”の各々全５００回中の正解数に関して、従来例”１”の場合は、スライド操作が「４７８」であり、プッシュ操作は「４７８」である。従来例”２”の場合は、スライド操作が「３０２」であり、プッシュ操作は「３００」である。本発明”１”の場合は、スライド操作が「４５０」であり、プッシュ操作は「４９５」である。本発明”２”の場合は、スライド操作が「４６８」であり、プッシュ操作は「４９３」である。
【０５０４】
スライド操作に関して、本発明”１”及び本発明”２”は従来例”１”よりも正解数がやや劣るが、従来例”２”よりも操作確実性が向上している。プッシュ操作に関しては、本発明”１”及び本発明”２”共に従来例”１”や、従来例”２”よりも正解数が多く、操作確実性が向上している。従来例”１”によれば、ジョグダイヤルを押し込む前にキートップが回転し、１つ前後したターゲット画像を誤って決定する失敗が見られた。従来例”２”によれば、キートップを押し込んだ際に、当該キートップの隅を押し込んでしまい、押し子がメタルドーム部５１１を正確に押し込めず、ターゲット画像を選択決定ができないという内容の失敗が見られた。
【０５０５】
これに対して、本発明”１”及び”２”は、無回転型のキートップ＋ドームスイッチや、無回転型のキートップ＋ドームスイッチ＋アクチュエータ機能付きの構造を採っているので、１つ前後したターゲット画像を誤って決定することがなく、しかも、押し子がメタルドーム部５１１を正確に押し込むようになるので、高い操作性及び確実性を実現することができ、使用勝手が優れた入力装置３０，４０等を提供できるようになった。
【産業上の利用可能性】
【０５０６】
この発明は、デジタルカメラや、ビデオカメラ、携帯電話機、携帯端末装置、パーソナルコンピュータ（以下ＰＣという）、ノート型のＰＣ、ホーム系電子機器及びそのリモートコントローラ等に適用して極めて好適である。
【図面の簡単な説明】
【０５０７】
【図１】（Ａ）及び（Ｂ）は、本発明に係る第１の実施例としての入力装置１０を備えた携帯電話機１０１の構成例を示す斜視図である。
【図２】入力装置１０の内部構成例を示す断面図である。
【図３】キートップ１４の突出部分の寸法設定例を示す概念図である。
【図４】入力装置１０の検出感度例を示すグラフ図である。
【図５】入力装置１０の位置検出例を示すグラフ図である。
【図６】入力装置１０の操作範囲例を示す断面図である。
【図７】（Ａ）及び（Ｂ）は、入力装置１０におけるスライド量Ｓｘの設定例を示す断面図である。
【図８】（Ａ）〜（Ｃ）は、入力装置１０の操作例を示す概念図である。
【図９】入力装置１０におけるスライド量Ｓｘの設定例（固定値選択）を示すフローチャートである。
【図１０】入力装置１０におけるスライド量Ｓｘの他の設定例（設定値可変）を示すフローチャートである。
【図１１】第２の実施例としての入力装置２０の内部構成例を示す断面図である。
【図１２】アクチュエータ機能付きのスピーカー３６ｂの構成例を示す正面から見た断面図である。
【図１３】第３の実施例としての入力装置３０の構成例を示す分解斜視図である。
【図１４】入力装置３０の構成例及びその機能例を示す上面から見た断面図である。
【図１５】第４の実施例としての入力装置４０の内部構成例を示す断面図である。
【図１６】第５の実施例としての入力装置５０の内部構成例を示す断面図である。
【図１７】第６の実施例としての入力装置６０の内部構成例を示す断面図である。
【図１８】第７の実施例としての入力装置７０の内部構成例を示す断面図である。
【図１９】第８の実施例としての入力装置８０の内部構成例を示す断面図である。
【図２０】（Ａ）〜（Ｃ）は、第９の実施例としての入力装置９０の外観例を示す斜視図及び、その内部構成例を示す断面図である。
【図２１】（Ａ）〜（Ｃ）は、第１０の実施例としての入力装置１００の構成例を示す斜視図及び断面図である。
【図２２】（Ａ）〜（Ｃ）は、第１１の実施例としての入力装置１１０の構成例を示す斜視図及び断面図である。
【図２３】（Ａ）〜（Ｃ）は、第１２の実施例としての入力装置１２０の構成例を示す斜視図及び断面図である。
【図２４】（Ａ）及び（Ｂ）は、本発明に係る第１３の実施例としての携帯電話機１０２の構成例を示す斜視図である。
【図２５】携帯電話機１０２の撮影時の取扱例を示す斜視図である。
【図２６】（Ａ）及び（Ｂ）は、本発明に係る第１４の実施例としての携帯電話機１０３の構成例を示す斜視図である。
【図２７】携帯電話機１０３のテレビ視聴時の取扱例を示す斜視図である。
【図２８】第１５の実施例としての入力装置１５０の構成例を示す斜視図である。
【図２９】第１６の実施例としての入力装置１６０の構成例を示す斜視図である。
【図３０】第１７の実施例としての入力装置１７０の構成例を示す斜視図である。
【図３１】第１８の実施例としての入力装置１８０の構成例を示す斜視図である。
【図３２】静電センサシートを実装したＦＰＣ基板８１の構成例を示す平面図である。
【図３３】入力装置１８０の組立例を示す斜視図である。
【図３４】入力装置１８０の内部構成例を示す断面図である。
【図３５】（Ａ）及び（Ｂ）は、入力装置１８０におけるドームスイッチ８５ａ等の動作例を示す断面図である。
【図３６】（Ａ）及び（Ｂ）は、変形例としてのＦＰＣ基板８０１の表裏の構成例を示す平面図である。
【図３７】（Ａ）〜（Ｅ）は、入力装置１８０や１８０’等に適用可能ななぞり検出用の他のパターンの構成例を示す平面図である。
【図３８】変形例としての入力装置１８０’の組立例を示す斜視図である。
【図３９】キートップ１５２の個々のキーパーツ８６ａ〜８６ｃの幅とドームスイッチ８５ａ〜８５ｃ等の幅との関係例を示す入力装置１８０’の断面図である。
【図４０】入力装置１８０’の内部構成例を示す断面図である。
【図４１】（Ａ）及び（Ｂ）は入力装置１８０’におけるドームスイッチ８５ａ等の動作例を示す断面図である。
【図４２】（Ａ）〜（Ｃ）は、電極・配線交差構造例に係るメタルドーム部５１１の形状例を示す斜視図である。
【図４３】変形例としての入力装置１８０”におけるドームスイッチ８５ａ’〜８５ｅ’の配置例を示す平面図である。
【図４４】入力装置１８０’のなぞり検出時の動作例を示す平面図である。
【図４５】（Ａ）及び（Ｂ）は、携帯電話機１０４の構成例及びその操作画面の表示例を示す説明図である。
【図４６】（Ａ）〜（Ｄ）は、表示部２９におけるモード設定例を示す状態遷移図である。
【図４７】（Ａ）及び（Ｂ）は、クロスＪＯＧモードにおける入力操作例を示す説明図である。
【図４８】（Ａ）及び（Ｂ）は、ディスクＪＯＧモードにおける入力操作例を示す説明図である。
【図４９】入力装置１８０’におけるなぞりモードの自動設定例を示すフローチャートである。
【図５０】（Ａ）及び（Ｂ）は、第１９の実施例としての入力装置１９０の外観例を示す斜視図及びその内部構成例を示す断面図である。
【図５１】（Ａ）及び（Ｂ）は、入力装置１９０の操作例を示す概念図である。
【図５２】（Ａ）及び（Ｂ）は、第２０の実施例としての入力装置２００の構成例を示す斜視図及び断面図である。
【図５３】（Ａ）及び（Ｂ）は、第２１の実施例としての入力装置２１０の構成例を示す斜視図及び断面図である。
【図５４】（Ａ）及び（Ｂ）は、第２２の実施例としての入力装置２２０の構成例を示す斜視図及び断面図である。
【図５５】第２３の実施例としての入力装置２３０の構成例を示す斜視図である。
【図５６】第２４の実施例としての入力装置２４０の構成例を示す斜視図である。
【図５７】第２５の実施例としての入力装置２５０の構成例を示す斜視図である。
【図５８】変形例としての入力装置２５０’の構成例を示す分解斜視図である。
【図５９】入力装置２５０’の内部構成例を示す断面図である。
【図６０】変形例としての入力装置２５０”の内部構成例を示す断面図である。
【図６１】キートップ２５１の個々のキーパーツの幅とドームスイッチの幅との関係例を示す入力装置２５０”の断面図である。
【図６２】第２６の実施例としての入力装置２６０の構成例を示す斜視図である。
【図６３】第２７の実施例としての入力装置２７０の構成例を示す斜視図である。
【図６４】第２８の実施例としての入力装置２８０の構成例を示す斜視図である。
【図６５】第２９の実施例に係る入力装置２９０の構成例を示す分解斜視図である。
【図６６】携帯電話機１０１等の制御系の構成例及びその感触フィードバック機能例を示すブロック図である。
【図６７】（Ａ）及び（Ｂ）は、触覚＃Ａ及びＢに係る振動パターン例を示す波形図である。
【図６８】（Ａ）及び（Ｂ）は、加圧力Ｆと振動パターンとの関係例（その１）を示す図である。
【図６９】（Ａ）及び（Ｂ）は、加圧力Ｆと振動パターンとの関係例（その２）を示す図である。
【図７０】各実施例に係る携帯電話機１０１等における情報処理例を示すフローチャートである。
【図７１】本発明に係る入力装置を備えた第３０の実施例としてのビデオカメラ４００の構成例を示す斜視図である。
【図７２】従来例に係る入力装置５００の構成例を示す断面図である。
【図７３】従来例に係る他の入力装置６００の構成例を示す断面図である。
【符号の説明】
【０５０８】
１・・・蓋部材、２・・・振動板、３・・・コイル、４・・・マグネット、５・・・ヨーク、６・・・ハウジング、１０，２０，３０，４０，５０，６０，７０，８０，９０，１００，１１０，１２０，１５０，１６０，１７０，１８０，１８０’，１８０”，１９０，２００，２１０，２２０，２３０，２４０，２５０，２５０’，２５０”，２６０，２７０，２８０，２９０，３００・・・入力装置、１１ａ，１１ｘ・・・上部筐体、１１ｂ，１１ｄ，１１ｅ，１１ｆ，１１ｇ，１１ｈ，１１ｉ，１１ｊ，１１ｋ，１１ｍ，１１ｎ，１１ｏ，１１ｐ，１１ｑ，１１ｒ，１１ｓ，１１ｔ，１１ｕ，１１ｖ，１１ｗ，１１ｙ，１１ｚ・・・下部筐体、１３・・・センサ（センサ１３）、１４，１４１，１４２，１４３，１４４，１４５，１４６，１４７，１４８，１４９，１５１，１５２，１５３，２４４，２４５，２４６，２４７，２４８，２４９，２５１，２５２，２５３・・・キートップ（キートップ）、１５・・・制御部、１６・・・アンテナ、１７・・・回路基板、１８，１８’，３８・・・操作パネル、１９，８２ａ〜８２ｅ，１９１・・・押し子、２１・・・受信部、２２・・・送信部、２３・・・共用器、２５・・・ドームスイッチ（ドームスイッチ２５）、２６・・・画像処理部、２９・・・表示部、３１・・・Ａ／Ｄドライバ、３２・・・ＣＰＵ、３３・・・電源ユニット、３４・・・カメラ、３５・・・記憶部、３６ａ・・・スピーカー、３６ｂ・・・アクチュエータ機能付きのスピーカー、３７・・・メモリ部、４４・・・映像＆音声処理部、４８，４８ａ，４８ｂ・・・ヒンジ、５１，５２・・・スプリングバネ、６１ａ〜６１ｅ・・・三角マーク、６２ａ〜６２ｅ・・・ＬＥＤ素子、６３・・・表示トップ部材、８１，８０１・・・ＦＰＣ基板、８１ａ〜８１ｅ・・・センサシート（静電容量シート部材）、８２ａ’〜８２ｅ’・・・突起部、８５ａ〜８５ｅ・・・ドームスイッチ、１０１，１０２，１０３・・・携帯電話機（電子機器）、４００・・・ビデオカメラ（電子機器）、５１１・・・メタルドーム部、５１２・・・固定側の接点電極
【図１】
0005710859.tif 000003
【図２】
0005710859.tif 000004
【図３】
0005710859.tif 000005
【図４】
0005710859.tif 000006
【図５】
0005710859.tif 000007
【図６】
0005710859.tif 000008
【図７】
0005710859.tif 000009
【図８】
0005710859.tif 000010
【図９】
0005710859.tif 000011
【図１０】
0005710859.tif 000012
【図１１】
0005710859.tif 000013
【図１２】
0005710859.tif 000014
【図１３】
0005710859.tif 000015
【図１４】
0005710859.tif 000016
【図１５】
0005710859.tif 000017
【図１６】
0005710859.tif 000018
【図１７】
0005710859.tif 000019
【図１８】
0005710859.tif 000020
【図１９】
0005710859.tif 000021
【図２０】
0005710859.tif 000022
【図２１】
0005710859.tif 000023
【図２２】
0005710859.tif 000024
【図２３】
0005710859.tif 000025
【図２４】
0005710859.tif 000026
【図２５】
0005710859.tif 000027
【図２６】
0005710859.tif 000028
【図２７】
0005710859.tif 000029
【図２８】
0005710859.tif 000030
【図２９】
0005710859.tif 000031
【図３０】
0005710859.tif 000032
【図３１】
0005710859.tif 000033
【図３２】
0005710859.tif 000034
【図３３】
0005710859.tif 000035
【図３４】
0005710859.tif 000036
【図３５】
0005710859.tif 000037
【図３６】
0005710859.tif 000038
【図３７】
0005710859.tif 000039
【図３８】
0005710859.tif 000040
【図３９】
0005710859.tif 000041
【図４０】
0005710859.tif 000042
【図４１】
0005710859.tif 000043
【図４２】
0005710859.tif 000044
【図４３】
0005710859.tif 000045
【図４４】
0005710859.tif 000046
【図４５】
0005710859.tif 000047
【図４６】
0005710859.tif 000048
【図４７】
0005710859.tif 000049
【図４８】
0005710859.tif 000050
【図４９】
0005710859.tif 000051
【図５０】
0005710859.tif 000052
【図５１】
0005710859.tif 000053
【図５２】
0005710859.tif 000054
【図５３】
0005710859.tif 000055
【図５４】
0005710859.tif 000056
【図５５】
0005710859.tif 000057
【図５６】
0005710859.tif 000058
【図５７】
0005710859.tif 000059
【図５８】
0005710859.tif 000060
【図５９】
0005710859.tif 000061
【図６０】
0005710859.tif 000062
【図６１】
0005710859.tif 000063
【図６２】
0005710859.tif 000064
【図６３】
0005710859.tif 000065
【図６４】
0005710859.tif 000066
【図６５】
0005710859.tif 000067
【図６６】
0005710859.tif 000068
【図６７】
0005710859.tif 000069
【図６８】
0005710859.tif 000070
【図６９】
0005710859.tif 000071
【図７０】
0005710859.tif 000072
【図７１】
0005710859.tif 000073
【図７２】
0005710859.tif 000074
【図７３】
0005710859.tif 000075